(57)【要約】【課題】厚みの薄い被収納物を収納し、隣接する側面部が糊代部で連結されている包装箱において、隣接する側面部と連結された側面部から連設された蓋を手で保持していなくても、底面部の上方を開放した状態で底面部に被収納物を載置できる包装箱を提供する。【解決手段】包装箱５は、底面部１０と、側面部１２、１４、１６、１８と、上面部２０、３０と、差込み片部２６と、上面フラップ４０、４２と、折込み片部５０、６０と、片部５６、６６とを有し、折込み片部５０、６０は、第１片部５２、６２と第２片部５４、６４とを有し、第２片部５４、６４は、側面部１８に接着され、片部５６、６６は上面部３０に接着されている。上面部３０は、折込み片部５０、６０により背面側に付勢されるので、上面部３０と上面フラップ４０、４２が起立した状態が維持されて、被収納物の収納が容易となる。【選択図】図６
2018087038.tif 000002
【特許請求の範囲】
【請求項１】
包装箱であって、
互いに平行な一対の第１辺部と第１辺部と直角な一対の第２辺部とを有する底面部（１０）と、
底面部の第１辺部の一方である背面側の辺部から折れ線を介して連設された第１側面部（１２）と、
底面部の第１辺部の他方である正面側の辺部から折れ線を介して連設された第２側面部（１８）と、
底面部の第２辺部の一方である右側面側の辺部から折れ線を介して連設された第３側面部（１４）と、
底面部の第２辺部の他方である左側面側の辺部から折れ線を介して連設された第４側面部（１６）と、
第２側面部の底面部側とは反対側の辺部から第１折れ線（Ｃ１８）を介して連設された上面部（３０）と、
第３側面部の底面部側とは反対側の辺部から折れ線を介して連設された右上面フラップ（４０）と、
第４側面部の底面部側とは反対側の辺部から折れ線を介して連設された左上面フラップ（４２）と、
第３側面部の正面側の辺部から第２折れ線（Ｃ５０）を介して連設された右折込み片部で、第３側面部から第２折れ線（Ｃ５０）を介して連設された右第１片部（５２）と、第２折れ線の方向に対して傾斜し第２折れ線との距離が第２折れ線の底面部側から反対側に行くほど長くなるように傾斜した第３折れ線（Ｃ５１）を介して右第１片部から連設された右第２片部（５４）とを有し、右折込み片部が第３折れ線を介して二つ折りにされた状態で右第２片部が第２側面部の外側の面に対向する右折込み片部（５０）と、
右第２片部から第４折れ線（Ｃ５６）を介して連設され、上面部の外側の面に接着された右片部（５６）と、
第４側面部の正面側の辺部から第５折れ線（Ｃ６０）を介して連設された左折込み片部で、第４側面部から第５折れ線（Ｃ６０）を介して連設された左第１片部（６２）と、第５折れ線の方向に対して傾斜し第５折れ線との距離が第５折れ線の底面部側から反対側に行くほど長くなるように傾斜した第６折れ線（Ｃ６１）を介して左第１片部から連設された左第２片部（６４）とを有し、左折込み片部が第６折れ線を介して二つ折りにされた状態で左第２片部が第２側面部の外側の面に対向する左折込み片部（６０）と、
左第２片部から第７折れ線（Ｃ６６）を介して連設され、上面部の外側の面に接着された左片部（６６）と、
を有し、
包装箱は、シート状のブランクにより形成され、
右上面フラップが第３側面部に対して内側に傾斜して起立し、左上面フラップが第４側面部に対して内側に傾斜して起立した状態で、上面部の内側の面が右上面フラップと左上面フラップに接する状態とすることにより、二つ折りにされた右折込み片部が二つ折りに折り曲げられる前の状態に復元しようとして右第１片部と右第２片部間の角度が大きくなるとともに、二つ折りにされた左折込み片部が二つ折りに折り曲げられる前の状態に復元しようとして左第１片部と左第２片部間の角度が大きくなることにより、第２側面部が右第２片部と左第２片部により背面側に付勢され、上面部が、第２側面部が背面側に付勢されることにより背面側に付勢されるとともに、右第２片部に連設された右片部と左第２片部に連設された左片部により背面側に付勢されることにより、上面部の内側の面が右上面フラップと左上面フラップに接した状態が維持されることを特徴とする包装箱。
【請求項２】
右第２片部が第２側面部の外側の面に接着されているとともに、左第２片部が第２側面部の外側の面に接着され、
第２側面部と右第２片部とは折れ線を介して連設されていないとともに、第２側面部と左第２片部とは折れ線を介して連設されていないことを特徴とする請求項１に記載の包装箱。
【請求項３】
第２折れ線の方向と第３折れ線の方向が略４５度の角度をなし、第３折れ線の方向と第４折れ線の方向が略４５度の角度をなすとともに、第５折れ線の方向と第６折れ線の方向が略４５度の角度をなし、第６折れ線の方向と第７折れ線の方向が略４５度の角度をなすことを特徴とする請求項１又は２に記載の包装箱。
【請求項４】
第２側面部を底面部に対して折り畳んだ状態とすることにより、右第１片部の外側の面と左第１片部の外側の面が、第２側面部の外側の面に対向し、第３側面部と第４側面部が底面部に対して内側に傾斜して、包装箱が折り畳まれることを特徴とする請求項１又は２又は３に記載の包装箱。
【請求項５】
第１側面部の底面部側とは反対側の辺部から折れ線を介して第２上面部（２０）が連設され、
上面部と第２上面部の一方の先端に差込み片部が設けられ、
上面部と第２上面部の他方に差込み片部を差し込むための被差込み部が設けられていることを特徴とする請求項１又は２又は３又は４に記載の包装箱。
【請求項６】
上面部を分割するための切目線又は第２上面部を分割するための切目線が設けられていることを特徴とする請求項１又は２又は３又は４又は５に記載の包装箱。
【請求項７】
第２折れ線と第４折れ線と第５折れ線と第７折れ線が、互いに平行な２本の罫線により構成された二重罫線により形成されていることを特徴とする請求項１又は２又は３又は４又は５又は６に記載の包装箱。
【請求項８】
右片部は、左右方向において右第２片部よりも長く形成され、右片部は、右第２片部の左第２片部側の端部位置よりも左右方向において左片部側に突出する第１突状部（５６−１）を有し、
左片部は、左右方向において左第２片部よりも長く形成され、左片部は、左第２片部の右第２片部側の端部位置よりも左右方向において右片部側に突出する第２突状部（６６−１）を有することを特徴とする請求項１又は２又は３又は４又は５又は６又は７に記載の包装箱。
【請求項９】
包装箱であって、
互いに平行な一対の第１辺部と第１辺部と直角な一対の第２辺部とを有する底面部（２１０、３１０）と、
底面部の第１辺部の一方である背面側の辺部から折れ線を介して連設された第１側面部（２１２、３１２）と、
底面部の第１辺部の他方である正面側の辺部から折れ線を介して連設された第２側面部（２１８、３１８）と、
底面部の第２辺部の一方である右側面側の辺部から折れ線を介して連設された第３側面部（２１４、３１４）と、
底面部の第２辺部の他方である左側面側の辺部から折れ線を介して連設された第４側面部（２１６、３１６）と、
第２側面部の底面部側とは反対側の辺部から第１折れ線（Ｃ２１８、Ｃ３１８）を介して連設された正面側上面部（２３０、３３０）と、
第３側面部の正面側の辺部から第２折れ線（Ｃ２５０、Ｃ３５０）を介して連設された正面側右折込み片部で、第３側面部から第２折れ線を介して連設された正面側右第１片部（２５２、３５２）と、第２折れ線の方向に対して傾斜し第２折れ線との距離が第２折れ線の底面部側から反対側に行くほど長くなるように傾斜した第３折れ線（Ｃ２５１、Ｃ３５１）を介して正面側右第１片部から連設された正面側右第２片部（２５４、３５４）とを有し、正面側右折込み片部が第３折れ線を介して二つ折りにされた状態で正面側右第２片部が第２側面部の外側の面に対向する正面側右折込み片部（２５０、３５０）と、
正面側右第２片部から第４折れ線（Ｃ２５６、Ｃ３５６）を介して連設され、正面側上面部の外側の面に接着された正面側右片部（２５６、３５６）と、
第４側面部の正面側の辺部から第５折れ線（Ｃ２６０、Ｃ３６０）を介して連設された正面側左折込み片部で、第４側面部から第５折れ線を介して連設された正面側左第１片部（２６２、３６２）と、第５折れ線の方向に対して傾斜し第５折れ線との距離が第５折れ線の底面部側から反対側に行くほど長くなるように傾斜した第６折れ線（Ｃ２６１、Ｃ３６１）を介して正面側左第１片部から連設された正面側左第２片部（２６４、３６４）とを有し、正面側左折込み片部が第６折れ線を介して二つ折りにされた状態で正面側左第２片部が第２側面部の外側の面に対向する正面側左折込み片部（２６０、３６０）と、
正面側左第２片部から第７折れ線（Ｃ２６６、Ｃ３６６）を介して連設され、正面側上面部の外側の面に接着された正面側左片部（２６６、３６６）と、
第１側面部の底面部側とは反対側の辺部から第８折れ線（Ｃ２１２、Ｃ３１２）を介して連設された背面側上面部（２２０、３２０）と、
第３側面部の背面側の辺部から第９折れ線（Ｃ２７０、Ｃ３７０）を介して連設された背面側右折込み片部で、第３側面部から第９折れ線を介して連設された背面側右第１片部（２７２、３７２）と、第９折れ線の方向に対して傾斜し第９折れ線との距離が第９折れ線の底面部側から反対側に行くほど長くなるように傾斜した第１０折れ線（Ｃ２７１、Ｃ３７１）を介して背面側右第１片部から連設された背面側右第２片部（２７４、３７４）とを有し、背面側右折込み片部が第１０折れ線を介して二つ折りにされた状態で背面側右第２片部が第１側面部の外側の面に対向する背面側右折込み片部（２７０、３７０）と、
背面側右第２片部から第１１折れ線（Ｃ２７６、Ｃ３７６）を介して連設され、背面側上面部の外側の面に接着された背面側右片部（２７６、３７６）と、
第４側面部の背面側の辺部から第１２折れ線（Ｃ２８０、Ｃ３８０）を介して連設された背面側左折込み片部で、第４側面部から第１２折れ線を介して連設された背面側左第１片部（２８２、３８２）と、第１２折れ線の方向に対して傾斜し第１２折れ線との距離が第１２折れ線の底面部側から反対側に行くほど長くなるように傾斜した第１３折れ線（Ｃ２８１、Ｃ３８１）を介して背面側左第１片部から連設された背面側左第２片部（２８４、３８４）とを有し、背面側左折込み片部が第１３折れ線を介して二つ折りにされた状態で背面側左第２片部が第１側面部の外側の面に対向する背面側左折込み片部（２８０、３８０）と、
背面側左第２片部から第１４折れ線（Ｃ２８６、Ｃ３８６）を介して連設され、背面側上面部の外側の面に接着された背面側左片部（２８６、３８６）と、
第３側面部の底面部側とは反対側の辺部から第１５折れ線（Ｃ２４０、Ｃ３４０）を介して連設された右上面フラップ（２４０、３４０）と、
第４側面部の底面部側とは反対側の辺部から第１６折れ線（Ｃ２４２、Ｃ３４２）を介して連設された左上面フラップ（２４２、３４２）と、
を有し、
包装箱は、シート状のブランクにより形成され、
右上面フラップが第３側面部に対して内側に傾斜して起立し、左上面フラップが第４側面部に対して内側に傾斜して起立した状態で、正面側上面部の内側の面が右上面フラップと左上面フラップに接する状態とすることにより、二つ折りにされた正面側右折込み片部が二つ折りに折り曲げられる前の状態に復元しようとして正面側右第１片部と正面側右第２片部間の角度が大きくなるとともに、二つ折りにされた正面側左折込み片部が二つ折りに折り曲げられる前の状態に復元しようとして正面側左第１片部と正面側左第２片部間の角度が大きくなることにより、第２側面部が正面側右第２片部と正面側左第２片部により背面側に付勢され、正面側上面部が、第２側面部が背面側に付勢されることにより背面側に付勢されるとともに、正面側右第２片部に連設された正面側右片部と正面側左第２片部に連設された正面側左片部により背面側に付勢されることにより、正面側上面部の内側の面が右上面フラップと左上面フラップに接した状態が維持され、
右上面フラップが第３側面部に対して内側に傾斜して起立し、左上面フラップが第４側面部に対して内側に傾斜して起立した状態で、背面側上面部の内側の面が右上面フラップと左上面フラップに接する状態とすることにより、二つ折りにされた背面側右折込み片部が二つ折りに折り曲げられる前の状態に復元しようとして背面側右第１片部と背面側右第２片部間の角度が大きくなるとともに、二つ折りにされた背面側左折込み片部が二つ折りに折り曲げられる前の状態に復元しようとして背面側左第１片部と背面側左第２片部間の角度が大きくなることにより、第１側面部が背面側右第２片部と背面側左第２片部により正面側に付勢され、背面側上面部が、第１側面部が正面側に付勢されることにより正面側に付勢されるとともに、背面側右第２片部に連設された背面側右片部と背面側左第２片部に連設された背面側左片部により正面側に付勢されることにより、背面側上面部の内側の面が右上面フラップと左上面フラップに接した状態が維持されることを特徴とする包装箱。
【請求項１０】
正面側右第２片部が第２側面部の外側の面に接着されているとともに、正面側左第２片部が第２側面部の外側の面に接着され、背面側右第２片部が第１側面部の外側の面に接着されているとともに、背面側左第２片部が第１側面部の外側の面に接着され、
第２側面部と正面側右第２片部とは折れ線を介して連設されていないとともに、第２側面部と正面側左第２片部とは折れ線を介して連設されておらず、第１側面部と背面側右第２片部とは折れ線を介して連設されていないとともに、第１側面部と背面側左第２片部とは折れ線を介して連設されていないことを特徴とする請求項９に記載の包装箱。
【請求項１１】
第２折れ線の方向と第３折れ線の方向が略４５度の角度をなし、第３折れ線の方向と第４折れ線の方向が略４５度の角度をなすとともに、第５折れ線の方向と第６折れ線の方向が略４５度の角度をなし、第６折れ線の方向と第７折れ線の方向が略４５度の角度をなし、
第９折れ線の方向と第１０折れ線の方向が略４５度の角度をなし、第１０折れ線の方向と第１１折れ線の方向が略４５度の角度をなすとともに、第１２折れ線の方向と第１３折れ線の方向が略４５度の角度をなし、第１３折れ線の方向と第１４折れ線の方向が略４５度の角度をなすことを特徴とする請求項９又は１０に記載の包装箱。
【請求項１２】
第２側面部を底面部に対して折り畳んだ状態とすることにより、正面側右第１片部の外側の面と正面側左第１片部の外側の面が、第２側面部の外側の面に対向し、第１側面部を底面部に対して折り畳んだ状態とすることにより、背面側右第１片部の外側の面と背面側左第１片部の外側の面が、第１側面部の外側の面に対向し、第３側面部と第４側面部が底面部に対して内側に傾斜して、包装箱が折り畳まれることを特徴とする請求項９又は１０又は１１に記載の包装箱。
【請求項１３】
第３側面部の正面側には折曲げ用の直線状の第１罫線（Ｃ２１４ａ）が設けられ、第３側面部の背面側には折曲げ用の直線状の第２罫線（Ｃ２１４ｂ）が設けられ、第１罫線は、第１罫線の底面部側から右上面フラップ側に行くに従い背面側となるように形成され、第２罫線は、第２罫線の底面部側から右上面フラップ側に行くに従い正面側となるように形成され、
右上面フラップには、直線状の第３罫線（Ｃ２４０ａ）と直線状の第４罫線（Ｃ２４０ｂ）が設けられ、第３罫線は、第１罫線又は第１罫線の延長線と第１５折れ線の接点である第１接点（Ｗ１２）と、第１接点から右上面フラップの先端側の辺部への仮想直線と右上面フラップの先端側の辺部との接点である第２接点（Ｗ１３）の間に、第１接点と第２接点を結ぶ方向に形成され、第４罫線は、第２罫線又は第２罫線の延長線と第１５折れ線の接点である第３接点（Ｗ１５）と、第３接点から右上面フラップの先端側の辺部への仮想直線と右上面フラップの先端側の辺部との接点で第２接点よりも背面側の接点である第４接点（Ｗ１６）の間に、第３接点と第４接点を結ぶ方向に形成され、
第４側面部の正面側には折曲げ用の直線状の第５罫線（Ｃ２１６ａ）が設けられ、第４側面部の背面側には折曲げ用の直線状の第６罫線（Ｃ２１６ｂ）が設けられ、第５罫線は、第５罫線の底面部側から左上面フラップ側に行くに従い背面側となるように形成され、第６罫線は、第６罫線の底面部側から左上面フラップ側に行くに従い正面側となるように形成され、
左上面フラップには、直線状の第７罫線（Ｃ２４２ａ）と直線状の第８罫線（Ｃ２４２ｂ）が設けられ、第７罫線は、第５罫線又は第５罫線の延長線と第１６折れ線の接点である第５接点（Ｗ２２）と、第５接点から左上面フラップの先端側の辺部への仮想直線と左上面フラップの先端側の辺部との接点である第６接点（Ｗ２３）の間に、第５接点と第６接点を結ぶ方向に形成され、第８罫線は、第６罫線又は第６罫線の延長線と第１６折れ線の接点である第７接点（Ｗ２５）と、第７接点から左上面フラップの先端側の辺部への仮想直線と左上面フラップの先端側の辺部との接点で第６接点よりも背面側の接点である第８接点（Ｗ２６）の間に、第７接点と第８接点を結ぶ方向に形成され、
包装箱が折り畳まれた状態において正面側上面部と背面側上面部における上側に配置されている上面部である上側配置上面部の先端を上方に引き上げることにより、上面配置上面部の右側面側の端部が第３側面部に接し、第３側面部の外側の面が第１罫線及び第２罫線を介して山折りとなって第３側面部が折れ曲がるとともに、右上面フラップの外側の面が第３罫線及び第４罫線を介して山折りとなって右上面フラップが折れ曲がり、上面配置上面部の左側面側の端部が第４側面部に接し、第４側面部の外側の面が第１罫線及び第２罫線を介して山折りとなって第４側面部が折れ曲がるとともに、右上面フラップの外側の面が第３罫線及び第４罫線を介して山折りとなって左上面フラップが折れ曲がることを特徴とする請求項１２に記載の包装箱。
【請求項１４】
第１接点と第２接点を結ぶ方向及び第３接点と第４接点を結ぶ方向が、第１５折れ線と直角の方向であり、第５接点と第６接点を結ぶ方向及び第７接点と第８接点を結ぶ方向が、第１６折れ線と直角の方向であることを特徴とする請求項１３に記載の包装箱。
【請求項１５】
正面側右片部は、左右方向において正面側右第２片部よりも長く形成され、正面側右片部は、正面側右第２片部の正面側左第２片部側の端部位置よりも左右方向において正面側左片部側に突出する第１突状部（３５６−１）を有し、
正面側左片部は、左右方向において正面側左第２片部よりも長く形成され、正面側左片部は、正面側左第２片部の正面側右第２片部側の端部位置よりも左右方向において正面側右片部側に突出する第２突状部（３６６−１）を有し、
背面側右片部は、左右方向において背面側右第２片部よりも長く形成され、背面側右片部は、背面側右第２片部の背面側左第２片部側の端部位置よりも左右方向において背面側左片部側に突出する第３突状部（３７６−１）を有し、
背面側左片部は、左右方向において背面側左第２片部よりも長く形成され、背面側左片部は、背面側左第２片部の背面側右第２片部側の端部位置よりも左右方向において背面側右片部側に突出する第４突状部（３８６−１）を有することを特徴とする請求項９又は１０又は１１又は１２又は１３又は１４に記載の包装箱。
【請求項１６】
第２折れ線と第４折れ線と第５折れ線と第７折れ線と第９折れ線と第１１折れ線と第１２折れ線と第１４折れ線が、互いに平行な２本の罫線により構成された二重罫線により形成されていることを特徴とする請求項９又は１０又は１１又は１２又は１３又は１４又は１５に記載の包装箱。
【請求項１７】
底面部と第３側面部間の折れ線（Ｃ１４、Ｃ２１４、Ｃ３１４）と底面部と第４側面部間の折れ線（Ｃ１６、Ｃ２１６、Ｃ３１６）が、互いに平行な２本の罫線により構成された二重罫線により形成されていることを特徴とする請求項１又は２又は３又は４又は５又は６又は７又は８又は９又は１０又は１１又は１２又は１３又は１４又は１５又は１６に記載の包装箱。
【発明の詳細な説明】
【技術分野】
【０００１】
本発明は、包装箱に関するものであり、特に、厚みの薄い被収納物を収納するための包装箱に関するものである。
【背景技術】
【０００２】
出願人は、厚みの薄い被収納物を収納するための包装用容器のブランクとして、特許文献１に記載の意匠登録を行っている。
【０００３】
このブランク１０３は、図３３に示すように構成され、底面部１１０と、底面部１１０の各辺から連設された第１側面部１１２、第２側面部１１４、第３側面部１１６、第４側面部１１８と、第１側面部１１２から連設された第１上面部１２０と、第４側面部１１８から連設された第２上面部１３０と、第１上面部１２０から連設された第１差込み片部１２６と、第２上面部１３０から連設された第２差込み片部１３６、第３差込み片部１３８と、第２側面部１１４から連設された第１上面フラップ１４０と、第３側面部１１６から連設された第２上面フラップ１４２と、第２側面部１１４及び第１上面フラップ１４０から連設された第１折返し片部１５０と、第１折返し片部１５０から連設された糊代部１５２と、第３側面部１１６及び第２上面フラップ１４２から連設された第２折返し片部１６０と、第２折返し片部１６０から連設された糊代部１６２と、第１側面部１１２と第２側面部１１４間に設けられた折込み片部１７０と、第１側面部１１２と第３側面部１１６間に設けられた折込み片部１８０とを有し、糊代部１５２は、折れ線を介して第１糊代部１５２ａと第２糊代部１５２ｂに区画され、糊代部１６２は、折れ線を介して第１糊代部１６２ａと第２糊代部１６２ｂに区画されている。
【０００４】
ブランク１０３は、第１糊代部１５２ａを第２上面部１３０の端部の内側の面に接着し、第２糊代部１５２ｂを第４側面部１１８の端部の内側の面に接着し、第３糊代部１６２ａを第２上面部１３０の端部の内側の面に接着し、第４糊代部１６２ｂを第４側面部１１８の端部の内側の面に接着することにより包装箱１０５が組み立てられる。
【０００５】
そして、包装箱１０５を折り畳んだ状態（図３４参照）から包装時の状態に組み立てるには、第２上面部１３０及び第４側面部１１８を底面部１１０に対して起立させることにより、第２側面部１１４と第３側面部１１６が底面部１１０に対して起立するので、第１上面フラップ１４０を第２側面部１１４に対して内側に折曲し、第２上面フラップ１４２を第３側面部１１６に対して内側に折曲し、その後、図３５に示すように、第１折返し片部１５０を第２折れ線Ｃ１５１を介して第１上面フラップ１４０の上面側に折り返し、第２折返し片部１６０を第４折れ線Ｃ１６１を介して第２上面フラップ１４２の上面側に折り返した状態とする。そして、第２差込み片部１３６を第２被差込み部１１４Ｋに差し込むとともに、第３差込み片部１３８を第３被差込み部１１６Ｋに差し込むことにより、図３６に示すようになる。その後、一対の折込み片部１５０、１６０を内側に折り込んだ状態で、第１側面部１１２を起立させるとともに第１上面部１２０を第１側面部１１２に対して回動させて第１差込み片部１２６を第１被差込み部１３２に差し込むことにより、図３７に示すように、包装時の状態に組み立てられる。包装時の状態から開けるには、切目線Ｋ１２０−１、Ｋ１２０−２を破断することにより、切取り片部１２４を第１上面部１２０から分離する。
【０００６】
また、厚みの薄い被収納物を収納するための包装用紙器として、特許文献２に示すものが存在する。特許文献２の包装用紙器においては、第２側面部３から連設された連結部４が、第１側面部２に接着されている。
【先行技術文献】
【特許文献】
【０００７】
【特許文献１】意匠登録第１５４９４６５号公報
【特許文献２】実公平７−２３３７４号公報
【発明の概要】
【発明が解決しようとする課題】
【０００８】
しかし、特許文献１に示す包装用容器においては、底面部１１０の上方が開いた状態で被収納物を収納しようとすると、図３５に示す状態で被収納物を収納することになるが、糊代部１５２を介して第１折返し片部１５０と第２上面部１３０及び第４側面部１１８が連結され、糊代部１６２を介して第２折返し片部１６０と第２上面部１３０及び第４側面部１１８が連結されているので、第２上面部１３０及び第４側面部１１８が図３５に示すように立ち上がった状態にするために、第２上面部１３０を手で保持していなければならないため、両手で被収納物を底面部１１０に配置する作業を行うことができず、被収納物の収納作業を容易に行なうことができなかった。
【０００９】
つまり、特許文献１の包装用容器では、互いに隣接する側面部（第２側面部と第４側面部、第３側面部と第４側面部）が糊代（糊代部１５２、１６２）を介して連結されているので、被収納物の載置面（底面部１１０）の上方を開放した状態で被収納物を載置しようとすると、隣接する側面部（つまり、２つの隣接する側面部（第２側面部１１４、第３側面部１１６））と連結された側面部（第４側面部１１８）から連設された蓋（第２上面部１３０）を手で保持していなければならない。
【００１０】
また、特許文献２に記載の包装用紙器においても、連結部４と第１側面部２とが接着されているので、外面フラップ５が十分外側に開いた状態とはならず、外面フラップ５が第１の側面部に対して内側に（つまり、閉じる方向に）傾くおそれがあるため、外面フラップ５の一方を片手で外側に開いた状態とし、被収納物を持つ手で他方の外面フラップ５が内側に閉じないように外面フラップ５を押さえながら収納する必要がある。
【００１１】
つまり、特許文献２の包装用紙器では、隣接する側面部（第１の側面部と第２の側面部）が糊代（連結部４）を介して連結されているので、被収納物の載置面（底面部１）の上方を開放した状態で被収納物を載置しようとすると、隣接する側面部（内面フラップ６）と連結された側面部（第２の側面部）から連設された蓋（外面フラップ５）を手で保持していなければならない。
【００１２】
そこで、本発明は、厚みの薄い被収納物を収納するための包装箱で、隣接する側面部が糊代部で連結されている包装箱において、隣接する側面部と連結された側面部から連設された蓋を手で保持していなくても、側面部から連設された底面部の上方を開放した状態で底面部に被収納物を載置することができる包装箱を提供することを目的とするものである。
【課題を解決するための手段】
【００１３】
本発明は上記問題点を解決するために創作されたものであって、第１には、包装箱であって、互いに平行な一対の第１辺部と第１辺部と直角な一対の第２辺部とを有する底面部（１０）と、底面部の第１辺部の一方である背面側の辺部から折れ線を介して連設された第１側面部（１２）と、底面部の第１辺部の他方である正面側の辺部から折れ線を介して連設された第２側面部（１８）と、底面部の第２辺部の一方である右側面側の辺部から折れ線を介して連設された第３側面部（１４）と、底面部の第２辺部の他方である左側面側の辺部から折れ線を介して連設された第４側面部（１６）と、第２側面部の底面部側とは反対側の辺部から第１折れ線（Ｃ１８）を介して連設された上面部（３０）と、第３側面部の底面部側とは反対側の辺部から折れ線を介して連設された右上面フラップ（４０）と、第４側面部の底面部側とは反対側の辺部から折れ線を介して連設された左上面フラップ（４２）と、第３側面部の正面側（第２側面部側としてもよい）の辺部から第２折れ線（Ｃ５０）を介して連設された右折込み片部で、第３側面部から第２折れ線（Ｃ５０）を介して連設された右第１片部（５２）と、第２折れ線の方向に対して傾斜し第２折れ線との距離が第２折れ線の底面部側から反対側に行くほど長くなるように傾斜した第３折れ線（Ｃ５１）を介して右第１片部から連設された右第２片部（５４）とを有し、右折込み片部が第３折れ線を介して二つ折りにされた状態で右第２片部が第２側面部の外側の面に対向する右折込み片部（５０）と、右第２片部から第４折れ線（第１折れ線と平行な第４折れ線としてもよい）（Ｃ５６）を介して連設され、上面部の外側の面に接着された右片部（５６）と、第４側面部の正面側（第２側面部側としてもよい）の辺部から第５折れ線（Ｃ６０）を介して連設された左折込み片部で、第４側面部から第５折れ線（Ｃ６０）を介して連設された左第１片部（６２）と、第５折れ線の方向に対して傾斜し第５折れ線との距離が第５折れ線の底面部側から反対側に行くほど長くなるように傾斜した第６折れ線（Ｃ６１）を介して左第１片部から連設された左第２片部（６４）とを有し、左折込み片部が第６折れ線を介して二つ折りにされた状態で左第２片部が第２側面部の外側の面に対向する左折込み片部（６０）と、左第２片部から第７折れ線（第１折れ線と平行な第７折れ線としてもよい）（Ｃ６６）を介して連設され、上面部の外側の面に接着された左片部（６６）と、を有し、包装箱は、シート状のブランクにより形成され、右上面フラップが第３側面部に対して内側に傾斜して起立し、左上面フラップが第４側面部に対して内側に傾斜して起立した状態で、上面部の内側の面が右上面フラップと左上面フラップに接する状態とすることにより、二つ折りにされた右折込み片部が二つ折りに折り曲げられる前の状態に復元しようとして右第１片部と右第２片部間の角度が大きくなるとともに、二つ折りにされた左折込み片部が二つ折りに折り曲げられる前の状態に復元しようとして左第１片部と左第２片部間の角度が大きくなることにより、第２側面部が右第２片部と左第２片部により背面側に付勢され、上面部が、第２側面部が背面側に付勢されることにより背面側に付勢されるとともに、右第２片部に連設された右片部と左第２片部に連設された左片部により背面側に付勢されることにより、上面部の内側の面が右上面フラップと左上面フラップ（「右上面フラップの正面側の辺部と左上面フラップの正面側の辺部」としてもよい）に接した状態が維持されることを特徴とする。
【００１４】
第１の構成の包装箱によれば、右折込み片部と右片部と左折込み片部と左片部とが設けられているので、上面部と右上面フラップと左上面フラップが起立した状態を維持して、底面部の上方を開放した状態とできるので、上面部や右上面フラップや左上面フラップを手で保持していなくても、底面部に被収納物を載置することができる。
【００１５】
また、第２には、上記第１の構成において、右第２片部が第２側面部の外側の面に接着されているとともに、左第２片部が第２側面部の外側の面に接着され、第２側面部と右第２片部とは折れ線を介して連設されていないとともに、第２側面部と左第２片部とは折れ線を介して連設されていないことを特徴とする。
【００１６】
よって、第２側面部の高さ方向の幅が小さくても、右第２片部と第２側面部１８との接着や左第２片部と第２側面部の接着が剥がれてしまうおそれがない。
【００１７】
なお、第２の構成を以下の構成としてもよい。すなわち、「上記第１の構成において、右第２片部が第２側面部の外側の面に接着されているとともに、左第２片部が第２側面部の外側の面に接着され、第２側面部と右第２片部とは折れ線を介して連設されていないとともに、第２側面部と左第２片部とは折れ線を介して連設されておらず、包装箱の展開状態において、右第２片部と第２側面部の右側面側の端部との間には、隙間が設けられるか、あるいは、右第２片部と第２側面部の右側面側の端部とが当接し、左第２片部と第２側面部の左側面側の端部との間には、隙間が設けられるか、あるいは、左第２片部と第２側面部の左側面側の端部とが当接していることを特徴とする。」としてもよい。
【００１８】
また、第３には、上記第１又は第２の構成において、第２折れ線の方向と第３折れ線の方向が略４５度の角度をなし、第３折れ線の方向と第４折れ線の方向が略４５度の角度をなすとともに、第５折れ線の方向と第６折れ線の方向が略４５度の角度をなし、第６折れ線の方向と第７折れ線の方向が略４５度の角度をなすことを特徴とする。なお、該第３の構成において、「略４５度」を「４５度」としてもよい。
【００１９】
また、第４には、上記第１から第３までのいずれかの構成において、第２側面部を底面部に対して折り畳んだ状態とすることにより、右第１片部の外側の面と左第１片部の外側の面が、第２側面部の外側の面に対向し、第３側面部と第４側面部が底面部に対して内側に傾斜して、包装箱が折り畳まれることを特徴とする。
【００２０】
よって、包装箱を扁平状に折り畳むことができ、また、包装箱が折り畳まれた状態において、第３側面部及び第４側面部と底面部間の折れ線に対して、第３側面部及び第４側面部が底面部に対して内側に傾斜した状態となるように折り癖が設けられるので、上面部を起立させて第３側面部と第４側面部が底面部に対して起立する際に、第３側面部と第４側面部が内側に傾斜した状態となり、右上面フラップと左上面フラップを上面部の内側の面に接しやすくすることができる。
【００２１】
また、第５には、上記第１から第４までのいずれかの構成において、第１側面部の底面部側とは反対側の辺部から折れ線を介して第２上面部（２０）が連設され、上面部と第２上面部の一方の先端に差込み片部が設けられ、上面部と第２上面部の他方に差込み片部を差し込むための被差込み部が設けられていることを特徴とする。
【００２２】
また、第６には、上記第１から第５までのいずれかの構成において、上面部を分割するための切目線又は第２上面部を分割するための切目線が設けられていることを特徴とする。
【００２３】
また、第７には、上記第１から第６までのいずれかの構成において、第２折れ線と第４折れ線と第５折れ線と第７折れ線が、互いに平行な２本の罫線により構成された二重罫線により形成されていることを特徴とする。
【００２４】
なお、上記第１から第７のいずれかの構成において、底面部と第３側面部間の折れ線（Ｃ１４）と底面部と第４側面部間の折れ線（Ｃ１６）が、互いに平行な２本の罫線により構成された二重罫線により形成されていることを特徴とするものとしてもよい。
【００２５】
また、第８には、上記第１から第７までのいずれかの構成において、右片部は、左右方向において右第２片部よりも長く形成され、右片部は、右第２片部の左第２片部側の端部位置よりも左右方向において左片部側に突出する第１突状部（５６−１）を有し、左片部は、左右方向において左第２片部よりも長く形成され、左片部は、左第２片部の右第２片部側の端部位置よりも左右方向において右片部側に突出する第２突状部（６６−１）を有することを特徴とする。よって、右片部及び左片部が上面部を左右方向に広い範囲で押すことができて、右片部及び左片部が上面部を押しやすくすることができる。
【００２６】
また、第９には、包装箱であって、互いに平行な一対の第１辺部と第１辺部と直角な一対の第２辺部とを有する底面部（２１０、３１０）と、底面部の第１辺部の一方である背面側の辺部から折れ線を介して連設された第１側面部（２１２、３１２）と、底面部の第１辺部の他方である正面側の辺部から折れ線を介して連設された第２側面部（２１８、３１８）と、底面部の第２辺部の一方である右側面側の辺部から折れ線を介して連設された第３側面部（２１４、３１４）と、底面部の第２辺部の他方である左側面側の辺部から折れ線を介して連設された第４側面部（２１６、３１６）と、第２側面部の底面部側とは反対側の辺部から第１折れ線（Ｃ２１８、Ｃ３１８）を介して連設された正面側上面部（２３０、３３０）と、第３側面部の正面側（第２側面部側としてもよい）の辺部から第２折れ線（Ｃ２５０、Ｃ３５０）を介して連設された正面側右折込み片部で、第３側面部から第２折れ線を介して連設された正面側右第１片部（２５２、３５２）と、第２折れ線の方向に対して傾斜し第２折れ線との距離が第２折れ線の底面部側から反対側に行くほど長くなるように傾斜した第３折れ線（Ｃ２５１、Ｃ３５１）を介して正面側右第１片部から連設された正面側右第２片部（２５４、３５４）とを有し、正面側右折込み片部が第３折れ線を介して二つ折りにされた状態で正面側右第２片部が第２側面部の外側の面に対向する正面側右折込み片部（２５０、３５０）と、正面側右第２片部から第４折れ線（第１折れ線と平行な第４折れ線としてもよい）（Ｃ２５６、Ｃ３５６）を介して連設され、正面側上面部の外側の面に接着された正面側右片部（２５６、３５６）と、第４側面部の正面側（第２側面部側としてもよい）の辺部から第５折れ線（Ｃ２６０、Ｃ３６０）を介して連設された正面側左折込み片部で、第４側面部から第５折れ線を介して連設された正面側左第１片部（２６２、３６２）と、第５折れ線の方向に対して傾斜し第５折れ線との距離が第５折れ線の底面部側から反対側に行くほど長くなるように傾斜した第６折れ線（Ｃ２６１、Ｃ３６１）を介して正面側左第１片部から連設された正面側左第２片部（２６４、３６４）とを有し、正面側左折込み片部が第６折れ線を介して二つ折りにされた状態で正面側左第２片部が第２側面部の外側の面に対向する正面側左折込み片部（２６０、３６０）と、正面側左第２片部から第７折れ線（第１折れ線と平行な第７折れ線としてもよい）（Ｃ２６６、Ｃ３６６）を介して連設され、正面側上面部の外側の面に接着された正面側左片部（２６６、３６６）と、第１側面部の底面部側とは反対側の辺部から第８折れ線（Ｃ２１２、Ｃ３１２）を介して連設された背面側上面部（２２０、３２０）と、第３側面部の背面側（第１側面部側としてもよい）の辺部から第９折れ線（Ｃ２７０、Ｃ３７０）を介して連設された背面側右折込み片部で、第３側面部から第９折れ線を介して連設された背面側右第１片部（２７２、３７２）と、第９折れ線の方向に対して傾斜し第９折れ線との距離が第９折れ線の底面部側から反対側に行くほど長くなるように傾斜した第１０折れ線（Ｃ２７１、Ｃ３７１）を介して背面側右第１片部から連設された背面側右第２片部（２７４、３７４）とを有し、背面側右折込み片部が第１０折れ線を介して二つ折りにされた状態で背面側右第２片部が第１側面部の外側の面に対向する背面側右折込み片部（２７０、３７０）と、背面側右第２片部から第１１折れ線（第８折れ線と平行な第１１折れ線としてもよい）（Ｃ２７６、Ｃ３７６）を介して連設され、背面側上面部の外側の面に接着された背面側右片部（２７６、３７６）と、第４側面部の背面側（第１側面部側としてもよい）の辺部から第１２折れ線（Ｃ２８０、Ｃ３８０）を介して連設された背面側左折込み片部で、第４側面部から第１２折れ線を介して連設された背面側左第１片部（２８２、３８２）と、第１２折れ線の方向に対して傾斜し第１２折れ線との距離が第１２折れ線の底面部側から反対側に行くほど長くなるように傾斜した第１３折れ線（Ｃ２８１、Ｃ３８１）を介して背面側左第１片部から連設された背面側左第２片部（２８４、３８４）とを有し、背面側左折込み片部が第１３折れ線を介して二つ折りにされた状態で背面側左第２片部が第１側面部の外側の面に対向する背面側左折込み片部（２８０、３８０）と、背面側左第２片部から第１４折れ線（第８折れ線と平行な第１４折れ線としてもよい）（Ｃ２８６、Ｃ３８６）を介して連設され、背面側上面部の外側の面に接着された背面側左片部（２８６、３８６）と、第３側面部の底面部側とは反対側の辺部から第１５折れ線（Ｃ２４０、Ｃ３４０）を介して連設された右上面フラップ（２４０、３４０）と、第４側面部の底面部側とは反対側の辺部から第１６折れ線（Ｃ２４２、Ｃ３４２）を介して連設された左上面フラップ（２４２、３４２）と、を有し、包装箱は、シート状のブランクにより形成され、右上面フラップが第３側面部に対して内側に傾斜して起立し、左上面フラップが第４側面部に対して内側に傾斜して起立した状態で、正面側上面部の内側の面が右上面フラップと左上面フラップに接する状態とすることにより、二つ折りにされた正面側右折込み片部が二つ折りに折り曲げられる前の状態に復元しようとして正面側右第１片部と正面側右第２片部間の角度が大きくなるとともに、二つ折りにされた正面側左折込み片部が二つ折りに折り曲げられる前の状態に復元しようとして正面側左第１片部と正面側左第２片部間の角度が大きくなることにより、第２側面部が正面側右第２片部と正面側左第２片部により背面側に付勢され、正面側上面部が、第２側面部が背面側に付勢されることにより背面側に付勢されるとともに、正面側右第２片部に連設された正面側右片部と正面側左第２片部に連設された正面側左片部により背面側に付勢されることにより、正面側上面部の内側の面が右上面フラップと左上面フラップ（「右上面フラップの正面側の辺部と左上面フラップの正面側の辺部」としてもよい）に接した状態が維持され、右上面フラップが第３側面部に対して内側に傾斜して起立し、左上面フラップが第４側面部に対して内側に傾斜して起立した状態で、背面側上面部の内側の面が右上面フラップと左上面フラップに接する状態とすることにより、二つ折りにされた背面側右折込み片部が二つ折りに折り曲げられる前の状態に復元しようとして背面側右第１片部と背面側右第２片部間の角度が大きくなるとともに、二つ折りにされた背面側左折込み片部が二つ折りに折り曲げられる前の状態に復元しようとして背面側左第１片部と背面側左第２片部間の角度が大きくなることにより、第１側面部が背面側右第２片部と背面側左第２片部により正面側に付勢され、背面側上面部が、第１側面部が正面側に付勢されることにより正面側に付勢されるとともに、背面側右第２片部に連設された背面側右片部と背面側左第２片部に連設された背面側左片部により正面側に付勢されることにより、背面側上面部の内側の面が右上面フラップと左上面フラップ（「右上面フラップの背面側の辺部と左上面フラップの背面側の辺部」としてもよい）に接した状態が維持されることを特徴とする。
【００２７】
第９の構成の包装箱によれば、正面側右折込み片部と正面側右片部と正面側左折込み片部と右片部とが設けられているので、正面側上面部と右上面フラップと左上面フラップが起立した状態を維持するとともに、背面側右折込み片部と背面側右片部と背面側左折込み片部と背面側左片部とが設けられているので、背面側上面部と右上面フラップと左上面フラップが起立した状態を維持して、底面部の上方を開放した状態とできるので、上面部や右上面フラップや左上面フラップを手で保持していなくても、底面部に被収納物を載置することができる。
【００２８】
また、第１０には、上記第９の構成において、正面側右第２片部が第２側面部の外側の面に接着されているとともに、正面側左第２片部が第２側面部の外側の面に接着され、背面側右第２片部が第１側面部の外側の面に接着されているとともに、背面側左第２片部が第１側面部の外側の面に接着され、第２側面部と正面側右第２片部とは折れ線を介して連設されていないとともに、第２側面部と正面側左第２片部とは折れ線を介して連設されておらず、第１側面部と背面側右第２片部とは折れ線を介して連設されていないとともに、第１側面部と背面側左第２片部とは折れ線を介して連設されていないことを特徴とする。
【００２９】
よって、第１側面部及び第２側面部の高さ方向の幅が小さくても、背面側右第２片部と第１側面部との接着や、背面側左第２片部と第１側面部と接着や、右第２片部と第２側面部との接着や、及び左第２片部と第２側面部との接着が剥がれてしまうおそれがない。
【００３０】
なお、第１０の構成を以下の構成としてもよい。すなわち、「上記第９の構成において、正面側右第２片部が第２側面部の外側の面に接着されているとともに、正面側左第２片部が第２側面部の外側の面に接着され、背面側右第２片部が第１側面部の外側の面に接着されているとともに、背面側左第２片部が第１側面部の外側の面に接着され、第２側面部と正面側右第２片部とは折れ線を介して連設されていないとともに、第２側面部と正面側左第２片部とは折れ線を介して連設されておらず、包装箱の展開状態において、正面側右第２片部と第２側面部の右側面側の端部との間には、隙間が設けられるか、あるいは、正面側右第２片部と第２側面部の右側面側の端部とが当接し、正面側左第２片部と第２側面部の左側面側の端部との間には、隙間が設けられるか、あるいは、正面側左第２片部と第２側面部の左側面側の端部とが当接し、第１側面部と背面側右第２片部とは折れ線を介して連設されていないとともに、第１側面部と背面側左第２片部とは折れ線を介して連設されておらず、包装箱の展開状態において、背面側右第２片部と第１側面部の右側面側の端部との間には、隙間が設けられるか、あるいは、背面側右第２片部と第１側面部の右側面側の端部とが当接し、背面側左第２片部と第１側面部の左側面側の端部との間には、隙間が設けられるか、あるいは、背面側左第２片部と第１側面部の左側面側の端部とが当接していることを特徴とする。」としてもよい。
【００３１】
また、第１１には、上記第９又は第１０の構成において、第２折れ線の方向と第３折れ線の方向が略４５度の角度をなし、第３折れ線の方向と第４折れ線の方向が略４５度の角度をすとともに、第５折れ線の方向と第６折れ線の方向が略４５度の角度をなし、第６折れ線の方向と第７折れ線の方向が略４５度の角度をなし、第９折れ線の方向と第１０折れ線の方向が略４５度の角度をなし、第１０折れ線の方向と第１１折れ線の方向が略４５度の角度をすとともに、第１２折れ線の方向と第１３折れ線の方向が略４５度の角度をなし、第１３折れ線の方向と第１４折れ線の方向が略４５度の角度をなすことを特徴とする。なお、該第１０の構成において、「略４５度」を「４５度」としてもよい。
【００３２】
また、第１２には、上記第９から第１１までのいずれかの構成において、第２側面部を底面部に対して折り畳んだ状態とすることにより、正面側右第１片部の外側の面と正面側左第１片部の外側の面が、第２側面部の外側の面に対向し、第１側面部を底面部に対して折り畳んだ状態とすることにより、背面側右第１片部の外側の面と背面側左第１片部の外側の面が、第１側面部の外側の面に対向し、第３側面部と第４側面部が底面部に対して内側に傾斜して、包装箱が折り畳まれることを特徴とする。
【００３３】
よって、包装箱を扁平状に折り畳むことができ、また、包装箱が折り畳まれた状態において、第３側面部及び第４側面部と底面部間の折れ線に対して、第３側面部及び第４側面部が底面部に対して内側に傾斜した状態となるように折り癖が設けられるので、正面側上面部と背面側上面部を起立させて第３側面部と第４側面部が底面部に対して起立する際に、第３側面部と第４側面部が内側に傾斜した状態となり、右上面フラップと左上面フラップを正面側上面部及び背面側上面部の内側の面に接しやすくすることができる。
【００３４】
また、第１３には、上記第１２の構成において、第３側面部の正面側には折曲げ用の直線状の第１罫線（Ｃ２１４ａ）が設けられ、第３側面部の背面側には折曲げ用の直線状の第２罫線（Ｃ２１４ｂ）が設けられ、第１罫線は、第１罫線の底面部側から右上面フラップ側に行くに従い背面側となるように形成され、第２罫線は、第２罫線の底面部側から右上面フラップ側に行くに従い正面側となるように形成され、右上面フラップには、直線状の第３罫線（Ｃ２４０ａ）と直線状の第４罫線（Ｃ２４０ｂ）が設けられ、第３罫線は、第１罫線又は第１罫線の延長線と第１５折れ線の接点である第１接点（Ｗ１２）と、第１接点から右上面フラップの先端側の辺部への仮想直線と右上面フラップの先端側の辺部との接点である第２接点（Ｗ１３）の間に、第１接点と第２接点を結ぶ方向に形成され、第４罫線は、第２罫線又は第２罫線の延長線と第１５折れ線の接点である第３接点（Ｗ１５）と、第３接点から右上面フラップの先端側の辺部への仮想直線と右上面フラップの先端側の辺部との接点で第２接点よりも背面側の接点である第４接点（Ｗ１６）の間に、第３接点と第４接点を結ぶ方向に形成され、第４側面部の正面側には折曲げ用の直線状の第５罫線（Ｃ２１６ａ）が設けられ、第４側面部の背面側には折曲げ用の直線状の第６罫線（Ｃ２１６ｂ）が設けられ、第５罫線は、第５罫線の底面部側から左上面フラップ側に行くに従い背面側となるように形成され、第６罫線は、第６罫線の底面部側から左上面フラップ側に行くに従い正面側となるように形成され、左上面フラップには、直線状の第７罫線（Ｃ２４２ａ）と直線状の第８罫線（Ｃ２４２ｂ）が設けられ、第７罫線は、第５罫線又は第５罫線の延長線と第１６折れ線の接点である第５接点（Ｗ２２）と、第５接点から左上面フラップの先端側の辺部への仮想直線と左上面フラップの先端側の辺部との接点である第６接点（Ｗ２３）の間に、第５接点と第６接点を結ぶ方向に形成され、第８罫線は、第６罫線又は第６罫線の延長線と第１６折れ線の接点である第７接点（Ｗ２５）と、第７接点から左上面フラップの先端側の辺部への仮想直線と左上面フラップの先端側の辺部との接点で第６接点よりも背面側の接点である第８接点（Ｗ２６）の間に、第７接点と第８接点を結ぶ方向に形成され、包装箱が折り畳まれた状態において正面側上面部と背面側上面部における上側に配置されている上面部である上側配置上面部の先端を上方に引き上げることにより、上面配置上面部の右側面側の端部が第３側面部に接し、第３側面部の外側の面が第１罫線及び第２罫線を介して山折りとなって第３側面部が折れ曲がるとともに、右上面フラップの外側の面が第３罫線及び第４罫線を介して山折りとなって右上面フラップが折れ曲がり、上面配置上面部の左側面側の端部が第４側面部に接し、第４側面部の外側の面が第１罫線及び第２罫線を介して山折りとなって第４側面部が折れ曲がるとともに、右上面フラップの外側の面が第３罫線及び第４罫線を介して山折りとなって左上面フラップが折れ曲がることを特徴とする。
【００３５】
よって、上側配置上面部の先端を上方に引き上げることにより、第３側面部と右上面フラップが折れ曲がり、第４側面部と左上面フラップが折れ曲がるので、上側配置上面部を引き上げる際に、第３側面部と右上面フラップと第４側面部と左上面フラップが邪魔になることがない。
【００３６】
また、第１４には、上記第１３の構成において、第１接点と第２接点を結ぶ方向及び第３接点と第４接点を結ぶ方向が、第１５折れ線と直角の方向であり、第５接点と第６接点を結ぶ方向及び第７接点と第８接点を結ぶ方向が、第１６折れ線と直角の方向であることを特徴とする。
【００３７】
また、第１５には、上記第９から第１４までのいずれかの構成において、正面側右片部は、左右方向において正面側右第２片部よりも長く形成され、正面側右片部は、正面側右第２片部の正面側左第２片部側の端部位置よりも左右方向において正面側左片部側に突出する第１突状部（３５６−１）を有し、正面側左片部は、左右方向において正面側左第２片部よりも長く形成され、正面側左片部は、正面側左第２片部の正面側右第２片部側の端部位置よりも左右方向において正面側右片部側に突出する第２突状部（３６６−１）を有し、背面側右片部は、左右方向において背面側右第２片部よりも長く形成され、背面側右片部は、背面側右第２片部の背面側左第２片部側の端部位置よりも左右方向において背面側左片部側に突出する第３突状部（３７６−１）を有し、背面側左片部は、左右方向において背面側左第２片部よりも長く形成され、背面側左片部は、背面側左第２片部の背面側右第２片部側の端部位置よりも左右方向において背面側右片部側に突出する第４突状部（３８６−１）を有することを特徴とする。
【００３８】
よって、正面側右片部及び正面側左片部が正面側上面部を左右方向に広い範囲で押すことができて、正面側右片部及び正面側左片部が正面側上面部を押しやすくすることができ、また、背面側右片部及び背面側左片部が背面側上面部を左右方向に広い範囲で押すことができて、背面側右片部及び背面側左片部が背面側上面部を押しやすくすることができる。
【００３９】
また、第１６には、上記第９から第１５までのいずれかの構成において、第２折れ線と第４折れ線と第５折れ線と第７折れ線と第９折れ線と第１１折れ線と第１２折れ線と第１４折れ線が、互いに平行な２本の罫線により構成された二重罫線により形成されていることを特徴とする。
【００４０】
また、第１７には、上記第１から第１６までのいずれかの構成において、底面部と第３側面部間の折れ線（Ｃ１４、Ｃ２１４、Ｃ３１４）と底面部と第４側面部間の折れ線（Ｃ１６、Ｃ２１６、Ｃ３１６）が、互いに平行な２本の罫線により構成された二重罫線により形成されていることを特徴とする。
【発明の効果】
【００４１】
本発明に基づく包装箱によれば、右折込み片部と右片部と左折込み片部と右片部とが設けられているので、上面部と右上面フラップと左上面フラップが起立した状態を維持して、底面部の上方を開放した状態とできるので、上面部や右上面フラップや左上面フラップを手で保持していなくても、底面部に被収納物を載置することができる。
【図面の簡単な説明】
【００４２】
【図１】実施例１の包装箱を折り畳んだ状態を示す前方斜視図である。
【図２】実施例１の包装箱の展開図である。
【図３】図２の要部拡大図である。
【図４】図２の要部拡大図である。
【図５】実施例１における包装箱の組立て工程を示す前方斜視図である。
【図６】実施例１における上面部と上面フラップとが起立した起立維持状態を示す前方斜視図である。
【図７】実施例１における上面部と上面フラップとが起立した起立維持状態を示す後方斜視図である。
【図８】実施例１における包装箱の組立て工程を示す前方斜視図である。
【図９】実施例１における包装箱を組み立てて閉状態とされた状態を示す前方斜視図である。
【図１０】実施例１における切目線を破断した状態を示す前方斜視図である。
【図１１】実施例１における包装箱の他の例を示す要部拡大図である。
【図１２】実施例１における包装箱の他の例を示す要部拡大図である。
【図１３】実施例２の包装箱を折り畳んだ状態を示す前方斜視図である。
【図１４】実施例２の包装箱の展開図である。
【図１５】図１４の要部拡大図である。
【図１６】図１４の要部拡大図である。
【図１７】図１４の要部拡大図である。
【図１８】図１４の要部拡大図である。
【図１９】実施例２における包装箱の組立て工程を示す前方斜視図である。
【図２０】実施例２における上面部と上面フラップとが起立した起立維持状態を示す前方斜視図である。
【図２１】実施例２における包装箱を組み立てて閉状態とされた状態を示す前方斜視図である。
【図２２】実施例３の包装箱を折り畳んだ状態を示す前方斜視図である。
【図２３】実施例３の包装箱の展開図である。
【図２４】図２３の要部拡大図である。
【図２５】図２３の要部拡大図である。
【図２６】図２３の要部拡大図である。
【図２７】図２３の要部拡大図である。
【図２８】図２３の要部拡大図である。
【図２９】図２３の要部拡大図である。
【図３０】実施例３における包装箱の組立て工程を示す前方斜視図である。
【図３１】実施例３における上面部と上面フラップとが起立した起立維持状態を示す前方斜視図である。
【図３２】実施例３における包装箱を組み立てて閉状態とされた状態を示す前方斜視図である。
【図３３】従来における包装用容器のブランクを示す展開図である。
【図３４】従来における包装用容器のブランクを折り畳んだ状態を示す平面図である。
【図３５】従来における包装用容器の使用状態を示す斜視図である。
【図３６】従来における包装用容器の使用状態を示す斜視図である。
【図３７】従来における包装用容器の使用状態を示す斜視図である。
【発明を実施するための形態】
【００４３】
本発明においては、厚みの薄い被収納物を収納するための包装箱で、隣接する側面部が糊代部で連結されている包装箱において、隣接する側面部と連結された側面部から連設された蓋を手で保持していなくても、側面部から連設された底面部に被収納物を載置することができる包装箱を提供するという目的を以下のようにして実現した。
【実施例１】
【００４４】
実施例１の包装箱５は、図１〜図４に示すように構成され、方形状（具体的には、長方形状）の底面部１０と、底面部１０の背面側の辺部から折れ線Ｃ１０を介して連設された側面部（第１側面部）１２と、底面部１０の右側面側の辺部から折れ線Ｃ１４を介して連設された側面部（第３側面部）１４と、底面部１０の左側面側の辺部から折れ線Ｃ１６を介して連設された側面部（第４側面部）１６と、底面部１０の正面側の辺部から折れ線Ｃ１１を介して連設された側面部（第２側面部）１８と、側面部１２の底面部１０側とは反対側の辺部から折れ線Ｃ１２を介して連設された上面部（第２上面部）２０と、側面部１８から折れ線（第１折れ線）Ｃ１８を介して連設された上面部３０と、上面部２０から折れ線Ｃ２６−１、Ｃ２６−２を介して連設された差込み片部２６と、側面部１４の底面部１０側とは反対側の辺部から折れ線Ｃ４０を介して連設された上面フラップ（右上面フラップ）４０と、側面部１６の底面部１０側とは反対側の辺部から折れ線Ｃ４２を介して連設された上面フラップ（左上面フラップ）４２と、側面部１４の正面側の辺部から折れ線を介して連設された折込み片部（右折込み片部）５０と、折込み片部５０から折れ線を介して連設された片部（右片部）５６と、側面部１６の正面側の辺部から折れ線を介して連設された折込み片部（左折込み片部）６０と、折込み片部６０から折れ線を介して連設された片部（左片部）６６と、側面部１４の背面側の辺部から折れ線を介して連設された側面フラップ７０と、側面部１６の背面側の辺部から折れ線を介して連設された側面フラップ８０とを有している。この包装箱５は、主として、メール便等の運送用に用いる箱体である。包装箱５は、全体に１枚のシート状のブランク（具体的には、段ボール製（例えば、薄型段ボール製）のブランクであり、厚紙製のブランク等の他の紙製のブランクでもよい）により形成されている。つまり、包装箱５は、段ボール材（特に、両面段ボール材）等の紙製の包装箱である。段ボールにおける断面略波形形状の中芯の段の方向は、図２における円内に示す方向となっていて、折れ線Ｃ１２、Ｃ１８とは直角となっている（なお、段ボールにおける中芯の段の方向はこれには限られない）。
【００４５】
ここで、底面部１０は、互いに平行な一対の辺部（第１辺部）１０ａ、１０ｄと、辺部１０ａ、１０ｄに直角な一対の辺部（第２辺部）１０ｂ、１０ｃを有している。
【００４６】
また、側面部１２は、略細長長方形状を呈し、厳密には、側面部１２の上辺の左右両側の端部には、横長台形形状の切欠部Ｋ１２−１、Ｋ１２−２が設けられ、包装箱５を組み立てた際に、上面フラップ４０の突状部４０−１が該切欠部Ｋ１２−１に係合し、上面フラップ４２の突状部４２−１が該切欠部Ｋ１２−２に係合するようになっている。また、側面部１２の上端の切込みＫ２０−３の位置においては、凹状の切込みＫ２０−３が形成されることにより、窪んで形成されている（つまり、凹状に形成されている）。
【００４７】
また、側面部１４、１６、１８は、ともに細長長方形状を呈し、側面部１２、１４、１６、１８における高さ方向の幅は、略同一（同一としてもよい）となっていて、厳密には、包装箱５の組立て時に上面部２０、３０が上面フラップ４０、４２の上側となるため、側面部１２、１８の高さ方向の幅（側面部１２では、最大幅）は、側面部１４、１６の高さ方向の幅よりも若干長く形成されている。包装箱５は、厚みの薄い被収納物を収納するための包装箱であるので、側面部１２〜１８の高さ方向の幅は小さく形成されている。側面部１４、１６、１８は長方形状であるので、折れ線Ｃ１４と折れ線Ｃ５０は直角をなし、折れ線Ｃ１４と折れ線Ｃ４０は平行であり、折れ線Ｃ１６と折れ線Ｃ６０は直角をなし、折れ線Ｃ１６と折れ線Ｃ４２は平行であり、辺部１０ｄと折れ線Ｃ１８は平行となっている。
【００４８】
また、側面部１２、１８の左右方向の長さは、底面部１０の左右方向の長さと略同一となっていて（厳密には、底面部１０の左右方向の長さよりも若干短く形成されている）、側面部１４、１６の前後方向の長さは、底面部１０の前後方向の長さと同一（略同一としてもよい）となっている。
【００４９】
なお、側面部１４と底面部１０間の折れ線Ｃ１４は、互いに平行な二重（つまり、２本）の罫線（二重（つまり、２本）の折れ線としてもよい）により形成され、側面部１６と底面部１０間の折れ線Ｃ１６は、互いに平行な二重の罫線（二重の折れ線としてもよい）により形成されている。なお、これらの折れ線を二重の罫線の代わりに１本の罫線（つまり、１本の折れ線）により形成してもよい。なお、１本の罫線とする場合に、段ボールにおいて通常用いる丸罫を用いるほか、角罫を用いることにより帯状の罫線としてもよい。
【００５０】
また、上面部（第２上面部）２０は、略長方形状を呈し、長方形状における側面部１２側とは反対側の領域における左右両側が斜めに欠切された形状を有している。上面部２０の左右方向の長さは、側面部１２の左右方向の長さと同一となっている。
【００５１】
この上面部２０には、切目線Ｋ２０−１と切目線Ｋ２０−２が形成されている。切目線Ｋ２０−１は、上面部２０の右辺と上面部２０と側面部１２間の折れ線Ｃ１２の間に該折れ線Ｃ１２に対して斜めに形成され、切目線Ｋ２０−２は、上面部２０の左辺と折れ線Ｃ１２の間に折れ線Ｃ１２に対して斜めに形成されている。つまり、切目線Ｋ２０−１と切目線Ｋ２０−２はテーパ状に形成されている。また、上面部２０の背面側の端部における切目線Ｋ２０−１と切目線２０−２間の領域には、背面側に突出した突状部２０−１（図２、図９参照）が設けられている。この突状部２０−１は、包装箱５の展開状態において、略凹状の切込みを形成することにより設けられている。切目線Ｋ２０−１と切目線Ｋ２０−２が上面部２０を分割するための切目線となる。上面部２０は、切目線Ｋ２０−１、Ｋ２０−２を破断することにより、基端側領域２２−１、２２−２と先端側領域２４とに分割される。
【００５２】
また、差込み片部２６は、上面部２０から折れ線Ｃ２６−１、Ｃ２６−２を介して連設された差込み片部本体２７と、差込み片部本体２７の左右両側から突出して形成された突状部２８、２９とを有し、全体に略矢印の形状を呈している。突状部２８と上面部２０の先端側の辺部（側面部１２側とは反対側の辺部）間には隙間Ｓ２８が形成され、突状部２９と上面部２０の先端側の辺部（側面部１２側とは反対側の辺部）間には隙間Ｓ２９が形成されている。
【００５３】
なお、差込み片部２６と上面部２０の境界位置には、略コ字状の切込みＫ２６が形成され、切込みＫ２６の左右両側の端部から折れ線Ｃ２６−１、Ｃ２６−２が形成されている。
【００５４】
また、上面部３０は、長方形状の外形を呈し、その左右方向の長さは、底面部１０の左右方向の長さと同一（略同一としてもよい）に形成され、側面部１８の左右方向の長さよりも若干大きく形成されている。
【００５５】
この上面部３０には、差込み片部２６を差し込むための被差込み部３２が設けられ、被差込み部３２は、横長の開口部３３と、開口部３３の右端（厳密には、右側面側で側面部１８側の角部）から形成された切込みＫ３４−１、Ｋ３４−２と、開口部３３の左端（厳密には、左側面側で側面部１８側の角部）から形成された切込みＫ３４−３、Ｋ３４−４とを有している。
【００５６】
開口部３３は、左右方向に帯状を呈し、差込み片部２６を挿通しやすいように、長手方向の辺部における折れ線Ｃ１８側とは反対側の辺部３３ｂにおいて、中央の範囲が折れ線Ｃ１８側と反対側に膨出して、両側の端部領域よりも開口部３３の幅が幅広に形成されている。
【００５７】
切込みＫ３４−１は、開口部３３の側面部１８側の辺部３３ａ（辺部３３ａは、上面部３０と側面部１８間の折れ線Ｃ１８と平行に形成されている）の右側面側の延長線に対して側面部１８側に傾斜した直線状の切込みであり、切込みＫ３４−２は、該角部から折れ線Ｃ１８に対して直角の方向に形成されている。また、切込みＫ３４−３は、開口部３３の側面部１８側の辺部３３ａの左側面側の延長線に対して側面部１８側に傾斜した直線状の切込みであり、切込みＫ３４−４は、該角部から折れ線Ｃ１８に対して直角の方向に形成されている。切込みＫ３４−１〜Ｋ３４−４は、差込み片部２６が挿通しやすいように形成されている。開口部３３の左右方向の長さは、差込み片部本体２７の左右方向の長さと略同一で、差込み片部２６の左右方向の長さよりも小さく形成されている。また、差込み片部２６を被差込み部３２に差し込んだ状態では、切込みＫ３４−１、Ｋ３４−３が折れ線Ｃ１８側に傾斜しているのに対して、差込み片部２６の突状部２８、２９の上面部２０側の辺部２８ａ、２９ａは、折れ線Ｃ１８側とは反対側に傾斜していることから、被差込み部３２に差し込んだ差込み片部２６が被差込み部３２から抜けないようになっている。
【００５８】
また、上面フラップ４０、４２は、先端側の角部が円弧状に形成された略長方形状を呈し、背面側の辺部における側面部１４、１６側の位置には、略台形形状の突状部４０−１、４２−１が設けられている。
【００５９】
また、折込み片部５０は、側面部１４の正面側の辺部から折れ線（第２折れ線）Ｃ５０を介して連設されている。
【００６０】
折込み片部５０の展開状態では、略方形状に形成され、具体的には、図３に示すように、側面部１４の正面側の辺部に沿った直線状の辺部５０ａと、辺部５０ａ（辺部５０ａの端部（底面部１０側とは反対側の端部））から連設され、辺部５０ａに対して直角の直線状の辺部５０ｂと、辺部５０ｂの端部から連設され、辺部５０ｂに対して直角の直線状の辺部５０ｃと、辺部５０ｃの端部から連設され、辺部５０ｃに対して鈍角をなす直線状の辺部５０ｄと、辺部５０ｄの端部から連設され、辺部５０ｄの方向に対して鈍角をなす直線状の辺部５０ｅと、辺部５０ｅの端部から連設され、辺部５０ｅの方向に対して１８０度よりも大きい角度に形成され、辺部５０ａの端部まで形成された直線状の辺部５０ｆとにより囲まれた形状を呈している。折込み片部５０は、折れ線（第３折れ線）Ｃ５１を介して二つ折りとなっていて、折れ線Ｃ５１を介して側面部１４側の第１片部（右第１片部）５２と片部５６側の第２片部（右第２片部）５４とに区画されている。折れ線Ｃ５１は、辺部５０ｂと辺部５０ｃ間の角部と辺部５０ｅと辺部５０ｆ間の角部とを結ぶ直線状に形成されている。なお、折れ線Ｃ５１の延長線上に辺部５０ｆが形成されていて、折れ線Ｃ５１と辺部５０ｂ間の角度α１１は、４５度（略４５度としてもよい）になっており、これにより、第１片部５２は、直角二等辺三角形となっており、辺部５０ｃは、辺部５０ａと平行になっている。
【００６１】
この折れ線Ｃ５１は、折れ線Ｃ５０の方向に対して傾斜し折れ線Ｃ５０との距離（つまり、折れ線Ｃ５０までの垂線の長さ）（折れ線Ｃ５０までの長さとしてもよい）が折れ線Ｃ５０の底面部１０側から反対側（つまり、折れ線Ｃ５０の上端側）に行くほど長くなるように傾斜している。
【００６２】
なお、折れ線Ｃ５０は、互いに平行な二重の罫線（二重の折れ線としてもよい）により形成されていて、辺部５０ａは、折れ線Ｃ５０における折込み片部５０側の罫線（折れ線としてもよい）と一致し、側面部１４の正面側の辺部は、折れ線Ｃ５０における側面部１４側の罫線（折れ線としてもよい）と一致する。
【００６３】
なお、包装箱５の展開状態において、折込み片部５０と側面部１４と側面部１８に囲まれた切欠部Ｋ５０は、図３に示すように、辺部５０ｄと、辺部５０ｅと、辺部５０ｆと、辺部５０ｆの延長線上に形成され、折れ線Ｃ５０の２本の罫線間の領域の端部をなすとともに、折れ線Ｃ１４の２本の罫線間の領域の端部をなす辺部５８ａと、底面部１０の角部を微細に面取りする辺部５８ｂと、側面部１８の右側面側の辺部５８ｃとにより形成されている。
【００６４】
また、片部５６は、折れ線（第４折れ線）Ｃ５６を介して連設され、略方形状を呈している。つまり、片部５６は、折込み片部５０の辺部５０ｃに沿った直線状の辺部５６ａと、辺部５６ａの端部（包装箱５の組立て状態における内側の端部）から連設され、辺部５６ａに対して鈍角をなす直線状の辺部５６ｂと、辺部５６ｂの端部から連設され、略円弧状の辺部５６ｃと、辺部５６ｃの端部から連設され、辺部５６ａの方向に対して直角方向をなす直線状の辺部５６ｄと、辺部５６ｄの端部から連設され、略円弧状の辺部５６ｅと、辺部５６ｅの端部から連設され、辺部５６ａと平行な直線状の辺部５６ｆと、辺部５６ｆの端部から連設され、略円弧状の辺部５６ｇと、辺部５６ｇの端部から連設され、辺部５６ａの端部にまで形成された直線状の辺部５６ｈとにより囲まれた形状を呈している。なお、辺部５６ｈは、辺部５０ｄの延長線上に形成されている。包装箱５の展開状態において、折れ線Ｃ５６は、折れ線Ｃ５０と平行に形成されている。
【００６５】
片部５６は、折れ線Ｃ５６の方向（左右方向）において、第２片部５４よりも長く形成されていて（つまり、片部５６の折れ線Ｃ５６の方向における最大長さは、第２片部５４の折れ線Ｃ５６の方向における最大長さよりも長く形成されている）、具体的には、片部５６の辺部５６ｄと辺部５６ａの辺部５６ｂとは反対側の端部との間の折れ線Ｃ５６の方向における長さＬ５６は、辺部５０ｃの辺部５０ｂ側の端部と辺部５０ｄと辺部５０ｅの接点との間の折れ線Ｃ５６の方向における長さＬ５４よりも長く形成されている。これにより、包装箱５の組立て状態において、片部５６は、第２片部５４の第２片部６４側の端部位置よりも左右方向において片部６６側に突出する突状部（第１突状部）５６−１を有している。つまり、突状部５６−１は、片部５６において、辺部５６ａの辺部５６ｂ側の端部から辺部５６ａと直角な仮想直線５６Ｊよりも片部６６側に突出した領域である。
【００６６】
なお、折れ線Ｃ５６は、互いに平行な二重の罫線（二重の折れ線としてもよい）により形成されていて、辺部５６ａは、折れ線Ｃ５６における片部５６側の罫線（折れ線としてもよい）と一致し、折込み片部５０の片部５６側の辺部は、折れ線Ｃ５６における折込み片部５０側の罫線（折れ線としてもよい）と一致する。なお、折れ線Ｃ５１と辺部５０ｃ間の角度α１２は、α１１と同一（略同一としてもよい）となっている。
【００６７】
なお、角度α１１と角度α１２は同一であり、第１片部５２は直角三角形であるので、折れ線Ｃ５０と折れ線Ｃ５１間の角度α１３と折れ線Ｃ５６と折れ線Ｃ５１間の角度α１２の和は、９０度となる。つまり、角度α１１が４５度（略４５度としてもよい）であるとすると、角度α１２及び角度α１３も４５度（略４５度としてもよい）となる。
【００６８】
なお、包装箱５の組立て状態において、折れ線Ｃ５０は包装箱５の内側から見て谷折りとなるが、折れ線Ｃ５０を谷折りとした場合には、折れ線Ｃ５１は、谷折りとなり、折れ線Ｃ５６は、山折りとなる。また、第２片部５４は、側面部１８の外側の面の右側面側の端部領域に接着され（つまり、第２片部５４（厳密には、第２片部５４における第１片部５２の外側の面（該第１片部５２の外側の面は、側面部１４の外側の面から連なっている）から連なる面）が側面部１８の外側の面の右側面側の端部領域に対向した状態で接着されている）、片部５６（厳密には、片部５６における第２片部５４の接着面から連なる面）は、上面部３０の外側の面の右側面側で側面部１８側の端部領域に接着されている。なお、第２片部５４における全ての領域が側面部１８に接着され、片部５６における全ての領域が上面部３０に接着されている。つまり、突状部５６−１の領域も上面部３０に接着されている。第２片部５４の領域の一部が側面部１８に接着された構成としてもよく、片部５６の領域の一部が上面部３０に接着された構成としてもよい。この場合、突状部５６−１の領域の少なくとも一部が上面部３０に接着されているのが好ましい。なお、第１片部５２と第２片部５４は、接着されていない。第２片部５４が側面部１８に接着し、片部５６が上面部３０に接着された状態では、折れ線Ｃ５６は、折れ線Ｃ１８と平行で折れ線Ｃ１８に沿った状態であり、折れ線Ｃ５６の２本の罫線が折れ線Ｃ１８を介して両側に位置する。
【００６９】
また、第２片部５４と側面部１８は折れ線を介して連設されておらず（つまり、第２片部５４と側面部１８の右側面側の端部とは連結されていない）、包装箱５の展開状態において、第２片部５４と側面部１８の右側面側の端部の間には、隙間ＳＰ１が設けられている。
【００７０】
また、折込み片部６０は、側面部１６の正面側の辺部から折れ線（第５折れ線）Ｃ６０を介して連設されている。包装箱５の展開状態において、折込み片部６０は、折込み片部５０と左右線対称に形成されている。
【００７１】
つまり、折込み片部６０の展開状態では、折込み片部６０は、略方形状に形成され、具体的には、図４に示すように、辺部６０ａ〜辺部６０ｆにより囲まれた形状を呈している。辺部６０ａ〜６０ｆは、辺部５０ａ〜５０ｆにおける各辺部と左右線対称に形成されている。
【００７２】
また、折込み片部６０は、折れ線（第６折れ線）Ｃ６１を介して二つ折りとなっていて、折れ線Ｃ６１を介して側面部１６側の第１片部（左第１片部）６２と片部（左第２片部）６６側の第２片部６４とに区画されている。折れ線Ｃ６１は、辺部６０ｂと辺部６０ｃ間の角部と辺部６０ｅと辺部６０ｆ間の角部とを結ぶ直線状に形成されている。なお、折れ線Ｃ６１の延長線上に辺部６０ｆが形成されていて、折れ線Ｃ６１と辺部６０ｂ間の角度α２１は、４５度（略４５度としてもよい）になっており、これにより、第１片部６２は、直角二等辺三角形となっており、辺部６０ｃは、辺部６０ａと平行になっている。
【００７３】
この折れ線Ｃ６１は、折れ線Ｃ６０の方向に対して傾斜し折れ線Ｃ６０との距離（つまり、折れ線Ｃ６０までの垂線の長さ）（折れ線Ｃ６０までの長さとしてもよい）が折れ線Ｃ６０の底面部１０側から反対側（つまり、折れ線Ｃ６０の上端側）に行くほど長くなるように傾斜している。
【００７４】
なお、折れ線Ｃ６０は、互いに平行な二重の罫線（二重の折れ線としてもよい）により形成されていて、辺部６０ａは、折れ線Ｃ６０における折込み片部６０側の罫線（折れ線としてもよい）と一致し、側面部１６の正面側の辺部は、折れ線Ｃ６０における側面部１６側の罫線（折れ線としてもよい）と一致する。
【００７５】
また、片部６６は、折れ線（第７折れ線）Ｃ６６を介して連設され、略方形状を呈している。つまり、片部６６は、辺部６６ａ〜辺部６６ｈにより囲まれた形状を呈している。片部６６は、包装箱５の展開状態において、前後方向の中心線を介して、片部５６と左右線対称に形成され、辺部６６ａ〜６６ｈは、辺部５６ａ〜５６ｈにおける各辺部と左右線対称に形成されている。なお、辺部６６ｈは、辺部６０ｄの延長線上に形成されている。包装箱５の展開状態において、折れ線Ｃ６６は、折れ線Ｃ６０と平行に形成されている。
【００７６】
片部６６は、折れ線Ｃ６６の方向（左右方向）において、第２片部６４よりも長く形成されていて（つまり、片部６６の折れ線Ｃ６６の方向における最大長さは、第２片部６４の折れ線Ｃ６６の方向における最大長さよりも長く形成されている）、具体的には、片部６６の辺部６６ｄと辺部６６ａの辺部６６ｂとは反対側の端部との間の折れ線Ｃ６６の方向における長さＬ６６は、辺部６０ｃの辺部６０ｂ側の端部と辺部６０ｄと辺部６０ｅの接点との間の折れ線Ｃ６６の方向における長さＬ６４よりも長く形成されている。これにより、包装箱５の組立て状態において、片部６６は、第２片部６４の第２片部５４側の端部位置よりも左右方向において片部５６側に突出する突状部（第２突状部）６６−１を有している。つまり、突状部６６−１は、片部６６において、辺部６６ａの辺部６６ｂ側の端部から辺部６６ａと直角な仮想直線６６Ｊよりも片部５６側に突出した領域である。
【００７７】
なお、折れ線Ｃ６６は、互いに平行な二重の罫線（二重の折れ線としてもよい）により形成されていて、辺部６６ａは、折れ線Ｃ６６における片部６６側の罫線（折れ線としてもよい）と一致し、折込み片部６０の片部６６側の辺部は、折れ線Ｃ６６における折込み片部６０側の罫線（折れ線としてもよい）と一致する。なお、折れ線Ｃ６１と辺部６０ｃ間の角度α２２は、α２１と同一（略同一としてもよい）となっている。
【００７８】
なお、角度α２１と角度α２２は同一であり、第１片部６２は直角三角形であるので、折れ線Ｃ６０と折れ線Ｃ６１間の角度α２３と折れ線Ｃ６６と折れ線Ｃ６１間の角度α２２の和は、９０度となる。つまり、角度α２１が４５度（略４５度としてもよい）であるとすると、角度α２２及び角度α２３も４５度（略４５度としてもよい）となる。
【００７９】
なお、包装箱５の組立て状態において、折れ線Ｃ６０は包装箱５の内側から見て谷折りとなるが、折れ線Ｃ６０を谷折りとした場合には、折れ線Ｃ６１は、谷折りとなり、折れ線Ｃ６６は、山折りとなる。また、第２片部６４は、側面部１８の外側の面の左側面側の端部領域に接着され（つまり、第２片部６４（厳密には、第２片部６４における第１片部６２の外側の面（該第１片部６２の外側の面は、側面部１６の外側の面から連なっている）から連なる面）が側面部１８の外側の面の左側面側の端部領域に対向した状態で接着されている）、片部６６（厳密には、片部６６における第２片部６４の接着面から連なる面）は、上面部３０の外側の面の左側面側で側面部１８側の端部領域に接着されている。なお、第２片部６４における全ての領域が側面部１８に接着され、片部６６における全ての領域が上面部３０に接着されている。つまり、突状部６６−１の領域も上面部３０に接着されている。第２片部６４の領域の一部が側面部１８に接着された構成としてもよく、片部６６の領域の一部が上面部３０に接着された構成としてもよい。この場合、突状部６６−１の領域の少なくとも一部が上面部３０に接着されているのが好ましい。なお、第１片部６２と第２片部６４は、接着されていない。第２片部６４が側面部１８に接着し、片部６６が上面部３０に接着された状態では、折れ線Ｃ６６は、折れ線Ｃ１８と平行で折れ線Ｃ１８に沿った状態であり、折れ線Ｃ６６の２本の罫線が折れ線Ｃ１８を介して両側に位置する。
【００８０】
また、第２片部６４と側面部１８は折れ線を介して連設されておらず（つまり、第２片部６４と側面部１８の左側面側の端部とは連結されていない）、包装箱５の展開状態において、第２片部６４と側面部１８の左側面側の端部の間には、隙間ＳＰ２が設けられている。
【００８１】
なお、折れ線Ｃ５０、Ｃ５６、Ｃ６０、Ｃ６６は、二重の罫線により形成されているとしたが、１本の罫線（つまり、１本の折れ線）により形成してもよい。なお、１本の罫線とする場合に、段ボールにおいて通常用いる丸罫を用いるほか、角罫を用いることにより帯状の罫線としてもよい。なお、上記で説明した罫線以外にも各折れ線に沿って罫線が設けられている。
【００８２】
また、側面フラップ７０と側面フラップ８０は、略長方形状を呈している。なお、包装箱５は、その展開状態において、図２に示すように、左右線対称に形成されている。
【００８３】
包装箱５の製造に際しては、展開状態の包装箱５に対して、折込み片部５０を側面部１４に対して折り返した状態で、第２片部５４と片部５６に接着剤を塗布して側面部１４を底面部１０側に折り返し、折込み片部６０を側面部１６に対して折り返した状態で、第２片部６４と片部６６に接着剤を塗布して側面部１６を底面部１０側に折り返すことにより、第２片部５４、６４が側面部１８に接着し、片部５６、６６が上面部３０に接着する。
【００８４】
包装箱５を扁平状に畳んだ状態は、図１に示すようになり、側面部１８を底面部１０に対して折り畳んだ状態とすることにより、第１片部５２、６２の外側の面が、側面部１８の外側の面に対向し、側面部１４、１６が底面部１０に対して内側に傾斜して、包装箱が折り畳まれた状態となる。図１の状態では、第１片部５２、６２と第２片部５４、６４間の角度が大きくなって折込み片部５０、６０が略平板状となるので、側面部１４、１６と上面フラップ４０、４２が上面部３０に接した状態とでき、扁平状に折り畳むことができる。
【００８５】
図１に示すように包装箱５を折り畳んだ状態から組立て状態にするには、側面部１８と上面部３０を、図５に示すように、起立した状態にしていく（つまり、上面部３０を手でつかんで起立させていく）と、図５に示すように、上面部３０の両側の辺部が上面フラップ４０、４２の内側の面と接した状態となる。つまり、側面部１８が底面部１０に対して傾斜した状態では、第１片部５２は側面部１４に対して傾斜した状態であり、そうすると、第１片部５２の傾斜に応じて側面部１４の正面側の部分も内側に傾斜しており、また、第１片部６２は側面部１６に対して傾斜した状態であり、そうすると、第１片部６２の傾斜に応じて側面部１６の正面側の部分も内側に傾斜しているので、上面フラップ４０、４２も内側に傾斜し、上面フラップ４０、４２が上面部３０に接することになる。
【００８６】
なお、上面フラップ４０、４２を外側に開くことにより、折込み片部５０、６０が折れ曲がって側面部１８と上面部３０が傾斜した状態となるので、側面部１８と上面部３０が傾斜した状態で上面フラップ４０、４２を上面部３０に接した状態とし、その後に、上面部３０の先端をさらに上方に引き上げて図５に示す状態としてもよい。
【００８７】
そして、側面部１８及び上面部３０が底面部１０に対して直角となるように起立させると、上面部３０の両側の辺部が上面フラップ４０、４２の内側の面と接した状態が解除され、上面フラップ４０、４２は、若干内側に傾斜した状態となる。つまり、包装箱５が折り畳まれた状態では、側面部１４、１６は底面部１０側に折り曲げられているため、折れ線Ｃ１４、Ｃ１６は側面部１４、１６が内側に折曲するように折り癖がついており、さらに、側面部１４は折込み片部５０と連設され、側面部１６は折込み片部６０と連設されていて、側面部１４、１６の底面部１０との角度が直角よりも大きくなることはないので、結果として、上面部３０の両側の辺部が上面フラップ４０、４２の内側の面と接した状態が解除されると、側面部１４が底面部１０に対して内側に若干傾斜し、側面部１４が傾斜することにより上面フラップ４０も内側に傾斜し、また、側面部１６が底面部１０に対して内側に若干傾斜し、側面部１６が傾斜することにより上面フラップ４２も内側に傾斜する。なお、側面部１８が底面部１０に対して直角になると、側面部１４、１６は折込み片部５０、６０を介して側面部１８と連結されている関係で、側面部１４、１６の正面側の端部領域は底面部１０に対して略直角になるが、該端部領域以外の領域は、折り癖により内側に傾斜する。これにより、上面フラップ４０は、底面部１０に対する直角方向の仮想面に対して内側に傾斜して起立し、上面フラップ４２は、底面部１０に対する直角方向の仮想面に対して内側に傾斜して起立した状態となり、上面部３０が背面側に付勢された際に上面フラップ４０、４２に接しやすくすることができる。
【００８８】
そして、上面部３０を起立させていた手を離すと、上面部３０は、折込み片部５０の第２片部５４が側面部１８の外側の面に接着され、片部５６が上面部３０の外側の面に接着されているとともに、折込み片部６０の第２片部６４が側面部１８の外側の面に接着され、片部６６が上面部３０の外側の面に接着されていて、二つ折りにされていた折込み片部５０、６０における第１片部５２と第２片部５４間の角度と第１片部６２と第２片部６４間の角度が自然に大きくなろうとする（つまり、折込み片部５０、６０が二つ折りに折り曲げられる前の状態に復元しようとする）ので、第２片部５４が折れ線Ｃ５１を介して背面側に回動し、第２片部６４が折れ線Ｃ６１を介して背面側に回動し、これにより、側面部１８は、第２片部５４、６４により背面側に押されて（つまり、付勢されて）、側面部１８が背面側に押されるので上面部３０も背面側に押される（つまり、付勢される）。また、上面部３０は、第２片部５４、６４が背面側に回動するので、第２片部５４に連設された片部５６と第２片部６４に連設された片部６６によっても背面側に押される（つまり、付勢される）。
【００８９】
すると、上面フラップ４０、４２が内側に傾斜して起立しているので、上面部３０の内側の面が上面フラップ４０、４２の正面側の辺部に接して、上面部３０が上面フラップ４０、４２を押すことになるので、上面部３０が上面フラップ４０、４２を押した状態が維持され、上面フラップ４０、４２を上面部３０により押される状態で起立させておくことにより、図６、図７に示すように、上面部３０と上面フラップ４０、４２が起立した状態が維持され（この状態を起立維持状態とする）、底面部１０の上方が開放された状態となる。
【００９０】
なお、上面部３０の両側の辺部が上面フラップ４０、４２の内側の面と接した状態が解除された際に、上面フラップ４０、４２が底面部１０に対して略直角になった場合には、上面フラップ４０、４２をやや内側に傾斜させた状態で、上面部３０が上面フラップ４０、４２に接するようにすれば、上面部３０と上面フラップ４０、４２が起立した状態が維持される。
【００９１】
起立維持状態では、包装箱５が底面部１０の上方が開放された状態で維持されるので、この状態で、被収納物を収納する。なお、上記のように、包装箱５が底面部１０の上方が開放された状態で維持されるので、上面部３０や上面フラップ４０、４２を手で押さえておく必要はない。
【００９２】
そして、被収納物を収納したら、上面フラップ４０を側面部１４に対して内側に回動させるとともに、上面フラップ４２を側面部１６に対して内側に回動させることにより、図８に示すように、上面部３０を側面部１８に対して内側に回動させることができ、上面フラップ４０、４２の上面に上面部３０が接した状態になったら、差込み片部２６を被差込み部３２に差し込んで、図９に示すように、包装箱５を閉状態とする。包装箱５に被収納物を収納した状態で閉状態としたら、宛先に運送する。なお、図９に示す状態が包装箱５の組立て状態であるが、図７、図８に示す状態も組立て状態としてもよい。
【００９３】
そして、宛先において、包装箱５を開状態にするには、切目線Ｋ２０−１、Ｋ２０−２を破断する。切目線Ｋ２０−１、Ｋ２０−２を破断するには、突状部２０−１をつかんで上方に引っ張ればよく、切目線Ｋ２０−１、Ｋ２０−２を破断した状態は、図１０に示すようになる。
【００９４】
以上のように、本実施例の包装箱５によれば、折込み片部５０、６０と片部５６、６６が設けられているので、上面部３０と上面フラップ４０、４２が起立した状態を維持して、底面部１０の上方を開放した状態とでき、被収納物を収納する際に、上面部３０や上面フラップ４０、４２を手で保持しておく必要がなく、両手を用いて被収納物を底面部に載置して包装箱に収納することができる。
【００９５】
つまり、隣接する側面部（側面部１８と側面部１４、側面部１８と側面部１６）が糊代部（第２片部５４、６４）で連結されている包装箱において、隣接する側面部（つまり、２つの隣接する側面部）と連結された側面部１８から連設された蓋（上面部３０）を手で保持していなくても、側面部から連設された底面部１０の上方を開放した状態で底面部１０に被収納物を載置することができる。
【００９６】
特に、第２片部５４、６４が側面部１８に接着されているのみならず、片部５６が第２片部５４から連設され、片部６６が第２片部６４から連設されて、片部５６、６６が上面部３０に接着されているので、片部５６、６６によっても上面部３０を内側（つまり、上面フラップ４０、４２側）に押すことができる。つまり、第２片部５４、６４が側面部１８を内側に押すことにより、側面部１８から連設された上面部３０が内側に押されるとともに、片部５６、６６が上面部３０を押すことにより、上面部３０が内側に押されるようにすることができる。
【００９７】
また、片部５６、６６は、左右方向において、第２片部５４、６４よりも長く形成され、突状部５６−１、６６−１が設けられているので、片部５６、６６が上面部３０を左右方向に広い範囲で押すことができて、片部５６、６６が上面部３０を押しやすくすることができる。特に、この実施例１では、側面部１２〜１８の高さ方向の幅は小さく形成されていることから、必然的に第２片部５４、６４の面積が小さく、第２片部５４、６４が側面部１８を押す力が小さいが、片部５６、６６は、左右方向において、第２片部５４、６４よりも長く形成され、突状部５６−１、６６−１が設けられているので、第２片部５４、６４が側面部３１８を押す力が弱い点を補うことができる。つまり、片部５６、６６の左右方向の長さを長くして、突状部５６−１、６６−１を設けることは、側面部１２〜１８の高さ方向の幅は小さく形成されている場合に有効といえる。
【００９８】
また、第２片部５４、６４は、側面部１８と折れ線を介して連設された構成ではないので、第２片部５４と側面部１８との接着や第２片部６４と側面部１８の接着が剥がれてしまうおそれがない。つまり、包装箱５が厚みの薄い被収納物を収納するためのものであり、側面部１８の高さ方向の幅が小さいため、必然的に第２片部５４、６４の大きさも小さくなり、接着領域も小さくなることから、仮に、第２片部５４、６４が側面部１８と折れ線を介して連設された構成とすると、第２片部５４、６４と側面部１８とが折れ線を介して折り返された状態となり、折れ線を介した第２片部５４、６４と側面部１８とが折り返される前の状態に戻ろうとする力により、第２片部５４、６４と側面部１８との接着が剥がれてしまうおそれがあるが、本実施例においては、第２片部５４、６４と側面部１８とが分離された構成であるので、第２片部５４、６４と側面部１８との接着が剥がれるおそれが小さくなる。
【００９９】
なお、第２片部５４が側面部１８に接着され、第２片部６４が側面部１８に接着されているとしたが、第２片部５４が側面部１８に接着されておらず、第２片部６４が側面部１８に接着されていなくてもよい。その場合でも、片部５６が上面部３０に接着されているので第２片部５４が側面部１８の外側の面と対向し、片部６６が上面部３０に接着されているので第２片部６４が側面部１８の外側の面と対向し、折込み片部５０、６０が二つ折りに折り曲げる前の状態に戻ろうとして第２片部５４、６４が側面部１８を押すことになる（つまり、側面部１８が付勢される）。このように第２片部５４、６４を接着しない方法は、側面部１８の高さ方向の幅が小さく第２片部５４、６４の面積が小さいことにより、第２片部５４、６４に接着剤を塗布するのが困難な場合に有効といえる。また、接着剤を塗布する手間を少なくできる。
【０１００】
また、折れ線Ｃ１４、Ｃ１６、Ｃ５０、Ｃ５６、Ｃ６０、Ｃ６６は、二重の罫線により形成されているので、折れ線を介した折曲げを確実にすることができる。
【０１０１】
なお、上記の説明において、上面部２０の先端（側面部１２側とは反対側の端部）から差込み片部２６が連設され、上面部３０に被差込み部３２が設けられているとしたが、差込み片部２６が上面部３０の先端（側面部１８側とは反対側の端部）から連設され、上面部２０に被差込み部３２が設けられた構成としてもよい。
【０１０２】
また、上記の説明において、上面部２０に切目線Ｋ２０−１、Ｋ２０−２をテーパ状に形成するものとしたが、他の構成でもよく、上面部２０の左端から右端まで帯状のジッパーを形成して、このジッパーの両側に設けられた切目線を破断することにより、上面部２０が分離するようにしてもよい。ジッパーを形成する切目線が、上面部２０を分割するための切目線となる。
【０１０３】
また、切目線Ｋ２０−１、Ｋ２０−２は上面部２０に設けられているとしたが、上面部３０に設けてもよい。その場合には、切目線は、例えば、上面部３０の右辺と折れ線Ｃ１８の間に設けるとともに、上面部３０の左辺と折れ線Ｃ１８の間に設けることになる。また、その場合でも、上面部２０の左端から右端まで帯状のジッパーを形成する構成としてもよい。
【０１０４】
また、上記の説明においては、上面部２０と上面部３０が設けられ、差込み片部２６を被差込み部３２に差し込む構成であるとしたが、上面部２０の構成を省略するとともに、上面部３０の先端にフラップを設けて、該フラップを側面部１２の内側に差し込んで包装箱を閉じる構成としてもよい。
【０１０５】
なお、折れ線Ｃ１４と折れ線Ｃ５０は直角をなし、折れ線Ｃ１６と折れ線Ｃ６０は直角をなすとしたが、必ずしも直角でなくてもよい。ただし、図６、図７の状態で被収納物を収納しやすくするとともに、側面部１８や上面部３０が内側に押されやすくするには、直角とするのが好ましい。
【０１０６】
また、上記の説明において、角度α１１、α１２、α２１、α２２は、４５度であるとしたが、４５度には限られず、４５度よりも大きくてもよく、また、４５度よりも小さくてもよく、折れ線Ｃ５１の折れ線Ｃ５０との距離が折れ線Ｃ５０の上端側に行くほど長くなるように傾斜していればよく、折れ線Ｃ６１の折れ線Ｃ６０との距離が折れ線Ｃ６０の上端側に行くほど長くなるように傾斜していればよい。つまり、例えば、折込み片部５０及び片部５６について例に示すと、図１１に示すように、角度α１１、α１２が４５度よりも大きくてもよく（角度α１１’と角度α１２’は同一（略同一としてもよい）である）、また、図１２に示すように、角度α１１、α１２が４５度よりも小さくてもよい（角度α１１’’と角度α１２’’は同一（略同一としてもよい）である）。
【０１０７】
なお、図１１、図１２の場合にも、角度α１１と角度α１２は同一であり、第１片部５２は直角三角形であるので、折れ線Ｃ５０と折れ線Ｃ５１間の角度α１３と折れ線Ｃ５６と折れ線Ｃ５１間の角度α１２の和は、９０度となる。
【０１０８】
ただし、図１１の場合のように、角度を４５度よりも大きくすると、第１片部５２と第２片部５４の面積が小さくなってしまうので、第２片部５４と側面部１８との接着強度が弱くなるという問題があり、また、図１２の場合のように、角度を４５度よりも小さくすると、第１片部５２や第２片部５４の面積を大きくできるものの、包装箱５の展開状態において、第２片部５４や片部５６が側面部１８や上面部３０の領域と重なってしまうおそれがあり、よって、第２片部５４、６４の面積を確保しつつ、展開状態において、側面部１８や上面部３０の領域と重ならないようにするには、角度α１１、α１２、α２１、α２２は４５度（略４５度としてもよい）とするのが好ましい。
【０１０９】
なお、図１１及び図１２の場合にも、第２片部５４と側面部１８は折れ線を介して連設されておらず、図１１の場合には、第２片部５４と側面部１８の右側面側の端部の間には、隙間ＳＰ１が設けられ、図１２の場合には、第２片部５４と側面部１８の右側面側の端部の間には隙間は設けられていないが、第２片部５４と側面部１８の右側面側の端部とが当接した構成となっている。つまり、第２片部５４と側面部１８の右側面側の端部との間には、隙間が設けられるか、あるいは、第２片部５４と側面部１８の右側面側の端部とが当接していればよく、また、第２片部６４と側面部１８の左側面側の端部との間には、隙間が設けられるか、あるいは、第２片部６４と側面部１８の左側面側の端部とが当接していればよい。
【実施例２】
【０１１０】
次に、実施例２の包装箱について説明する。実施例２の包装箱５−２は、図１３〜図１８に示すように構成され、方形状（具体的には、長方形状）の底面部２１０と、底面部２１０の背面側の辺部から折れ線Ｃ２１０を介して連設された側面部（第１側面部）２１２と、底面部２１０の右側面側の辺部から折れ線Ｃ２１４を介して連設された側面部（第３側面部）２１４と、底面部２１０の左側面側の辺部から折れ線Ｃ２１６を介して連設された側面部（第４側面部）２１６と、底面部２１０の正面側の辺部から折れ線Ｃ２１１を介して連設された側面部（第２側面部）２１８と、側面部２１２の底面部２１０側とは反対側の辺部から折れ線（第８折れ線）Ｃ２１２を介して連設された上面部（背面側上面部）２２０と、側面部２１８から折れ線（第１折れ線）Ｃ２１８を介して連設された上面部（正面側上面部）２３０と、側面部２１４の底面部２１０側とは反対側の辺部から折れ線（第１５折れ線）Ｃ２４０を介して連設された上面フラップ（右上面フラップ）２４０と、側面部２１６の底面部２１０側とは反対側の辺部から折れ線（第１６折れ線）Ｃ２４２を介して連設された上面フラップ（左上面フラップ）２４２と、側面部２１４の正面側の辺部から折れ線を介して連設された折込み片部（正面側右折込み片部）２５０と、折込み片部２５０から折れ線を介して連設された片部（正面側右片部）２５６と、側面部２１６の正面側の辺部から折れ線を介して連設された折込み片部（正面側左折込み片部）２６０と、折込み片部２６０から折れ線を介して連設された片部（正面側左片部）２６６と、側面部２１４の背面側の辺部から折れ線を介して連設された折込み片部（背面側右折込み片部）２７０と、折込み片部２７０から折れ線を介して連設された片部（背面側右片部）２７６と、側面部２１６の背面側の辺部から折れ線を介して連設された折込み片部（背面側左折込み片部）２８０と、折込み片部２８０から折れ線を介して連設された片部（背面側左片部）２８６とを有している。包装箱５−２は、全体に１枚のシート状のブランク（具体的には、段ボール製（例えば、薄型段ボール製）のブランクであり、厚紙製のブランク等の他の紙製のブランクでもよい）により形成されている。つまり、包装箱５−２は、段ボール材（特に、両面段ボール材）等の紙製の包装箱である。
【０１１１】
ここで、底面部２１０は、互いに平行な一対の辺部（第１辺部）２１０ａ、２１０ｄと、辺部２１０ａ、２１０ｄに直角な一対の辺部（第２辺部）２１０ｂ、２１０ｃを有している。
【０１１２】
また、側面部２１２、２１４、２１６、２１８は、ともに細長長方形状を呈し、側面部２１２、２１４、２１６、２１８における高さ方向の幅は、略同一（同一としてもよい）となっていて、厳密には、包装箱５−２の組立て時に上面部２２０、２３０が上面フラップ２４０、２４２の上側となるため、側面部２１２、２１８の高さ方向の幅は、側面部２１４、２１６の高さ方向の幅よりも若干長く形成されている。包装箱５−２は、厚みの薄い被収納物を収納するための包装箱であるので、側面部２１２〜２１８の高さ方向の幅は小さく形成されている。側面部２１２、２１４、２１６、２１８は長方形状であるので、折れ線Ｃ２１４と折れ線Ｃ２５０、Ｃ２７０は直角をなし、折れ線Ｃ２１４と折れ線Ｃ２４０は平行をなし、折れ線Ｃ２１６と折れ線Ｃ２６０、Ｃ２８０は直角をなし、折れ線Ｃ２１６と折れ線Ｃ２４２は平行であり、辺部２１０ｄと折れ線Ｃ２１８は平行であり、辺部２１０ａと折れ線Ｃ２１２は平行となっている。
【０１１３】
また、側面部２１２、２１８の左右方向の長さは、底面部２１０の左右方向の長さと略同一となっていて（厳密には、底面部２１０の左右方向の長さよりも若干短く形成されている）、側面部２１４、２１６の前後方向の長さは、底面部２１０の前後方向の長さと同一（略同一としてもよい）となっている。
【０１１４】
なお、側面部２１４と底面部２１０間の折れ線Ｃ２１４は、互いに平行な二重（つまり、２本）の罫線（二重（つまり、２本）の折れ線としてもよい）により形成され、側面部２１６と底面部２１０間の折れ線Ｃ２１６は、互いに平行な二重の罫線（二重の折れ線としてもよい）により形成されている。なお、これらの折れ線を二重の罫線の代わりに１本の罫線（つまり、１本の折れ線）により形成してもよい。なお、１本の罫線とする場合に、段ボールにおいて通常用いる丸罫を用いるほか、角罫を用いることにより帯状の罫線としてもよい。
【０１１５】
また、側面部２１４には、罫線（第１罫線）Ｃ２１４ａと、罫線（第２罫線）Ｃ２１４ｂが形成されている。罫線Ｃ２１４ａ、Ｃ２１４ｂは、いずれも折曲げ用の罫線である。罫線Ｃ２１４ａは、折れ線Ｃ２１４と折れ線Ｃ２５０の角部の領域から折れ線Ｃ２１４や折れ線Ｃ２４０に対して４５度（略４５度、鋭角としてもよい）の角度で直線状に形成され、罫線Ｃ２１４ａの一方の端部は、折れ線Ｃ２１４（側面部２１４側の罫線）に接点Ｗ１１において接し、他方の端部は、折れ線Ｃ２４０に接点Ｗ１２において接している。罫線Ｃ２１４ａは、底面部２１０側から上面フラップ２４０側にいくほど背面側となるように折れ線Ｃ２１４、Ｃ２４０に対して傾斜して形成されている。より具体的には、罫線Ｃ２１４ａは、包装箱５−２の展開状態において、底面部２１０の辺部２１０ｂと辺部２１０ｄ間の角部（厳密には、折れ線Ｃ２１４を構成する二重の罫線のうち内側の罫線の正面側の端部）を通り折れ線Ｃ２１４に対して４５度（略４５度、鋭角としてもよい）の角度をなす直線上に沿って形成されている。
【０１１６】
また、罫線Ｃ２１４ｂは、折れ線Ｃ２１４と折れ線Ｃ２７０の角部の領域から折れ線Ｃ２１４や折れ線Ｃ２７０に対して４５度（略４５度、鋭角としてもよい）の角度で直線状に形成され、罫線Ｃ２１４ｂの一方の端部は、折れ線Ｃ２１４（側面部２１４側の罫線）に接点Ｗ１４において接し、他方の端部は、折れ線Ｃ２４０に接点Ｗ１５において接している。罫線Ｃ２１４ｂは、底面部２１０側から上面フラップ２４０側にいくほど正面側となるように折れ線Ｃ２１４、Ｃ２４０に対して傾斜して形成されている。より具体的には、罫線Ｃ２１４ｂは、包装箱５−２の展開状態において、底面部２１０の辺部２１０ｃと辺部２１０ｄ間の角部（厳密には、折れ線Ｃ２１４を構成する二重の罫線のうち内側の罫線の正面側の端部）を通り折れ線Ｃ２１４に対して４５度（略４５度、鋭角としてもよい）の角度をなす直線上に沿って形成されている。
【０１１７】
すなわち、側面部２１４における正面側の端部領域で折れ線Ｃ２５０と折れ線Ｃ２４０と罫線Ｃ２１４ａに沿った辺部を有する略三角形状の端部領域２１４−２が側面部２１４の本体領域２１４−１に対して罫線Ｃ２１４ａを介して折曲するようになっている。同様に、側面部２１４における背面側の端部領域で折れ線Ｃ２７０と折れ線Ｃ２４０と罫線Ｃ２１４ｂに沿った辺部を有する略三角形状の端部領域２１４−３が側面部２１４の本体領域２１４−１に対して罫線Ｃ２１４ｂを介して折曲するようになっている。なお、側面部２１４は、本体領域２１４−１と端部２１４−２、２１４−３に区画されている。
【０１１８】
なお、罫線Ｃ２１４ａは接点Ｗ１１から接点Ｗ１２まで形成されているとしたが、罫線Ｃ２１４ａの接点Ｗ１１側の端部と接点Ｗ１１には間隔が設けられていてもよく、また、罫線Ｃ２１４ａの接点Ｗ１２側の端部と接点Ｗ１２には間隔が設けられていてもよい。つまり、罫線Ｃ２１４ａは、接点Ｗ１１と接点Ｗ１２の間に接点Ｗ１１と接点Ｗ１２を結ぶ方向に形成されていればよい。同様に、罫線Ｃ２１４ｂは接点Ｗ１４から接点Ｗ１５まで形成されているとしたが、罫線Ｃ２１４ｂの接点Ｗ１４側の端部と接点Ｗ１４には間隔が設けられていてもよく、また、罫線Ｃ２１４ｂの接点Ｗ１５側の端部と接点Ｗ１５には間隔が設けられていてもよい。つまり、罫線Ｃ２１４ｂは、接点Ｗ１４と接点Ｗ１５の間に接点Ｗ１４と接点Ｗ１５を結ぶ方向に形成されていればよい。
【０１１９】
また、側面部２１６には、罫線（第５罫線）Ｃ２１６ａと、罫線（第６罫線）Ｃ２１６ｂが形成されている。罫線Ｃ２１６ａ、Ｃ２１６ｂは、いずれも折曲げ用の罫線である。罫線Ｃ２１６ａは、折れ線Ｃ２１６と折れ線Ｃ２６０の角部の領域から折れ線Ｃ２１６や折れ線Ｃ２４２に対して４５度（略４５度、鋭角としてもよい）の角度で直線状に形成され、罫線Ｃ２１６ａの一方の端部は、折れ線Ｃ２１６（側面部２１６側の罫線）に接点Ｗ２１において接し、他方の端部は、折れ線Ｃ２４２に接点Ｗ２２において接している。罫線Ｃ２１６ａは、底面部２１０側から上面フラップ２４２側にいくほど背面側となるように折れ線Ｃ２１６、Ｃ２４２に対して傾斜して形成されている。より具体的には、罫線Ｃ２１６ａは、包装箱５−２の展開状態において、底面部２１０の辺部２１０ｃと辺部２１０ｄ間の角部（厳密には、折れ線Ｃ２１６を構成する二重の罫線のうち内側の罫線の正面側の端部）を通り折れ線Ｃ２１６に対して４５度（略４５度、鋭角としてもよい）の角度をなす直線上に沿って形成されている。
【０１２０】
また、罫線Ｃ２１６ｂは、折れ線Ｃ２１６と折れ線Ｃ２８０の角部の領域から折れ線Ｃ２１６や折れ線Ｃ２４２に対して４５度（略４５度、鋭角としてもよい）の角度で直線状に形成され、罫線Ｃ２１６ｂの一方の端部は、折れ線Ｃ２１６（側面部２１６側の罫線）に接点Ｗ２４において接し、他方の端部は、折れ線Ｃ２４２に接点Ｗ２５において接している。罫線Ｃ２１６ｂは、底面部２１０側から上面フラップ２４２側にいくほど正面側となるように折れ線Ｃ２１６、Ｃ２４２に対して傾斜して形成されている。より具体的には、罫線Ｃ２１６ｂは、包装箱５−２の展開状態において、底面部２１０の辺部２１０ｃと辺部２１０ａ間の角部（厳密には、折れ線Ｃ２１６を構成する二重の罫線のうち内側の罫線の正面側の端部）を通り折れ線Ｃ２１６に対して４５度（略４５度、鋭角としてもよい）の角度をなす直線上に沿って形成されている。
【０１２１】
すなわち、側面部２１６における正面側の端部領域で折れ線Ｃ２６０と折れ線Ｃ２４２と罫線Ｃ２１６ａに沿った辺部を有する略三角形状の端部領域２１６−２が側面部２１６の本体領域２１６−１に対して罫線Ｃ２１６ａを介して折曲するようになっている。同様に、側面部２１６における背面側の端部領域で折れ線Ｃ２８０と折れ線Ｃ２４２と罫線Ｃ２１６ｂに沿った辺部を有する略三角形状の端部領域２１６−３が側面部２１６の本体領域２１６−１に対して罫線Ｃ２１６ｂを介して折曲するようになっている。なお、側面部２１６は、本体領域２１６−１と端部２１６−２、２１６−３に区画されている。
【０１２２】
なお、罫線Ｃ２１６ａは接点Ｗ２１から接点Ｗ２２まで形成されているとしたが、罫線Ｃ２１６ａの接点Ｗ２１側の端部と接点Ｗ２１には間隔が設けられていてもよく、また、罫線Ｃ２１６ａの接点Ｗ２２側の端部と接点Ｗ２２には間隔が設けられていてもよい。つまり、罫線Ｃ２１６ａは、接点Ｗ２１と接点Ｗ２２の間に接点Ｗ２１と接点Ｗ２２を結ぶ方向に形成されていればよい。同様に、罫線Ｃ２１６ｂは接点Ｗ２４から接点Ｗ２５まで形成されているとしたが、罫線Ｃ２１６ｂの接点Ｗ２４側の端部と接点Ｗ２４には間隔が設けられていてもよく、また、罫線Ｃ２１６ｂの接点Ｗ２５側の端部と接点Ｗ２５には間隔が設けられていてもよい。つまり、罫線Ｃ２１６ｂは、接点Ｗ２４と接点Ｗ２５の間に接点Ｗ２４と接点Ｗ２５を結ぶ方向に形成されていればよい。
【０１２３】
また、上面部２２０、２３０は、長方形状を呈し、その左右方向の長さＬ２２２、Ｌ２３２は、側面部２１２、２１８の左右方向の長さと同一に（厳密には、側面部２１２、２１８の左右方向の長さよりも若干短く）なっていて、折れ線Ｃ２１２から上面部２２０の先端までの長さＬ２２３と折れ線Ｃ２１８から上面部２３０の先端までの長さＬ２３３は、底面部２１０の辺部２１０ｂ及び辺部２１０ｃの長さの１／２（略１／２としてもよい）の長さになっている。
【０１２４】
なお、包装箱５−２の展開状態において、底面部２１０と側面部２１２間の境界には、切込み２１２Ｋ−１〜２１２Ｋ−３が間隔を介して設けられ、底面部２１０と側面部２１８の境界には、切込み２１８Ｋ−１〜２１８Ｋ−３が設けられている。
【０１２５】
切込み２１２Ｋ−１〜２１２Ｋ−３における各切込みは同様の構成であるので、切込み２１２Ｋ−１を例に取って説明すると、切込み２１２Ｋ−１は、折れ線Ｃ２１０に沿った直線部Ｋａと、直線部Ｋａの一方の端部から連設され略円弧状に形成された曲線部Ｋｂと、直線部Ｋａの他方の端部から連設され略円弧状に形成された曲線部Ｋｃとを有し、直線部Ｋａは、折れ線Ｃ２１０よりも外側に位置し、曲線部Ｋｂ、Ｋｃの直線部Ｋａ側とは反対側の端部は、折れ線Ｃ２１０よりも内側に位置し、包装箱５−２を組み立てた際には、切込み２１２Ｋ−１に沿った辺部を有する突状部が構成される。切込み２１２Ｋ−１〜２１２Ｋ−３は、折れ線Ｃ２１０に沿って等間隔に設けられている。これらの切込み２１２Ｋ−１〜２１２Ｋ−３が設けられていることにより、図１４のように包装箱５−２を折り畳んだ状態とする際に、容易に側面部２１２が底面部２１０に対して折り返した状態とすることができる。
【０１２６】
切込み２１８Ｋ−１〜２１８Ｋ−３は、包装箱５−２の展開状態において、切込み２１２Ｋ−１〜２１２Ｋ−３と線対称に形成され、切込み２１８Ｋ−１は、左右方向の中心線を介して切込み２１２Ｋ−１と線対称に形成され、切込み２１８Ｋ−２は、左右方向の中心線を介して切込み２１２Ｋ−２と線対称に形成され、切込み２１８Ｋ−３は、左右方向の中心線を介して切込み２１２Ｋ−２と線対称に形成されている。つまり、切込み２１８Ｋ−１〜２１８Ｋ−３における各切込みは同様の構成であるので、切込み２１８Ｋ−１を例に取って説明すると、切込み２１８Ｋ−１は、折れ線Ｃ２１１に沿った直線部Ｋａと、直線部Ｋａの一方の端部から連設され略円弧状に形成された曲線部Ｋｂと、直線部Ｋａの他方の端部から連設され略円弧状に形成された曲線部Ｋｃとを有し、直線部Ｋａは、折れ線Ｃ２１１よりも外側に位置し、曲線部Ｋｂ、Ｋｃの直線部Ｋａ側とは反対側の端部は、折れ線Ｃ２１１よりも内側に位置し、包装箱５−２を組み立てた際には、切込み２１８Ｋ−１に沿った辺部を有する突状部が構成される。切込み２１８Ｋ−１〜２１８Ｋ−３が設けられていることにより、図１４のように包装箱５−２を折り畳んだ状態とする際に、容易に側面部２１８が底面部２１０に対して折り返した状態とすることができる。
【０１２７】
また、上面フラップ２４０は、先端側の角部が円弧状に形成された略長方形状を呈しており、上面フラップ２４０には、罫線（第３罫線）Ｃ２４０ａと罫線（第４罫線）Ｃ２４０ｂが形成されている。つまり、罫線Ｃ２４０ａは、折れ線Ｃ２４０から上面フラップ２４０の先端側の辺部２４０ｈまで形成され、折れ線Ｃ２４０上の接点（第１接点）Ｗ１２から上面フラップ２４０の先端側の辺部２４０ｈ上の接点（第２接点）Ｗ１３まで形成されている。つまり、罫線Ｃ２４０ａの一方の端部は、接点Ｗ１２で折れ線Ｃ２４０に接し、他方の端部は、接点Ｗ１３で上面フラップ２４０の先端側の辺部２４０ｈに接している。罫線Ｃ２４０ａは直線状を呈し、折れ線Ｃ２４０や上面フラップ２４０の先端側の辺部２４０ｈに対して直角をなしている。
【０１２８】
また、罫線Ｃ２４０ｂは、折れ線Ｃ２４０から上面フラップ２４０の先端側の辺部２４０ｈまで形成され、折れ線Ｃ２４０上の接点（第３接点）Ｗ１５から上面フラップ２４０の先端側の辺部２４０ｈ上の接点（第４接点）Ｗ１６まで形成されている。つまり、罫線Ｃ２４０ｂの一方の端部は、接点Ｗ１５で折れ線Ｃ２４０に接し、他方の端部は、接点Ｗ１６で上面フラップ２４０の先端側の辺部２４０ｈに接している。罫線Ｃ２４０ｂは直線状を呈し、折れ線Ｃ２４０や上面フラップ２４０の先端側の辺部２４０ｈに対して直角をなしている。
【０１２９】
なお、罫線Ｃ２４０ａは接点Ｗ１２から接点Ｗ１３まで形成されているとしたが、罫線Ｃ２４０ａの接点Ｗ１２側の端部と接点Ｗ１２には間隔が設けられていてもよく、また、罫線Ｃ２４０ａの接点Ｗ１３側の端部と接点Ｗ１３には間隔が設けられていてもよい。つまり、罫線Ｃ２４０ａは、接点Ｗ１２と接点Ｗ１３の間に接点Ｗ１２と接点Ｗ１３を結ぶ方向に形成されていればよい。同様に、罫線Ｃ２４０ｂは接点Ｗ１５から接点Ｗ１６まで形成されているとしたが、罫線Ｃ２４０ｂの接点Ｗ１５側の端部と接点Ｗ１５には間隔が設けられていてもよく、また、罫線Ｃ２４０ｂの接点Ｗ１６側の端部と接点Ｗ１６には間隔が設けられていてもよい。つまり、罫線Ｃ２４０ｂは、接点Ｗ１５と接点Ｗ１６の間に接点Ｗ１５と接点Ｗ１６を結ぶ方向に形成されていればよい。
【０１３０】
また、罫線Ｃ２４０ａにおいて、接点Ｗ１３は接点Ｗ１２から折れ線Ｃ２４０に対して直角の方向にあるとしたが、これには限られず、上面フラップ２４０の先端側の辺部２４０ｈにおける他の位置であってもよい。同様に、罫線Ｃ２４０ｂにおいて、接点Ｗ１６は接点Ｗ１５から折れ線Ｃ２４０に対して直角の方向にあるとしたが、これには限られず、上面フラップ２４０の先端側の辺部２４０ｈにおける他の位置であってもよい。ただし、接点Ｗ１６は接点Ｗ１３よりも背面側にあるものとし、好ましくは、接点Ｗ１３と接点Ｗ１６は、前後対称の位置（上面フラップ２４０の先端側の辺部２４０ｈにおける中間位置から等距離の位置）とする。なお、上面部２２０又は上面部２３０が上面フラップ２４０に接した際に、上面フラップ２４０が罫線Ｃ２４０ａ、Ｃ２４０ｂを介して折れ曲がりやすくするためには、接点Ｗ１３は、接点Ｗ１２から折れ線Ｃ２４０に対して直角方向の位置（つまり、図１５における接点Ｗ１３の位置）から包装箱５−２の展開状態において罫線Ｃ２１４ａの延長線が上面フラップ２４０の先端側の辺部２４０ｈと接する位置までの間とするのが好ましく、また、接点Ｗ１６は、接点Ｗ１５から折れ線Ｃ２４０に対して直角方向の位置（つまり、図１７における接点Ｗ１６の位置）から包装箱５−２の展開状態において罫線Ｃ２１４ｂの延長線が上面フラップ２４０の先端側の辺部２４０ｈと接する位置までの間とするのが好ましい。
【０１３１】
また、上面フラップ２４２は、先端側の角部が円弧状に形成された略長方形状を呈しており、上面フラップ２４２には、罫線（第７罫線）Ｃ２４２ａと罫線（第８罫線）Ｃ２４２ｂが形成されている。つまり、罫線Ｃ２４２ａは、折れ線Ｃ２４２から上面フラップ２４２の先端側の辺部２４２ｈまで形成され、折れ線Ｃ２４２上の接点（第５接点）Ｗ２２から上面フラップ２４２の先端側の辺部２４２ｈ上の接点（第６接点）Ｗ２３まで形成されている。つまり、罫線Ｃ２４２ａの一方の端部は、接点Ｗ２２で折れ線Ｃ２４２に接し、他方の端部は、接点Ｗ２３で上面フラップ２４２の先端側の辺部２４０ｈに接している。罫線Ｃ２４２ａは直線状を呈し、折れ線Ｃ２４２や上面フラップ２４２の先端側の辺部２４０ｈに対して直角をなしている。
【０１３２】
また、罫線Ｃ２４２ｂは、折れ線Ｃ２４２から上面フラップ２４２の先端側の辺部２４２ｈまで形成され、折れ線Ｃ２４２上の接点（第７接点）Ｗ２５から上面フラップ２４２の先端側の辺部２４２ｈ上の接点（第８接点）Ｗ２６まで形成されている。つまり、罫線Ｃ２４２ｂの一方の端部は、接点Ｗ２５で折れ線Ｃ２４２に接し、他方の端部は、接点Ｗ２６で上面フラップ２４２の先端側の辺部２４０ｈに接している。罫線Ｃ２４２ｂは直線状を呈し、折れ線Ｃ２４２や上面フラップ２４２の先端側の辺部２４０ｈに対して直角をなしている。
【０１３３】
なお、罫線Ｃ２４２ａは接点Ｗ２２から接点Ｗ２３まで形成されているとしたが、罫線Ｃ２４２ａの接点Ｗ２２側の端部と接点Ｗ２２には間隔が設けられていてもよく、また、罫線Ｃ２４２ａの接点Ｗ２３側の端部と接点Ｗ２３には間隔が設けられていてもよい。つまり、罫線Ｃ２４２ａは、接点Ｗ２２と接点Ｗ２３の間に接点Ｗ２２と接点Ｗ２３を結ぶ方向に形成されていればよい。同様に、罫線Ｃ２４２ｂは接点Ｗ２５から接点Ｗ２６まで形成されているとしたが、罫線Ｃ２４２ｂの接点Ｗ２５側の端部と接点Ｗ２５には間隔が設けられていてもよく、また、罫線Ｃ２４２ｂの接点Ｗ２６側の端部と接点Ｗ２６には間隔が設けられていてもよい。つまり、罫線Ｃ２４２ｂは、接点Ｗ２５と接点Ｗ２６の間に接点Ｗ２５と接点Ｗ２６を結ぶ方向に形成されていればよい。
【０１３４】
また、罫線Ｃ２４２ａにおいて、接点Ｗ２３は接点Ｗ２２から折れ線Ｃ２４２に対して直角の方向にあるとしたが、これには限られず、上面フラップ２４２の先端側の辺部２４２ｈにおける他の位置であってもよい。同様に、罫線Ｃ２４２ｂにおいて、接点Ｗ２６は接点Ｗ２５から折れ線Ｃ２４２に対して直角の方向にあるとしたが、これには限られず、上面フラップ２４２の先端側の辺部２４２ｈにおける他の位置であってもよい。ただし、接点Ｗ２６は接点Ｗ２３よりも背面側にあるものとし、好ましくは、接点Ｗ２３と接点Ｗ２６は、前後対称の位置（上面フラップ２４２の先端側の辺部２４２ｈにおける中間位置から等距離の位置）とする。なお、上面部２２０又は上面部２３０が上面フラップ２４２に接した際に、上面フラップ２４２が罫線Ｃ２４２ａ、Ｃ２４２ｂを介して折れ曲がりやすくするためには、接点Ｗ２３は、接点Ｗ２２から折れ線Ｃ２４２に対して直角方向の位置（つまり、図１６における接点Ｗ２３の位置）から包装箱５−２の展開状態において罫線Ｃ２１６ａの延長線が上面フラップ２４２の先端側の辺部２４２ｈと接する位置までの間とするのが好ましく、また、接点Ｗ２６は、接点Ｗ２５から折れ線Ｃ２４２に対して直角方向の位置（つまり、図１８における接点Ｗ２６の位置）から包装箱５−２の展開状態において罫線Ｃ２１６ｂの延長線が上面フラップ２４２の先端側の辺部２４２ｈと接する位置までの間とするのが好ましい。
【０１３５】
また、折込み片部２５０は、側面部２１４の正面側の辺部から折れ線（第２折れ線）Ｃ２５０を介して連設されている。
【０１３６】
折込み片部２５０の展開状態では、略方形状に形成され、具体的には、図１５に示すように、側面部２１４の正面側の辺部に沿った直線状の辺部２５０ａと、辺部２５０ａの端部（底面部２１０側とは反対側の端部）から連設され、辺部２５０ａに対して直角の略直線状の辺部２５０ｂと、辺部２５０ｂの端部から連設され、辺部２５０ｂに対して直角の直線状の辺部２５０ｃと、辺部２５０ｃの端部から連設され、辺部２５０ｃに対して直角の直線状の辺部２５０ｄと、辺部２５０ｄの端部から連設され、辺部２５０ｄの方向に対して鈍角をなす直線状の辺部２５０ｅと、辺部２５０ｅの端部から連設され、辺部２５０ｅの方向に対して１８０度よりも大きい角度に形成され、辺部２５０ａの端部まで形成された直線状の辺部２５０ｆとにより囲まれた形状を呈している。なお、厳密には、辺部２５０ｂは、辺部２５０ａから連設され、辺部２５０ａに対して直角をなす直線状の辺部２５０ｂ−１と、辺部２５０ｂ−１の端部から辺部２５０ｃまで形成された辺部２５０ｂ−２を有している。この辺部２５０ｂ−２は、辺部２５０ｂ−１及び辺部２５０ｃに対して鈍角をなしている。折込み片部２５０は、折れ線（第３折れ線）Ｃ２５１を介して二つ折りとなっていて、折れ線Ｃ２５１を介して側面部２１４側の第１片部（右第１片部）２５２と片部２５６側の第２片部（右第２片部）２５４とに区画されている。折れ線Ｃ２５１は、辺部２５０ｃの辺部２５０ｂ側の端部と辺部２５０ｅ（辺部２５０ｅの一方の端部から他方の端部までの途中位置）間に設けられ、包装箱５−２の展開状態において、辺部２５０ｃの辺部２５０ｂ側の端部（辺部２５０ｂと辺部２５０ｃ間の角部としてもよい）と辺部２１０ｂの辺部２１０ｄ側の端部（底面部２１０の辺部２１０ｂと辺部２１０ｄ間の角部としてもよい）とを結ぶ直線上に沿って形成されている。なお、折れ線Ｃ２５１と辺部２５０ｂ間の角度α２１１は、４５度（略４５度としてもよい）になっており、これにより、第１片部２５２と第２片部２５４は、直角二等辺三角形の一部を切り欠いた形状となっており、辺部２５０ｃは、辺部２５０ａと平行になっており、辺部２５０ｄは、辺部２５０ｂ−１と平行になっている。
【０１３７】
この折れ線Ｃ２５１は、折れ線Ｃ２５０の方向に対して傾斜し折れ線Ｃ２５０との距離（つまり、折れ線Ｃ２５０までの垂線の長さ）（折れ線Ｃ２５０までの長さとしてもよい）が折れ線Ｃ２５０の底面部２１０側から反対側（つまり、折れ線Ｃ２５０の上端側）に行くほど長くなるように傾斜している。
【０１３８】
なお、折れ線Ｃ２５０は、互いに平行な二重の罫線（二重の折れ線としてもよい）により形成されていて、辺部２５０ａは、折れ線Ｃ２５０における折込み片部２５０側の罫線（折れ線としてもよい）と一致し、側面部２１４の正面側の辺部は、折れ線Ｃ２５０における側面部２１４側の罫線（折れ線としてもよい）と一致する。
【０１３９】
また、片部２５６は、折れ線（第４折れ線）Ｃ２５６を介して連設され、略方形状を呈している。つまり、片部２５６は、折込み片部２５０の辺部２５０ｃに沿った直線状の辺部２５６ａと、辺部２５６ａの端部（包装箱５−２の組立て状態における内側の端部）から連設され、辺部２５６ａに対して直角の直線状の辺部２５６ｂと、辺部２５６ｂの端部から連設され、略円弧状の辺部２５６ｃと、辺部２５６ｃの端部から連設され、辺部２５６ａと平行な直線状の辺部２５６ｄと、辺部２５６ｄの端部から連設され、略円弧状の辺部２５６ｅと、辺部２５６ｅの端部から連設され、辺部２５６ａに対して直角で辺部２５６ａの端部にまで形成された直線状の辺部２５６ｆとにより囲まれた形状を呈している。なお、辺部２５６ｆは、辺部２５０ｄの延長線上に形成されている。包装箱５−２の展開状態において、折れ線Ｃ２５６は、折れ線Ｃ２５０と平行に形成されている。
【０１４０】
なお、折れ線Ｃ２５６は、互いに平行な二重の罫線（二重の折れ線としてもよい）により形成されていて、辺部２５６ａは、折れ線Ｃ２５６における片部２５６側の罫線（折れ線としてもよい）と一致し、折込み片部２５０の片部２５６側の辺部は、折れ線Ｃ２５６における折込み片部２５０側の罫線（折れ線としてもよい）と一致する。なお、折れ線Ｃ２５１と辺部２５０ｃ間の角度α２１２は、角度α２１１と同一（略同一としてもよい）となっている。
【０１４１】
なお、角度α２１１と角度α２１２は同一であり、第１片部２５２は略直角三角形であるので、折れ線Ｃ２５０上に沿った直線と折れ線Ｃ２５１上に沿った直線間の角度α２１３と折れ線Ｃ２５６と折れ線Ｃ２５１間の角度α２１２の和は、９０度となる。つまり、角度α２１１が４５度（略４５度としてもよい）であるとすると、角度α２１２及び角度α２１３も４５度（略４５度としてもよい）となる。
【０１４２】
なお、包装箱５−２の組立て状態において、折れ線Ｃ２５０は包装箱５−２の内側の面から見て谷折りとなるが、折れ線Ｃ２５０を谷折りとした場合には、折れ線Ｃ２５１は、谷折りとなり、折れ線Ｃ２５６は、山折りとなる。つまり、折れ線Ｃ２５６は、包装箱５−２を構成するブランクにおける折れ線Ｃ２５０、Ｃ２５１を谷折りとした面においては、山折りとなる。また、第２片部２５４は、側面部２１８の外側の面の右側面側の端部領域に接着され（つまり、第２片部２５４（厳密には、第２片部２５４における第１片部２５２の外側の面（該第１片部２５２の外側の面は、側面部２１４の外側の面から連なっている）から連なる面）が側面部２１８の外側の面の右側面側の端部領域に対向した状態で接着されている）、片部２５６（厳密には、片部２５６における第２片部２５４の接着面から連なる面）は、上面部２３０の外側の面の右側面側で側面部２１８側の端部領域に接着されている。なお、第２片部２５４における全ての領域が側面部２１８に接着され、片部２５６における全ての領域が上面部２３０に接着されている。第２片部２５４の領域の一部が側面部２１８に接着された構成としてもよく、片部２５６の領域の一部が上面部２３０に接着された構成としてもよい。なお、第１片部２５２と第２片部２５４は、接着されていない。第２片部２５４が側面部２１８に接着し、片部２５６が上面部２３０に接着された状態では、折れ線Ｃ２５６は、折れ線Ｃ２１８と平行で折れ線Ｃ２１８に沿った状態であり、折れ線Ｃ２５６の２本の罫線が折れ線Ｃ２１８を介して両側に位置する。
【０１４３】
また、第２片部２５４と側面部２１８は折れ線を介して連設されておらず（つまり、第２片部２５４と側面部２１８の右側面側の端部とは連結されていない）、包装箱５−２の展開状態において、第２片部２５４と側面部２１８の右側面側の端部の間には、隙間ＳＰ２１が設けられている。
【０１４４】
また、折込み片部２６０は、側面部２１６の正面側の辺部から折れ線（第５折れ線）Ｃ２６０を介して連設されている。包装箱５−２の展開状態において、折込み片部２６０は、折込み片部２５０と前後方向の中心線を介して左右線対称に形成されている。
【０１４５】
つまり、折込み片部２６０の展開状態では、折込み片部２６０は、略方形状に形成され、具体的には、図１６に示すように、辺部２６０ａ〜辺部２６０ｆにより囲まれた形状を呈している。辺部２６０ａ〜２６０ｆは、辺部２５０ａ〜２５０ｆにおける各辺部と左右線対称に形成されている。なお、厳密には、辺部２６０ｂは、辺部２６０ａから連設され、辺部２６０ａに対して直角をなす直線状の辺部２６０ｂ−１と、辺部２６０ｂ−１の端部から辺部２６０ｃまで形成された辺部２６０ｂ−２を有している。この辺部２６０ｂ−２は、辺部２６０ｂ−１及び辺部２６０ｃに対して鈍角をなしている。
【０１４６】
また、折込み片部２６０は、折れ線（第６折れ線）Ｃ２６１を介して二つ折りとなっていて、折れ線Ｃ２６１を介して側面部２１６側の第１片部（左第１片部）２６２と片部（左第２片部）２６６側の第２片部２６４とに区画されている。折れ線Ｃ２６１は、辺部２６０ｃの辺部２６０ｂ側の端部と辺部２６０ｅ（辺部２６０ｅの一方の端部から他方の端部までの途中位置）間に設けられ、包装箱５−２の展開状態において、辺部２６０ｃの辺部２６０ｂ側の端部（辺部２６０ｂと辺部２６０ｃ間の角部としてもよい）と辺部２１０ｃの辺部２１０ｄ側の端部（底面部２１０の辺部２１０ｃと辺部２１０ｄ間の角部としてもよい）とを結ぶ直線上に沿って形成されている。なお、折れ線Ｃ２６１と辺部２６０ｂ間の角度α２２１は、４５度（略４５度としてもよい）になっており、これにより、第１片部２６２と第２片部２６４は、直角二等辺三角形の一部を切り欠いた形状となっており、辺部２６０ｃは、辺部２６０ａと平行になっており、辺部２６０ｄは、辺部２６０ｂ−１と平行になっている。
【０１４７】
この折れ線Ｃ２６１は、折れ線Ｃ２６０の方向に対して傾斜し折れ線Ｃ２６０との距離（つまり、折れ線Ｃ２６０までの垂線の長さ）（折れ線Ｃ２６０までの長さとしてもよい）が折れ線Ｃ２６０の底面部２１０側から反対側（つまり、折れ線Ｃ２６０の上端側）に行くほど長くなるように傾斜している。
【０１４８】
なお、折れ線Ｃ２６０は、互いに平行な二重の罫線（二重の折れ線としてもよい）により形成されていて、辺部２６０ａは、折れ線Ｃ２６０における折込み片部２６０側の罫線（折れ線としてもよい）と一致し、側面部２１６の正面側の辺部は、折れ線Ｃ２６０における側面部２１６側の罫線（折れ線としてもよい）と一致する。
【０１４９】
また、片部２６６は、折れ線（第７折れ線）Ｃ２６６を介して連設され、略方形状を呈している。つまり、片部２６６は、辺部２６６ａ〜辺部２６６ｆにより囲まれた形状を呈している。片部２６６は、包装箱５−２の展開状態において、片部２５６と左右線対称に形成され、辺部２６６ａ〜２６６ｆは、辺部２５６ａ〜２５６ｆにおける各辺部と左右線対称に形成されている。なお、辺部２６６ｆは、辺部２６０ｄの延長線上に形成されている。包装箱５−２の展開状態において、折れ線Ｃ２６６は、折れ線Ｃ２６０と平行に形成されている。
【０１５０】
なお、折れ線Ｃ２６６は、互いに平行な二重の罫線（二重の折れ線としてもよい）により形成されていて、辺部２６６ａは、折れ線Ｃ２６６における片部２６６側の罫線（折れ線としてもよい）と一致し、折込み片部２６０の片部２６６側の辺部は、折れ線Ｃ２６６における折込み片部２６０側の罫線（折れ線としてもよい）と一致する。なお、折れ線Ｃ２６１と辺部２６０ｃ間の角度α２２２は、角度α２２１と同一（略同一としてもよい）となっている。
【０１５１】
なお、角度α２２１と角度α２２２は同一であり、第１片部２６２は略直角三角形であるので、折れ線Ｃ２６０上に沿った直線と折れ線Ｃ２６１上に沿った直線間の角度α２２３と折れ線Ｃ２６６と折れ線Ｃ２６１間の角度α２２２の和は、９０度となる。つまり、角度α２２１が４５度（略４５度としてもよい）であるとすると、角度α２２２及び角度α２２３も４５度（略４５度としてもよい）となる。
【０１５２】
包装箱５−２には、図１４に示す展開状態において、前後方向の中心線を介して左右線対称に形成され、左右方向の中心線を介して前後線対称に形成されている。
【０１５３】
なお、包装箱５−２の組立て状態において、折れ線Ｃ２６０は包装箱５−２の内側の面から見て谷折りとなるが、折れ線Ｃ２６０を谷折りとした場合には、折れ線Ｃ２６１は、谷折りとなり、折れ線Ｃ２６６は、山折りとなる。つまり、折れ線Ｃ２６６は、包装箱５−２を構成するブランクにおける折れ線Ｃ２６０、Ｃ２６１を谷折りとした面においては、山折りとなる。また、第２片部２６４は、側面部２１８の外側の面の左側面側の端部領域に接着され（つまり、第２片部２６４（厳密には、第２片部２６４における第１片部２６２の外側の面（該第１片部２６２の外側の面は、側面部２１６の外側の面から連なっている）から連なる面）が側面部２１８の外側の面の左側面側の端部領域に対向した状態で接着されている）、片部２６６（厳密には、片部２６６における第２片部２６４の接着面から連なる面）は、上面部２３０の外側の面の左側面側で側面部２１８側の端部領域に接着されている。なお、第２片部２６４における全ての領域が側面部２１８に接着され、片部２６６における全ての領域が上面部２３０に接着されている。第２片部２６４の領域の一部が側面部２１８に接着された構成としてもよく、片部２６６の領域の一部が上面部２３０に接着された構成としてもよい。なお、第１片部２６２と第２片部２６４は、接着されていない。第２片部２６４が側面部２１８に接着し、片部２６６が上面部１３０に接着された状態では、折れ線Ｃ２６６は、折れ線Ｃ２１８と平行で折れ線Ｃ２１８に沿った状態であり、折れ線Ｃ２６６の２本の罫線が折れ線Ｃ２１８を介して両側に位置する。
【０１５４】
また、第２片部２６４と側面部２１８は折れ線を介して連設されておらず（つまり、第２片部２６４と側面部２１８の左側面側の端部とは連結されていない）、包装箱５−２の展開状態において、第２片部２６４と側面部２１８の左側面側の端部の間には、隙間ＳＰ２２が設けられている。
【０１５５】
なお、折れ線Ｃ２５０、Ｃ２５６、Ｃ２６０、Ｃ２６６は、二重の罫線により形成されているとしたが、１本の罫線（つまり、１本の折れ線）により形成してもよい。なお、１本の罫線とする場合に、段ボールにおいて通常用いる丸罫を用いるほか、角罫を用いることにより帯状の罫線としてもよい。
【０１５６】
また、折込み片部２７０は、側面部２１４の背面側の辺部から折れ線（第９折れ線）Ｃ２７０を介して連設されている。包装箱５−２の展開状態において、折込み片部２７０は、折込み片部２５０と左右方向の中心線を介して前後線対称に形成されている。
【０１５７】
折込み片部２７０の展開状態では、略方形状に形成され、具体的には、図１７に示すように、側面部２１４の背面側の辺部に沿った直線状の辺部２７０ａと、辺部２７０ａの端部（底面部２１０側とは反対側の端部）から連設され、辺部２７０ａに対して直角の略直線状の辺部２７０ｂと、辺部２７０ｂの端部から連設され、辺部２７０ｂに対して直角の直線状の辺部２７０ｃと、辺部２７０ｃの端部から連設され、辺部２７０ｃに対して直角の直線状の辺部２７０ｄと、辺部２７０ｄの端部から連設され、辺部２７０ｄの方向に対して鈍角をなす直線状の辺部２７０ｅと、辺部２７０ｅの端部から連設され、辺部２７０ｅの方向に対して１８０度よりも大きい角度に形成され、辺部２７０ａの端部まで形成された直線状の辺部２７０ｆとにより囲まれた形状を呈している。なお、厳密には、辺部２７０ｂは、辺部２７０ａから連設され、辺部２７０ａに対して直角をなす直線状の辺部２７０ｂ−１と、辺部２７０ｂ−１の端部から辺部２７０ｃまで形成された辺部２７０ｂ−２を有している。この辺部２７０ｂ−２は、辺部２７０ｂ−１及び辺部２７０ｃに対して鈍角をなしている。折込み片部２７０は、折れ線（第１０折れ線）Ｃ２７１を介して二つ折りとなっていて、折れ線Ｃ２７１を介して側面部２１４側の第１片部（背面側右第１片部）２７２と片部２７６側の第２片部（背面側右第２片部）２７４とに区画されている。折れ線Ｃ２７１は、辺部２７０ｃの辺部２７０ｂ側の端部と辺部２７０ｅ（辺部２７０ｅの一方の端部から他方の端部までの途中位置）間に設けられ、包装箱５−２の展開状態において、辺部２７０ｃの辺部２７０ｂ側の端部（辺部２７０ｂと辺部２７０ｃ間の角部としてもよい）と辺部２１０ｂの辺部２１０ａ側の端部（底面部２１０の辺部２１０ｂと辺部２１０ａ間の角部としてもよい）とを結ぶ直線上に沿って形成されている。なお、折れ線Ｃ２７１と辺部２７０ｂ間の角度α２３１は、４５度（略４５度としてもよい）になっており、これにより、第１片部２７２と第２片部２７４は、直角二等辺三角形の一部を切り欠いた形状となっており、辺部２７０ｃは、辺部２７０ａと平行になっており、辺部２７０ｄは、辺部２７０ｂ−１と平行になっている。
【０１５８】
この折れ線Ｃ２７１は、折れ線Ｃ２７０の方向に対して傾斜し折れ線Ｃ２７０との距離（つまり、折れ線Ｃ２７０までの垂線の長さ）（折れ線Ｃ２７０までの長さとしてもよい）が折れ線Ｃ２７０の底面部２１０側から反対側（つまり、折れ線Ｃ２７０の上端側）に行くほど長くなるように傾斜している。
【０１５９】
なお、折れ線Ｃ２７０は、互いに平行な二重の罫線（二重の折れ線としてもよい）により形成されていて、辺部２７０ａは、折れ線Ｃ２７０における折込み片部２７０側の罫線（折れ線としてもよい）と一致し、側面部２１４の正面側の辺部は、折れ線Ｃ２７０における側面部２１４側の罫線（折れ線としてもよい）と一致する。
【０１６０】
また、片部２７６は、折れ線（第１１折れ線）Ｃ２７６を介して連設され、略方形状を呈している。つまり、片部２７６は、折込み片部２７０の辺部２７０ｃに沿った直線状の辺部２７６ａと、辺部２７６ａの端部（包装箱５−２の組立て状態における内側の端部）から連設され、辺部２７６ａに対して直角の直線状の辺部２７６ｂと、辺部２７６ｂの端部から連設され、略円弧状の辺部２７６ｃと、辺部２７６ｃの端部から連設され、辺部２７６ａと平行な直線状の辺部２７６ｄと、辺部２７６ｄの端部から連設され、略円弧状の辺部２７６ｅと、辺部２７６ｅの端部から連設され、辺部２７６ａに対して直角で辺部２７６ａの端部にまで形成された直線状の辺部２７６ｆとにより囲まれた形状を呈している。なお、辺部２７６ｆは、辺部２７０ｄの延長線上に形成されている。包装箱５−２の展開状態において、折れ線Ｃ２７６は、折れ線Ｃ２７０と平行に形成されている。
【０１６１】
なお、折れ線Ｃ２７６は、互いに平行な二重の罫線（二重の折れ線としてもよい）により形成されていて、辺部２７６ａは、折れ線Ｃ２７６における片部２７６側の罫線（折れ線としてもよい）と一致し、折込み片部２７０の片部２７６側の辺部は、折れ線Ｃ２７６における折込み片部２７０側の罫線（折れ線としてもよい）と一致する。なお、折れ線Ｃ２７１と辺部２７０ｃ間の角度α２３２は、角度α２３１と同一（略同一としてもよい）となっている。
【０１６２】
なお、角度α２３１と角度α２３２は同一であり、第１片部２７２は略直角三角形であるので、折れ線Ｃ２７０上に沿った直線と折れ線Ｃ２７１上に沿った直線間の角度α２３３と折れ線Ｃ２７６と折れ線Ｃ２７１間の角度α２３２の和は、９０度となる。つまり、角度α２３１が４５度（略４５度としてもよい）であるとすると、角度α２３２及び角度α２３３も４５度（略４５度としてもよい）となる。
【０１６３】
なお、包装箱５−２の組立て状態において、折れ線Ｃ２７０は包装箱５−２の内側の面から見て谷折りとなるが、折れ線Ｃ２７０を谷折りとした場合には、折れ線Ｃ２７１は、谷折りとなり、折れ線Ｃ２７６は、山折りとなる。つまり、折れ線Ｃ２７６は、包装箱５−２を構成するブランクにおける折れ線Ｃ２７０、Ｃ２７１を谷折りとした面においては、山折りとなる。また、第２片部２７４は、側面部２１２の外側の面の右側面側の端部領域に接着され（つまり、第２片部２７４（厳密には、第２片部２７４における第１片部２７２の外側の面（該第１片部２７２の外側の面は、側面部２１４の外側の面から連なっている）から連なる面）が側面部２１２の外側の面の右側面側の端部領域に対向した状態で接着されている）、片部２７６（厳密には、片部２７６における第２片部２７４の接着面から連なる面）は、上面部２２０の外側の面の右側面側で側面部２１２側の端部領域に接着されている。なお、第２片部２７４における全ての領域が側面部２１２に接着され、片部２７６における全ての領域が上面部２２０に接着されている。第２片部２７４の領域の一部が側面部２１２に接着された構成としてもよく、片部２７６の領域の一部が上面部２２０に接着された構成としてもよい。なお、第１片部２７２と第２片部２７４は、接着されていない。第２片部２７４が側面部２１２に接着し、片部２７６が上面部２２０に接着された状態では、折れ線Ｃ２７６は、折れ線Ｃ２１２と平行で折れ線Ｃ２１２に沿った状態であり、折れ線Ｃ２７６の２本の罫線が折れ線Ｃ２１２を介して両側に位置する。
【０１６４】
また、第２片部２７４と側面部２１２は折れ線を介して連設されておらず（つまり、第２片部２７４と側面部２１２の右側面側の端部とは連結されていない）、包装箱５−２の展開状態において、第２片部２７４と側面部２１２の右側面側の端部の間には、隙間ＳＰ２３が設けられている。
【０１６５】
また、折込み片部２８０は、側面部２１６の背面側の辺部から折れ線（第１２折れ線）Ｃ２８０を介して連設されている。包装箱５−２の展開状態において、折込み片部２８０は、折込み片部２７０と前後方向の中心線を介して左右線対称に形成されている。
【０１６６】
つまり、折込み片部２８０の展開状態では、折込み片部２８０は、略方形状に形成され、具体的には、図１８に示すように、辺部２８０ａ〜辺部２８０ｆにより囲まれた形状を呈している。辺部２８０ａ〜２８０ｆは、辺部２７０ａ〜２７０ｆにおける各辺部と左右線対称に形成されている。なお、厳密には、辺部２８０ｂは、辺部２８０ａから連設され、辺部２８０ａに対して直角をなす直線状の辺部２８０ｂ−１と、辺部２８０ｂ−１の端部から辺部２８０ｃまで形成された辺部２８０ｂ−２を有している。この辺部２８０ｂ−２は、辺部２８０ｂ−１及び辺部２８０ｃに対して鈍角をなしている。
【０１６７】
また、折込み片部２８０は、折れ線（第１３折れ線）Ｃ２８１を介して二つ折りとなっていて、折れ線Ｃ２８１を介して側面部２１６側の第１片部（背面側左第１片部）２８２と片部（左第２片部）２８６側の第２片部（背面側左第２片部）２８４とに区画されている。折れ線Ｃ２８１は、辺部２８０ｃの辺部２８０ｂ側の端部と辺部２８０ｅ（辺部２８０ｅの一方の端部から他方の端部までの途中位置）間に設けられ、包装箱５−２の展開状態において、辺部２８０ｃの辺部２８０ｂ側の端部（辺部２８０ｂと辺部２８０ｃ間の角部としてもよい）と辺部２１０ｃの辺部２１０ａ側の端部（底面部２１０の辺部２１０ｃと辺部２１０ａ間の角部としてもよい）とを結ぶ直線上に沿って形成されている。なお、折れ線Ｃ２８１と辺部２８０ｂ間の角度α２４１は、４５度（略４５度としてもよい）になっており、これにより、第１片部２８２と第２片部２８４は、直角二等辺三角形の一部を切り欠いた形状となっており、辺部２８０ｃは、辺部２８０ａと平行になっており、辺部２８０ｄは、辺部２８０ｂ−１と平行になっている。
【０１６８】
この折れ線Ｃ２８１は、折れ線Ｃ２８０の方向に対して傾斜し折れ線Ｃ２８０との距離（つまり、折れ線Ｃ２８０までの垂線の長さ）（折れ線Ｃ２８０までの長さとしてもよい）が折れ線Ｃ２８０の底面部２１０側から反対側（つまり、折れ線Ｃ２８０の上端側）に行くほど長くなるように傾斜している。
【０１６９】
なお、折れ線Ｃ２８０は、互いに平行な二重の罫線（二重の折れ線としてもよい）により形成されていて、辺部２８０ａは、折れ線Ｃ２８０における折込み片部２８０側の罫線（折れ線としてもよい）と一致し、側面部２１６の背面側の辺部は、折れ線Ｃ２８０における側面部２１６側の罫線（折れ線としてもよい）と一致する。
【０１７０】
また、片部２８６は、折れ線（第１４折れ線）Ｃ２８６を介して連設され、略方形状を呈している。つまり、片部２８６は、辺部２８６ａ〜辺部２８６ｆにより囲まれた形状を呈している。片部２８６は、包装箱５−２の展開状態において、片部２８６と左右線対称に形成され、辺部２８６ａ〜２８６ｆは、辺部２８６ａ〜２８６ｆにおける各辺部と左右線対称に形成されている。なお、辺部２８６ｆは、辺部２８０ｄの延長線上に形成されている。包装箱５−２の展開状態において、折れ線Ｃ２８６は、折れ線Ｃ２６０と平行に形成されている。
【０１７１】
なお、折れ線Ｃ２８６は、互いに平行な二重の罫線（二重の折れ線としてもよい）により形成されていて、辺部２８６ａは、折れ線Ｃ２８６における片部２８６側の罫線（折れ線としてもよい）と一致し、折込み片部２８０の片部２８６側の辺部は、折れ線Ｃ２８６における折込み片部２８０側の罫線（折れ線としてもよい）と一致する。なお、折れ線Ｃ２８１と辺部２８０ｃ間の角度α２４２は、角度α２４１と同一（略同一としてもよい）となっている。
【０１７２】
なお、角度α２４１と角度α２４２は同一であり、第１片部２８２は略直角三角形であるので、折れ線Ｃ２８０上に沿った直線と折れ線Ｃ２８１上に沿った直線間の角度α２４３と折れ線Ｃ２８６と折れ線Ｃ２８１間の角度α２４２の和は、９０度となる。つまり、角度α２４１が４５度（略４５度としてもよい）であるとすると、角度α２４２及び角度α２４３も４５度（略４５度としてもよい）となる。
【０１７３】
なお、包装箱５−２の組立て状態において、折れ線Ｃ２８０は包装箱５−２の内側の面から見て谷折りとなるが、折れ線Ｃ２８０を谷折りとした場合には、折れ線Ｃ２８１は、谷折りとなり、折れ線Ｃ２８６は、山折りとなる。つまり、折れ線Ｃ２８６は、包装箱５−２を構成するブランクにおける折れ線Ｃ２８０、Ｃ２８１を谷折りとした面においては、山折りとなる。また、第２片部２８４は、側面部２１２の外側の面の左側面側の端部領域に接着され（つまり、第２片部２８４（厳密には、第２片部２８４における第１片部２８２の外側の面（該第１片部２８２の外側の面は、側面部２１６の外側の面から連なっている）から連なる面）が側面部２１２の外側の面の左側面側の端部領域に対向した状態で接着されている）、片部２８６（厳密には、片部２８６における第２片部２８４の接着面から連なる面）は、上面部２２０の外側の面の左側面側で側面部２１２側の端部領域に接着されている。なお、第２片部２８４における全ての領域が側面部２１２に接着され、片部２８６における全ての領域が上面部２２０に接着されている。第２片部２８４の領域の一部が側面部２１２に接着された構成としてもよく、片部２８６の領域の一部が上面部２２０に接着された構成としてもよい。なお、第１片部２８２と第２片部２８４は、接着されていない。第２片部２８４が側面部２１８に接着し、片部２８６が上面部２２０に接着された状態では、折れ線Ｃ２８６は、折れ線Ｃ２１２と平行で折れ線Ｃ２１２に沿った状態であり、折れ線Ｃ２８６の２本の罫線が折れ線Ｃ２１２を介して両側に位置する。
【０１７４】
また、第２片部２８４と側面部２１２は折れ線を介して連設されておらず（つまり、第２片部２８４と側面部２１２の左側面側の端部とは連結されていない）、包装箱５−２の展開状態において、第２片部２８４と側面部２１２の左側面側の端部の間には、隙間ＳＰ２４が設けられている。
【０１７５】
なお、折れ線Ｃ２７０、Ｃ２７６、Ｃ２８０、Ｃ２８６は、二重の罫線により形成されているとしたが、１本の罫線（つまり、１本の折れ線）により形成してもよい。なお、１本の罫線とする場合に、段ボールにおいて通常用いる丸罫を用いるほか、角罫を用いることにより帯状の罫線としてもよい。なお、上記で説明した罫線以外にも各折れ線に沿って罫線が設けられている。
【０１７６】
なお、包装箱５−２の展開状態において、側面部２１４と上面フラップ２４０間の境界には、切込み２４０Ｋ−１〜２４０Ｋ−３が間隔を介して設けられ、側面部２１６と上面フラップ２４２の境界には、切込み２４２Ｋ−１〜２４２Ｋ−３が設けられている。
【０１７７】
切込み２４０Ｋ−１〜２４０Ｋ−３における各切込みは同様の構成であるので、切込み２４０Ｋ−１を例に取って説明すると、切込み２４０Ｋ−１は、折れ線Ｃ２４０に沿った直線部Ｋａと、直線部Ｋａの一方の端部から連設され略円弧状に形成された曲線部Ｋｂと、直線部Ｋａの他方の端部から連設され略円弧状に形成された曲線部Ｋｃとを有し、直線部Ｋａは、折れ線Ｃ２４０よりも外側に位置し、曲線部Ｋｂ、Ｋｃの直線部Ｋａ側とは反対側の端部は、折れ線Ｃ２４０よりも内側に位置し、包装箱５−２を組み立てた際には、切込み２４０Ｋ−１に沿った辺部を有する突状部が構成される。切込み２４０Ｋ−１〜２４０Ｋ−３は、折れ線Ｃ２４０に沿って等間隔に設けられている。これらの切込み２４０Ｋ−１〜２４０Ｋ−３が設けられていることにより、図２０のように包装箱５−２を組み立てた状態とする際に、容易に上面フラップ２４０が側面部２１４に対して折り曲げた状態とすることができ、さらに、包装箱５−２を組み立てた状態では、切込み２４０Ｋ−１〜２４０Ｋ−３に沿った辺部を有する突状部が上方に突出するので、上面部２２０、２３０が側面部２１４の外側にはみ出すのを防止することができる。
【０１７８】
切込み２４２Ｋ−１〜２４２Ｋ−３は、包装箱５−２の展開状態において、切込み２４０Ｋ−１〜２４０Ｋ−３と線対称に形成され、切込み２４２Ｋ−１は、前後方向の中心線を介して切込み２４０Ｋ−１と線対称に形成され、切込み２４２Ｋ−２は、前後方向の中心線を介して切込み２４０Ｋ−２と線対称に形成され、切込み２４２Ｋ−３は、前後方向の中心線を介して切込み２４０Ｋ−２と線対称に形成されている。つまり、切込み２４２Ｋ−１〜２４２Ｋ−３における各切込みは同様の構成であるので、切込み２４２Ｋ−１を例に取って説明すると、切込み２４２Ｋ−１は、折れ線Ｃ２４２に沿った直線部Ｋａと、直線部Ｋａの一方の端部から連設され略円弧状に形成された曲線部Ｋｂと、直線部Ｋａの他方の端部から連設され略円弧状に形成された曲線部Ｋｃとを有し、直線部Ｋａは、折れ線Ｃ２４２よりも外側に位置し、曲線部Ｋｂ、Ｋｃの直線部Ｋａ側とは反対側の端部は、折れ線Ｃ２４２よりも内側に位置し、包装箱５−２を組み立てた際には、切込み２４２Ｋ−１に沿った辺部を有する突状部が構成される。これらの切込み２４２Ｋ−１〜２４２Ｋ−３が設けられていることにより、図２０のように包装箱５−２を組み立てた状態とする際に、容易に上面フラップ２４２が側面部２１６に対して折り曲げた状態とすることができ、さらに、包装箱５−２を組み立てた状態では、切込み２４２Ｋ−１〜２４２Ｋ−３に沿った辺部を有する突状部が上方に突出するので、上面部２２０、２３０が側面部２１６の外側にはみ出すのを防止することができる。
【０１７９】
なお、包装箱５−２は、包装箱５−２の展開状態（図１４に示す展開状態）においては、左右方向の中心線を介して前後対称に形成されるとともに、前後方向の中心線を介して左右対称に形成されている。
【０１８０】
包装箱５−２の製造に際しては、展開状態の包装箱５−２に対して、折込み片部２５０を側面部２１４に対して折り返すとともに、折込み片部２７０を側面部２１４に対して折り返した状態で、第２片部２５４、２７４と片部２５６、２７６に接着剤を塗布して側面部２１４を底面部２１０側に折り返し、折込み片部２６０を側面部２１６に対して折り返すとともに、折込み片部２８０を側面部２１６に対して折り返した状態で、第２片部２６４、２８４と片部２６６、２８６に接着剤を塗布して側面部２１６を底面部２１０側に折り返すことにより、第２片部２５４、２６４が側面部２１８に接着し、片部２５６、２６６が上面部２３０に接着するとともに、第２片部２７４、２８４が側面部２１２に接着し、片部２７６、２８６が上面部２２０に接着する。
【０１８１】
包装箱５−２を扁平状に畳んだ状態は、図１３に示すようになり、側面部２１２、２１８を底面部２１０に対して折り畳んだ状態とすることにより、第１片部２５２、２６２の外側の面が、側面部２１８の外側の面に対向し、第１片部２７２、２８２の外側の面が、側面部２１２の外側の面に対向し、側面部２１４、２１６が底面部２１０に対して内側に傾斜して、包装箱が折り畳まれた状態となる。図１３の状態では、第１片部２５２、２６２、２７２、２８２と第２片部２５４、２６４、２７４、２８４間の角度が大きくなって折込み片部２５０、２６０、２７０、２８０が略平板状となるので、側面部２１４、２１６と上面フラップ２４０、２４２が上面部２２０、２３０に接した状態とでき、扁平状に折り畳むことができる。
【０１８２】
図１３に示すように包装箱５−２を折り畳んだ状態から組立て状態にするには、側面部２１２、２１８と上面部２２０、２３０を、図１９に示すように、起立した状態にしていく。つまり、上面部２２０、２３０において上側に位置する上面部である上側配置上面部を手でつかんで起立させていくと、上側配置上面部の両側の辺部が上面フラップ２４０、２４２の内側の面に接した状態となる。つまり、上面部２３０を上側配置上面部とした場合に、上面部２３０を引き上げる途中の状態では、側面部２１８と上面部２３０が底面部２１０に対して傾斜しており、その状態では、第１片部２５２は側面部２１４に対して傾斜した状態であり、そうすると、第１片部２５２の傾斜に応じて側面部２１４も内側に傾斜しており、また、第１片部２６２は側面部２１６に対して傾斜した状態であり、そうすると、第１片部２６２の傾斜に応じて側面部２１６も内側に傾斜する。なお、上面部２２０は上面部２３０よりも下側に位置するので、第１片部２７２は側面部２１４に対して傾斜しており、その点でも側面部２１４が内側に傾斜し、また、第１片部２８２は側面部２１６に対して傾斜しており、その点でも側面部２１６が内側に傾斜している。以上のように、上面部２３０を引き上げる途中の状態では、側面部２１４、２１６が内側に傾斜しているので、上面フラップ２４０、２４２も内側に傾斜し、上側配置上面部の両側の辺部が上面フラップ２４０、２４２の内側の面に接する。
【０１８３】
ここで、上面部２２０、２３０において上側に配置された上面部（上側配置上面部）の左右両側の端部が側面部２１４、２１６に接することにより、側面部２１４、２１６の罫線Ｃ２１４ａ、Ｃ２１４ｂ、Ｃ２１６ａ、Ｃ２１６ｂが包装箱５−２の外側から見て山折りとなって側面部２１４、２１６が折れ曲がるので、底面部２１０と側面部２１４、２１６の基端領域２１４−１、２１６−１の角度が大きくなり、さらには、上面フラップ２４０、２４２の罫線Ｃ２４０ａ、Ｃ２４０ｂ、Ｃ２４２ａ、Ｃ２４２ｂも外側から見て山折りとなって、上面フラップ２４０、２４２が折れ曲がるので、上側配置上面部が側面部２１４、２１６や上面フラップ２４０、２４２に引っ掛かって邪魔になることがなく、上側配置上面部がスムーズに引き上げられる。
【０１８４】
つまり、側面部２１４の端部領域２１４−２が折込み片部２５０に連設され、端部領域２１４−３が折込み片部２７０に連設されているので、上側配置上面部に押されて上面フラップ２４０が起立していくと、端部領域２１４−２が折込み片部２５０に引っ張られるとともに、端部領域２１４−３が折込み片部２７０に引っ張られるので、罫線Ｃ２１４ａ、Ｃ２１４ｂが側面部２１４の外側から見て山折りとなり、側面部２１４の本体領域２１４−１の底面部２１０に対する角度が大きくなり、同様に、側面部２１６の端部領域２１６−２が折込み片部２６０に連設され、端部領域２１６−３が折込み片部２８０に連設されているので、上側配置上面部に押されて上面フラップ２４２が起立していくと、端部領域２１６−２が折込み片部２６０に引っ張られるとともに、端部領域２１６−３が折込み片部２８０に引っ張られるので、罫線Ｃ２１６ａ、Ｃ２１６ｂが側面部２１６の外側から見て山折りとなり、側面部２１６の本体領域２１６−１の底面部２１０に対する角度が大きくなり、側面部２１４、２１６が邪魔になることがない。
【０１８５】
また、上面フラップ２４０、２４２の罫線が山折りとなって上面フラップ２４０、２４２が折れ曲がる点について説明すると、上面フラップ２４０の罫線が側面部２１４の罫線と連続している（つまり、罫線Ｃ２１４ａと罫線Ｃ２４０ａが連続し、罫線Ｃ２１４ｂと罫線Ｃ２４０ｂが連続する）とともに、上面フラップ２４２の罫線が側面部２１６の罫線と連続している（つまり、罫線Ｃ２１６ａと罫線Ｃ２４２ａが連続し、罫線Ｃ２１６ｂと罫線Ｃ２４２ｂが連続する）ことから、側面部２１４、２１６が折れ曲がることに伴い上面フラップ２４０、２４２も折れ曲がり、また、上面配置上面部の左右両側の端部が上面フラップ２４０、２４２の一対の罫線間の領域（上面フラップ２４０における罫線Ｃ２４０ａと罫線Ｃ２４０ｂ間の領域や上面フラップ２４２における罫線Ｃ２４２ａと罫線Ｃ２４２ｂ間の領域）に接することによっても上面フラップ２４０、２４２は折れ曲がる。また、上面部２２０、２３０における上面配置上面部以外の上面部については、上側配置上面部が起立することにより、すでに側面部２１４、２１６と上面フラップ２４０、２４２が起立している（つまり、上面配置上面部の右側面側の辺部が上面フラップ２４０に接し、上面配置上面部の左側面側の辺部が上面フラップ２４２に接していることにより、側面部２１４、２１６と上面フラップ２４０、２４２が起立している）ので、上面配置上面部以外の上面部は容易に引き上げることができ、上面配置上面部以外の上面部を上方に引き上げることにより、該上面部も上面フラップ２４０、２４２に接している。以上のように、上面部２２０、２３０を上方に引き上げて上面フラップ２４０、２４２の内側の面に接することにより、図１９に示す状態となる。
【０１８６】
罫線Ｃ２１４ａ〜Ｃ２１６ｂ、Ｃ２４０ａ〜Ｃ２４２ｂがなく、側面部２１４、２１６と上面フラップ２４０、２４２が折れ曲がらない場合には、上側配置上面部が側面部２１４、２１６や上面フラップ２４０、２４２に引っ掛かってしまい、上側配置上面部を起立させることができない。
【０１８７】
なお、上面フラップ２４０、２４２を外側に開くことにより、折込み片部２５０、２６０、２７０、２８０が折れ曲がって側面部２１８と上面部２３０及び側面部２１２と上面部２２０が傾斜した状態となるので、側面部２１８と上面部２３０及び側面部２１２と上面部２２０が傾斜した状態で上面フラップ２４０、２４２を開いている手を離すことにより上面フラップ２４０、２４２が上面部２２０、２３０に接した状態とし、その後に、上面部２２０、２３０の先端をさらに上方に引き上げて図１９に示す状態としてもよい。
【０１８８】
そして、上面部２２０、２３０を手でつかんで、図２０に示すように、側面部２１２及び上面部２２０、側面部２１８及び上面部２３０が底面部２１０に対して直角となるように起立させると、上面部２２０、２３０の両側の辺部が上面フラップ２４０、２４２の内側の面と接した状態が解除され、上面フラップ２４０、２４２は、若干内側に傾斜した状態となる。つまり、包装箱５−２が折り畳まれた状態では、側面部２１４、２１６は底面部２１０側に折り曲げられているため、折れ線Ｃ２１４、Ｃ２１６は側面部２１４、２１６が内側に折曲するように折り癖がついており、さらに、側面部２１４は折込み片部２５０、２７０と連設され、側面部２１６は折込み片部２６０、２８０と連設されていて、側面部２１４、２１６の底面部２１０との角度が直角よりも大きくなることはないので、結果として、上面部２２０、２３０の両側の辺部が上面フラップ２４０、２４２の内側の面と接した状態が解除されると、側面部２１４が底面部２１０に対して内側に若干傾斜し、側面部２１４が傾斜することにより上面フラップ２４０も内側に傾斜し、また、側面部２１６が底面部２１０に対して内側に若干傾斜し、側面部２１６が傾斜することにより上面フラップ２４２も内側に傾斜する。なお、側面部２１２、２１８が底面部２１０に対して直角になると、側面部２１４は折込み片部２５０、２７０を介して側面部２１８、２１２と連結され、側面部２１６は折込み片部２６０、２８０を介して側面部２１８、２１２と連結されている関係で、側面部２１４、２１６は底面部２１０に対して略直角になるが、折り癖により内側に傾斜する。これにより、上面フラップ２４０は、底面部２１０に対する直角方向の仮想面に対して内側に傾斜して起立し、上面フラップ２４２は、底面部２１０に対する直角方向の仮想面に対して内側に傾斜して起立した状態となり、上面部２２０、２３０が内側に付勢された際に上面フラップ２４０、２４２に接しやすくすることができる。
【０１８９】
そして、上面部２２０、２３０を起立させていた手を離すと、上面部２２０は、折込み片部２７０の第２片部２７４が側面部２１２の外側の面に接着され、片部２７６が上面部２２０の外側の面に接着されているとともに、折込み片部２８０の第２片部２８４が側面部２１２の外側の面に接着され、片部２８６が上面部２２０の外側の面に接着されていて、二つ折りにされていた折込み片部２７０、２８０における第１片部２７２と第２片部２７４間の角度と第１片部２８２と第２片部２８４間の角度が自然に大きくなろうとする（つまり、折込み片部２７０、２８０が二つ折りに折り曲げられる前の状態に復元しようとする）ので、第２片部２７４が折れ線Ｃ２７１を介して正面側に回動し、第２片部２８４が折れ線Ｃ２８１を介して正面側に回動し、これにより、側面部２１２は、第２片部２７４、２８４により正面側に押されて（つまり、付勢されて）、側面部２１２が正面側に押されるので上面部２２０も正面側に押される（つまり、付勢される）。また、上面部２２０は、第２片部２７４、２８４が正面側に回動するので、第２片部２７４に連設された片部２７６と第２片部２８４に連設された片部２８６によっても正面側に押される（つまり、付勢される）。
【０１９０】
また、上面部２３０は、折込み片部２５０の第２片部２５４が側面部２１８の外側の面に接着され、片部２５６が上面部２３０の外側の面に接着されているとともに、折込み片部２６０の第２片部２６４が側面部２１８の外側の面に接着され、片部２６６が上面部２３０の外側の面に接着されていて、二つ折りにされていた折込み片部２５０、２６０における第１片部２５２と第２片部２５４間の角度と第１片部２６２と第２片部２６４間の角度が自然に大きくなろうとする（つまり、折込み片部２５０、２６０が二つ折りに折り曲げられる前の状態に復元しようとする）ので、第２片部２５４が折れ線Ｃ２５１を介して背面側に回動し、第２片部２６４が折れ線Ｃ２６１を介して背面側に回動し、これにより、側面部２１８は、第２片部２５４、２６４により背面側に押されて（つまり、付勢されて）、側面部２１８が背面側に押されるので上面部２３０も背面側に押される（つまり、付勢される）。また、上面部２３０は、第２片部２５４、２６４が背面側に回動するので、第２片部２５４に連設された片部２５６と第２片部２６４に連設された片部２６６によっても背面側に押される（つまり、付勢される）。
【０１９１】
すると、上面フラップ２４０、２４２が内側に傾斜して起立しているので、上面部２２０の内側の面が上面フラップ２４０、２４２の背面側の辺部に接して、上面部２２０が上面フラップ２４０、２４２を押すことになり、また、上面部２３０の内側の面が上面フラップ２４０、２４２の正面側の辺部に接して、上面部２３０が上面フラップ２４０、２４２を押すことになるので、上面部２２０、２３０が上面フラップ２４０、２４２を押した状態が維持され、上面フラップ２４０、２４２を上面部２２０、２３０により押される状態で起立させておくことにより、図２０に示すように、上面部２２０、２３０と上面フラップ２４０、２４２が起立した状態が維持され（この状態を起立維持状態とする）、底面部２１０の上方が開放された状態となる。
【０１９２】
なお、上面部２２０、２３０の両側の辺部が上面フラップ２４０、２４２の内側の面と接した状態が解除された際に、上面フラップ２４０、２４２が底面部２１０に対して略直角になった場合には、上面フラップ２４０、２４２をやや内側に傾斜させた状態で、上面部２２０、２３０が上面フラップ２４０、２４２に接するようにすれば、上面部２２０、２３０と上面フラップ２４０、２４２が起立した状態が維持される。
【０１９３】
起立維持状態では、包装箱５−２が底面部２１０の上方が開放された状態で維持されるので、この状態で、被収納物を収納する。なお、上記のように、包装箱５−２が底面部２１０の上方が開放された状態で維持されるので、上面部２２０、２３０や上面フラップ２４０、２４２を手で押さえておく必要はない。
【０１９４】
そして、被収納物を収納したら、上面フラップ２４０を側面部２１４に対して内側に回動させるとともに、上面フラップ２４２を側面部２１６に対して内側に回動させることにより、上面部２２０、２３０を側面部２１２、２１８に対して内側に回動させることができ、図２１に示すように、上面部２２０、２３０を回動させ、上面フラップ２４０、２４２の上面に上面部２２０、２３０が接触し、各上面部２２０、２３０の先端側の辺部が互いに突き合わされた状態とし、粘着テープＴを右側面部２１４の上端領域から上面部２２０、２３０の突き合わせ箇所を含む領域を経て左側面部２１６の上端領域に貼り付けることにより、包装箱５−２の閉状態を固定する。なお、図２１に示す状態が包装箱５−２の組立て状態であるが、図２０に示す状態も組立て状態としてもよい。
【０１９５】
以上のように、本実施例の包装箱５−２によれば、折込み片部２５０、２６０、２７０、２８０と片部２５６、２６６、２７６、２８６が設けられているので、上面部２２０、２３０と上面フラップ２４０、２４２が起立した状態を維持して、底面部２１０の上方を開放した状態とでき、被収納物を収納する際に、上面部２２０、２３０や上面フラップ２４０、２４２を手で保持しておく必要がなく、両手を用いて被収納物を底面部２１０に載置して包装箱に収納することができる。
【０１９６】
つまり、隣接する側面部（側面部２１２と側面部２１４、側面部２１２と側面部２１６、側面部２１８と側面部２１４、側面部２１８と側面部２１６）が糊代部（第２片部２５４、２６４、２７４、２８４）で連結されている包装箱において、２つの隣接する側面部と連結された側面部２１２、２１８から連設された蓋（上面部２２０、２３０）を手で保持していなくても、側面部から連設された底面部２１０の上方を開放した状態で底面部２１０に被収納物を載置することができる。
【０１９７】
特に、第２片部２５４、２６４が側面部２１８に接着され、第２片部２７４、２８４が側面部２１２に接着されているのみならず、片部２５６が第２片部２５４から連設され、片部２６６が第２片部２６４から連設され、片部２５６、２６６が上面部２３０に接着されており、片部２７６が第２片部２７４から連設され、片部２８６が第２片部２８４から連設され、片部２７６、２８６が上面部２２０に接着されているので、片部２５６、２６６、２７６、２８６によっても上面部２３０、２２０を内側（つまり、上面フラップ２４０、２４２側）に押すことができる。つまり、第２片部２５４、２６４が側面部２１８を内側に押すことにより、側面部２１８から連設された上面部２３０が内側に押されるとともに、片部２５６、２６６が上面部２３０を押すことにより、上面部２３０が内側に押されるようにすることができ、第２片部２７４、２８４が側面部２１２を内側に押すことにより、側面部２１２から連設された上面部２２０が内側に押されるとともに、片部２７６、２８６が上面部２２０を押すことにより、上面部２２０が内側に押されるようにすることができる。
【０１９８】
また、第２片部２５４、２６４、２７４、２８４は、側面部２１８、２１２と折れ線を介して連設された構成ではないので、第２片部と側面部の接着（第２片部２５４と側面部２１８の接着、第２片部２６４と側面部２１８の接着、第２片部２７４と側面部２１２の接着、第２片部２８４と側面部２１２の接着）が剥がれてしまうおそれがない。つまり、包装箱５−２が、包装箱５−３よりは箱としての厚みがあるものの、比較的厚みの薄い被収納物を収納するためのものであり、側面部２１２、２１８の高さ方向の幅が小さいため、必然的に第２片部２５４、２６４、２７４、２８４の大きさも小さくなり、接着領域も小さくなることから、仮に、第２片部２５４、２６４が側面部２１８と折れ線を介して連設された構成で、第２片部２７４、２８４が側面部２１２と折れ線を介して連設された構成とすると、第２片部２５４、２６４、２７４、２８４と側面部２１８、２１２とが折れ線を介して折り返された状態となり、折れ線を介した第２片部２５４、２６４、２７４、２８４と側面部２１８、２１２とが折り返される前の状態に戻ろうとする力により、第２片部２５４、２６４、２７４、２８４と側面部２１８、２１２との接着が剥がれてしまうおそれがあるが、本実施例においては、第２片部２５４、２６４、２７４、２８４と側面部２１８、２１２とが分離された構成であるので、第２片部２５４、２６４、２７４、２８４と側面部２１８、２１２との接着が剥がれるおそれが小さくなる。
【０１９９】
なお、第２片部２５４が側面部２１８に接着され、第２片部２６４が側面部２１８に接着され、第２片部２７４が側面部２１２に接着され、第２片部２８４が側面部２１２に接着されているとしたが、第２片部２５４が側面部２１８に接着されておらず、第２片部２６４が側面部２１８が接着されておらず、第２片部２７４が側面部２１２に接着されておらず、第２片部２８４が側面部２１２が接着されていなくてもよい。その場合でも、片部２５６が上面部２３０に接着されているので第２片部２５４が側面部２１８の外側の面と対向し、片部２６６が上面部２３０に接着されているので第２片部２６４が側面部２１８の外側の面と対向し、片部２７６が上面部２２０に接着されているので第２片部２７４が側面部２１２の外側の面と対向し、片部２８６が上面部２２０に接着されているので第２片部２８４が側面部２１２の外側の面と対向し、折込み片部２５０、２６０が二つ折りに折り曲げる前の状態に戻ろうとして第２片部２５４、２６４が側面部２１８を押すことになり（つまり、側面部２１８が付勢される）、折込み片部２７０、２８０が二つ折りに折り曲げる前の状態に戻ろうとして第２片部２７４、２８４が側面部２１２を押すことになる（つまり、側面部２１２が付勢される）。このように第２片部２５４、２６４、２７４、２８４を接着しない方法は、仮に、第２片部２５４、２６４、２７４、２８４の面積が小さく、第２片部２５４、２６４、２７４、２８４に接着剤を塗布するのが困難な場合に有効といえる。また、接着剤を塗布する手間を少なくできる。
【０２００】
また、折れ線Ｃ２１４、Ｃ２１６、Ｃ２５０、Ｃ２５６、Ｃ２６０、Ｃ２６６、Ｃ２７０、Ｃ２７６、Ｃ２８０、Ｃ２８６は、二重の罫線により形成されているので、折れ線を介した折曲げを確実にすることができる。
【０２０１】
なお、折れ線Ｃ２１４と折れ線Ｃ２５０は直角をなし、折れ線Ｃ２１６と折れ線Ｃ２６０は直角をなし、折れ線Ｃ２１４と折れ線Ｃ２７０は直角をなし、折れ線Ｃ２１６と折れ線Ｃ２８０は直角をなすとしたが、必ずしも直角でなくてもよい。ただし、図２０の状態で被収納物を収納しやすくするとともに、側面部２１２、２１８や上面部２２０、２３０が内側に押されやすくするには、直角とするのが好ましい。
【０２０２】
また、上記の説明において、角度α２１１、α２１２、α２２１、α２２２、α２３１、α２３２、α２４１、α２４２は、４５度であるとしたが、４５度には限られず、４５度よりも大きくてもよく、また、４５度よりも小さくてもよく、折れ線Ｃ２５１の折れ線Ｃ２５０との距離が折れ線Ｃ２５０の上端側に行くほど長くなるように傾斜していればよく、折れ線Ｃ２６１の折れ線Ｃ２６０との距離が折れ線Ｃ２６０の上端側に行くほど長くなるように傾斜していればよく、折れ線Ｃ２７１の折れ線Ｃ２７０との距離が折れ線Ｃ２７０の上端側に行くほど長くなるように傾斜していればよく、折れ線Ｃ２８１の折れ線Ｃ２８０との距離が折れ線Ｃ２８０の上端側に行くほど長くなるように傾斜していればよい。ただし、実施例１の場合と同様の理由により、角度α２１１、α２１２、α２２１、α２２２、α２３１、α２３２、α２４１、α２４２は４５度（略４５度としてもよい）とするのが好ましく、また、上記角度α２１１〜α２４２を４５度以外の角度とする場合でも、第２片部２５４と側面部２１８の右側面側の端部との間には、隙間が設けられるか、あるいは、第２片部２５４と側面部２１８の右側面側の端部とが当接し、第２片部２６４と側面部２１８の左側面側の端部との間には、隙間が設けられるか、あるいは、第２片部２６４と側面部２１８の左側面側の端部とが当接していればよく、また、第２片部２７４と側面部２１２の右側面側の端部との間には、隙間が設けられるか、あるいは、第２片部２７４と側面部２１２の右側面側の端部とが当接し、第２片部２８４と側面部２１２の左側面側の端部との間には、隙間が設けられるか、あるいは、第２片部２８４と側面部２１２の左側面側の端部とが当接していればよい。
【０２０３】
なお、本実施例において、実施例３のように、片部２５６、２６６、２７６、２８６が、左右方向において、第２片部２５４、２６４、２７４、２８４よりも長く形成され、包装箱５−２の組立て状態において、片部２５６が、第２片部２５４の第２片部２６４側の端部位置よりも左右方向において片部２６６側に突出する突状部を有し、片部２６６が、第２片部２６４の第２片部２５４側の端部位置よりも左右方向において片部２５６側に突出する突状部を有し、片部２７６が、第２片部２７４の第２片部２８４側の端部位置よりも左右方向において片部２８６側に突出する突状部を有し、片部２８６が、第２片部２８４の第２片部２７４側の端部位置よりも左右方向において片部２７６側に突出する突状部３８６−１を有する構成としてもよい。
【実施例３】
【０２０４】
次に、実施例３の包装箱について説明する。実施例３の包装箱５−３は、図２２〜図２９に示すように構成され、方形状（具体的には、長方形状）の底面部３１０と、底面部３１０の背面側の辺部から折れ線Ｃ３１０を介して連設された側面部（第１側面部）３１２と、底面部３１０の右側面側の辺部から折れ線Ｃ３１４を介して連設された側面部（第３側面部）３１４と、底面部３１０の左側面側の辺部から折れ線Ｃ３１６を介して連設された側面部（第４側面部）３１６と、底面部３１０の正面側の辺部から折れ線Ｃ３１１を介して連設された側面部（第２側面部）３１８と、側面部３１２の底面部３１０側とは反対側の辺部から折れ線（第８折れ線）Ｃ３１２を介して連設された上面部（背面側上面部）３２０と、側面部３１８から折れ線（第１折れ線）Ｃ３１８を介して連設された上面部（正面側上面部）３３０と、側面部３１４の底面部３１０側とは反対側の辺部から折れ線（第１５折れ線）Ｃ３４０を介して連設された上面フラップ（右上面フラップ）３４０と、側面部３１６の底面部３１０側とは反対側の辺部から折れ線（第１６折れ線）Ｃ３４２を介して連設された上面フラップ（左上面フラップ）３４２と、側面部３１４の正面側の辺部から折れ線を介して連設された折込み片部（正面側右折込み片部）３５０と、折込み片部３５０から折れ線を介して連設された片部（正面側右片部）３５６と、側面部２１６の正面側の辺部から折れ線を介して連設された折込み片部（正面側左折込み片部）３６０と、折込み片部３６０から折れ線を介して連設された片部（正面側左片部）３６６と、側面部３１４の背面側の辺部から折れ線を介して連設された折込み片部（背面側右折込み片部）３７０と、折込み片部３７０から折れ線を介して連設された片部（背面側右片部）３７６と、側面部３１６の背面側の辺部から折れ線を介して連設された折込み片部（背面側左折込み片部）３８０と、折込み片部３８０から折れ線を介して連設された片部（背面側左片部）３８６とを有している。包装箱５−３は、全体に１枚のシート状のブランク（具体的には、段ボール製（例えば、薄型段ボール製）のブランクであり、厚紙製のブランク等の他の紙製のブランクでもよい）により形成されている。つまり、包装箱５−３は、段ボール材（特に、両面段ボール材）等の紙製の包装箱である。
【０２０５】
ここで、底面部３１０は、互いに平行な一対の辺部（第１辺部）３１０ａ、３１０ｄと、辺部３１０ａ、３１０ｄに直角な一対の辺部（第２辺部）３１０ｂ、３１０ｃを有している。
【０２０６】
また、側面部３１２、３１４、３１６、３１８は、ともに細長長方形状を呈し、側面部３１２、３１４、３１６、３１８における高さ方向の幅は、略同一（同一としてもよい）となっていて、厳密には、包装箱５−３の組立て時に上面部３２０、３３０が上面フラップ３４０、３４２の上側となるため、側面部３１２、３１８の高さ方向の幅は、側面部２３４、３１６の高さ方向の幅よりも若干長く形成されている。包装箱５−３は、厚みの薄い被収納物を収納するための包装箱であるので、側面部３１２〜３１８の高さ方向の幅は小さく形成されている。側面部３１２、３１４、３１６、３１８は長方形状であるので、折れ線Ｃ３１４と折れ線Ｃ３５０、Ｃ３７０は直角をなし、折れ線Ｃ３１６と折れ線Ｃ３６０、Ｃ３８０は直角をなし、辺部３１０ｄと折れ線Ｃ３１８は平行であり、辺部３１０ａと折れ線Ｃ３１２は平行となっている。
【０２０７】
また、側面部３１２、３１８の左右方向の長さは、底面部３１０の左右方向の長さと略同一となっていて（厳密には、底面部３１０の左右方向の長さよりも若干短く形成されている）、側面部３１４、３１６の前後方向の長さは、底面部３１０の前後方向の長さと同一（略同一としてもよい）となっている。
【０２０８】
なお、側面部３１４と底面部３１０間の折れ線Ｃ３１４は、互いに平行な二重（つまり、２本）の罫線（二重（つまり、２本）の折れ線としてもよい）により形成され、側面部３１６と底面部３１０間の折れ線Ｃ３１６は、互いに平行な二重の罫線（二重の折れ線としてもよい）により形成されている。なお、これらの折れ線を二重の罫線の代わりに１本の罫線（つまり、１本の折れ線）により形成してもよい。なお、１本の罫線とする場合に、段ボールにおいて通常用いる丸罫を用いるほか、角罫を用いることにより帯状の罫線としてもよい。
【０２０９】
また、上面部３２０は、長方形状を呈し、厳密には、先端側の両側の角部を小さく略円弧状に面取りした長方形状を呈している。上面部３２０の左右方向の長さＬ３２２は、側面部３１２の左右方向の長さと同一に（厳密には、側面部３１２の左右方向の長さよりも若干短く）なっていて、折れ線Ｃ３１２から上面部３２０の先端までの長さＬ３２３は、底面部３１０の辺部３１０ａと辺部３１０ｄ間の長さＬ３１０の１／２の長さよりも若干長くなっている（長さＬ３１０の１／２としてもよい）。
【０２１０】
また、上面部３３０は、長方形状を呈し、厳密には、先端側の両側の角部を小さく略円弧状に面取りした長方形状を呈している。包装箱５−３の展開状態において、上面部３３０は、左右方向の中心線を介して上面部３２０と前後線対称に形成されている。上面部３３０の左右方向の長さＬ３３２は、側面部３１８の左右方向の長さと同一に（厳密には、側面部３１２の左右方向の長さよりも若干短く）なっていて、折れ線Ｃ３１８から上面部本体３３２の先端までの長さＬ３３３は、底面部３１０の辺部３１０ａと辺部３１０ｄ間の長さＬ３１０の１／２の長さよりも若干長くなっている（長さＬ３１０の１／２としてもよい）。
【０２１１】
また、上面フラップ３４０は、先端側の両側の角部が略円弧状に形成された略長方形状を呈している。
【０２１２】
また、上面フラップ３４２は、先端側の両側の角部が略円弧状に形成された略長方形状を呈している。
【０２１３】
また、折込み片部３５０は、側面部３１４の正面側の辺部から折れ線（第２折れ線）Ｃ３５０を介して連設されている。
【０２１４】
折込み片部３５０の展開状態では、略方形状に形成され、具体的には、図２６に示すように、側面部３１４の正面側の辺部に沿った直線状の辺部３５０ａと、辺部３５０ａの端部（底面部３１０側とは反対側の端部）から連設され、辺部３５０ａに対して直角の直線状の辺部３５０ｂと、辺部３５０ｂの端部から連設され、辺部３５０ｂに対して直角の直線状の辺部３５０ｃと、辺部３５０ｃの端部から連設され、辺部３５０ｃに対して鈍角をなす直線状の辺部３５０ｄと、辺部３５０ｄの端部から連設され、辺部３５０ｄの方向に対して鈍角をなす直線状の辺部３５０ｅと、辺部３５０ｅの端部から連設され、辺部３５０ｅの方向に対して１８０度よりも大きい角度に形成され、辺部３５０ａの端部まで形成された直線状の辺部３５０ｆとにより囲まれた形状を呈している。折込み片部３５０は、折れ線（第３折れ線）Ｃ３５１を介して二つ折りとなっていて、折れ線Ｃ３５１を介して側面部３１４側の第１片部（右第１片部）３５２と片部３５６側の第２片部（右第２片部）３５４とに区画されている。折れ線Ｃ３５１は、辺部３５０ｂと辺部３５０ｃ間の角部（辺部３５０ｃの辺部３５０ｂ側の端部としてもよい）と辺部３５０ｅ（辺部３５０ｅの一方の端部から他方の端部までの途中位置）間に設けられ、包装箱５−３の展開状態において、辺部３５０ｂと辺部３５０ｃ間の角部と底面部３１０の辺部３１０ｂと辺部３１０ｄ間の角部（辺部３１０ｂの辺部３１０ｄ側の端部としてもよい）とを結ぶ直線上に沿って形成されている。なお、折れ線Ｃ３５１と辺部３５０ｂ間の角度α３１１は、４５度（略４５度としてもよい）になっており、これにより、第１片部３５２は、直角二等辺三角形の一部を切り欠いた形状となっており、辺部３５０ｃは、辺部３５０ａと平行になっている。
【０２１５】
この折れ線Ｃ３５１は、折れ線Ｃ３５０の方向に対して傾斜し折れ線Ｃ３５０との距離（つまり、折れ線Ｃ３５０までの垂線の長さ）（折れ線Ｃ２３０までの長さとしてもよい）が折れ線Ｃ３５０の底面部３１０側から反対側（つまり、折れ線Ｃ３５０の上端側）に行くほど長くなるように傾斜している。
【０２１６】
なお、折れ線Ｃ３５０は、互いに平行な二重の罫線（二重の折れ線としてもよい）により形成されていて、辺部３５０ａは、折れ線Ｃ３５０における折込み片部３５０側の罫線（折れ線としてもよい）と一致し、側面部３１４の正面側の辺部は、折れ線Ｃ３５０における側面部３１４側の罫線（折れ線としてもよい）と一致する。
【０２１７】
また、片部３５６は、折れ線（第４折れ線）Ｃ３５６を介して連設され、略方形状を呈している。つまり、片部３５６は、折込み片部３５０の辺部３５０ｃに沿った直線状の辺部３５６ａと、辺部３５６ａの端部（包装箱５−３の組立て状態における内側の端部）から連設され、辺部３５６ａに対して鈍角をなす直線状の辺部３５６ｂと、辺部３５６ｂの端部から連設され、略円弧状の辺部３５６ｃと、辺部３５６ｃの端部から連設され、辺部３５６ａの方向に対して直角方向をなす直線状の辺部３５６ｄと、辺部３５６ｄの端部から連設され、略円弧状の辺部３５６ｅと、辺部３５６ｅの端部から連設され、辺部３５６ａと平行な直線状の辺部３５６ｆと、辺部３５６ｆの端部から連設され、略円弧状の辺部３５６ｇと、辺部３５６ｇの端部から連設され、辺部３５６ａの端部にまで形成された直線状の辺部３５６ｈとにより囲まれた形状を呈している。なお、辺部３５６ｈは、辺部３５０ｄの延長線上に形成されている。包装箱５−３の展開状態において、折れ線Ｃ３５６は、折れ線Ｃ３５０と平行に形成されている。
【０２１８】
片部３５６は、折れ線Ｃ３５６の方向（左右方向）において、第２片部３５４よりも長く形成されていて（つまり、片部３５６の折れ線Ｃ３５６の方向における最大長さは、第２片部３５４の折れ線Ｃ３５６の方向における最大長さよりも長く形成されている）、具体的には、片部３５６の辺部３５６ｄと辺部３５６ａの辺部３５６ｂとは反対側の端部との間の折れ線Ｃ３５６の方向における長さＬ３５６は、辺部３５０ｃの辺部３５０ｂ側の端部と辺部３５０ｄと辺部３５０ｅの接点との間の折れ線Ｃ３５６の方向における長さＬ３５４よりも長く形成されている。これにより、包装箱５−３の組立て状態において、片部３５６は、第２片部３５４の第２片部３６４側の端部位置よりも左右方向において片部３６６側に突出する突状部（第１突状部）３５６−１を有している。つまり、突状部３５６−１は、片部３５６において、辺部３５６ａの辺部３５６ｂ側の端部から辺部３５６ａと直角な仮想直線３５６Ｊよりも片部３６６側に突出した領域である。
【０２１９】
なお、折れ線Ｃ３５６は、互いに平行な二重の罫線（二重の折れ線としてもよい）により形成されていて、辺部３５６ａは、折れ線Ｃ３５６における片部３５６側の罫線（折れ線としてもよい）と一致し、折込み片部３５０の片部３５６側の辺部は、折れ線Ｃ３５６における折込み片部３５０側の罫線（折れ線としてもよい）と一致する。なお、折れ線Ｃ３５１と辺部３５０ｃ間の角度α３１２は、角度α３１１と同一（略同一としてもよい）となっている。
【０２２０】
なお、角度α３１１と角度α３１２は同一であり、第１片部３５２は略直角三角形であるので、折れ線Ｃ３５０上に沿った直線と折れ線Ｃ３５１上に沿った直線間の角度α３１３と折れ線Ｃ３５６と折れ線Ｃ３５１間の角度α３１２の和は、９０度となる。つまり、角度α３１１が４５度（略４５度としてもよい）であるとすると、角度α３１２及び角度α３１３も４５度（略４５度としてもよい）となる。
【０２２１】
なお、包装箱５−３の組立て状態において、折れ線Ｃ３５０は包装箱５−３の内側の面から見て谷折りとなるが、折れ線Ｃ３５０を谷折りとした場合には、折れ線Ｃ３５１は、谷折りとなり、折れ線Ｃ３５６は、山折りとなる。つまり、折れ線Ｃ３５６は、包装箱５−３を構成するブランクにおける折れ線Ｃ３５０、Ｃ３５１を谷折りとした面においては、山折りとなる。また、第２片部３５４は、側面部３１８の外側の面の右側面側の端部領域に接着され、（つまり、第２片部３５４（厳密には、第２片部３５４における第１片部３５２の外側の面（該第１片部３５２の外側の面は、側面部３１４の外側の面から連なっている）から連なる面）が側面部３１８の外側の面の右側面側の端部領域に対向した状態で接着されている）、片部３５６（厳密には、片部３５６における第２片部３５４の接着面から連なる面）は、上面部３３０の外側の面の右側面側で側面部３１８側の端部領域に接着されている。なお、第２片部３５４における全ての領域が側面部３１８に接着され、片部３５６における全ての領域が上面部３３０に接着されている。つまり、突状部３５６−１の領域も上面部３３０に接着されている。第２片部３５４の領域の一部が側面部３１８に接着された構成としてもよく、片部３５６の領域の一部が上面部２３０に接着された構成としてもよい。この場合、突状部３５６−１の領域の少なくとも一部が上面部３３０に接着されているのが好ましい。なお、第１片部３５２と第２片部３５４は、接着されていない。第２片部３５４が側面部３１８に接着し、片部３５６が上面部３３０に接着された状態では、折れ線Ｃ３５６は、折れ線Ｃ３１８と平行で折れ線Ｃ３１８に沿った状態であり、折れ線Ｃ３５６の２本の罫線が折れ線Ｃ３１８を介して両側に位置する。
【０２２２】
また、第２片部３５４と側面部３１８は折れ線を介して連設されておらず（つまり、第２片部３５４と側面部３１８の右側面側の端部とは連結されていない）、包装箱５−３の展開状態において、第２片部３５４と側面部３１８の右側面側の端部の間には、隙間ＳＰ３１が設けられている。
【０２２３】
また、折込み片部３６０は、側面部３１６の正面側の辺部から折れ線（第５折れ線）Ｃ３６０を介して連設されている。包装箱５−３の展開状態において、折込み片部３６０は、折込み片部３５０と前後方向の中心線を介して左右線対称に形成されている。
【０２２４】
つまり、折込み片部３６０の展開状態では、折込み片部３６０は、略方形状に形成され、具体的には、図２７に示すように、辺部３６０ａ〜辺部３６０ｆにより囲まれた形状を呈している。辺部３６０ａ〜３６０ｆは、辺部３５０ａ〜３５０ｆにおける各辺部と左右線対称に形成されている。
【０２２５】
また、折込み片部３６０は、折れ線（第６折れ線）Ｃ３６１を介して二つ折りとなっていて、折れ線Ｃ３６１を介して側面部３１６側の第１片部（左第１片部）３６２と片部（左第２片部）３６６側の第２片部３６４とに区画されている。折れ線Ｃ３６１は、辺部３６０ｂと辺部３６０ｃ間の角部（辺部３６０ｃの辺部３６０ｂ側の端部としてもよい）と辺部３６０ｅ（辺部３６０ｅの一方の端部から他方の端部までの途中位置）間に設けられ、包装箱５−３の展開状態において、辺部３６０ｂと辺部３６０ｃ間の角部と底面部３１０の辺部３１０ｃと辺部３１０ｄ間の角部（辺部３１０ｃの辺部３１０ｄ側の端部としてもよい）とを結ぶ直線上に沿って形成されている。なお、折れ線Ｃ３６１と辺部３６０ｂ間の角度α３２１は、４５度（略４５度としてもよい）になっており、これにより、第１片部３６２は、直角二等辺三角形の一部を切り欠いた形状となっており、辺部３６０ｃは、辺部３６０ａと平行になっている。
【０２２６】
この折れ線Ｃ３６１は、折れ線Ｃ３６０の方向に対して傾斜し折れ線Ｃ３６０との距離（つまり、折れ線Ｃ３６０までの垂線の長さ）（折れ線Ｃ３６０までの長さとしてもよい）が折れ線Ｃ３６０の底面部３１０側から反対側（つまり、折れ線Ｃ３６０の上端側）に行くほど長くなるように傾斜している。
【０２２７】
なお、折れ線Ｃ３６０は、互いに平行な二重の罫線（二重の折れ線としてもよい）により形成されていて、辺部３６０ａは、折れ線Ｃ３６０における折込み片部３６０側の罫線（折れ線としてもよい）と一致し、側面部３１６の正面側の辺部は、折れ線Ｃ３６０における側面部３１６側の罫線（折れ線としてもよい）と一致する。
【０２２８】
また、片部３６６は、折れ線（第７折れ線）Ｃ３６６を介して連設され、略方形状を呈している。つまり、片部３６６は、辺部３６６ａ〜辺部３６６ｈにより囲まれた形状を呈している。片部３６６は、包装箱５−３の展開状態において、前後方向の中心線を介して、片部３５６と左右線対称に形成され、辺部３６６ａ〜３６６ｈは、辺部３５６ａ〜３５６ｈにおける各辺部と左右線対称に形成されている。なお、辺部３６６ｆは、辺部３６０ｄの延長線上に形成されている。包装箱５−３の展開状態において、折れ線Ｃ３６６は、折れ線Ｃ３６０と平行に形成されている。
【０２２９】
片部３６６は、折れ線Ｃ３６６の方向（左右方向）において、第２片部３６４よりも長く形成されていて（つまり、片部３６６の折れ線Ｃ３６６の方向における最大長さは、第２片部３６４の折れ線Ｃ３６６の方向における最大長さよりも長く形成されている）、具体的には、片部３６６の辺部３６６ｄと辺部３６６ａの辺部３６６ｂとは反対側の端部との間の折れ線Ｃ３６６の方向における長さＬ３６６は、辺部３６０ｃの辺部３６０ｂ側の端部と辺部３６０ｄと辺部３６０ｅの接点との間の折れ線Ｃ３６６の方向における長さＬ３６４よりも長く形成されている。これにより、包装箱５−３の組立て状態において、片部３６６は、第２片部３６４の第２片部３５４側の端部位置よりも左右方向において片部３５６側に突出する突状部（第２突状部）３６６−１を有している。つまり、突状部３６６−１は、片部３６６において、辺部３６６ａの辺部３６６ｂ側の端部から辺部３６６ａと直角な仮想直線３６６Ｊよりも片部３５６側に突出した領域である。
【０２３０】
なお、折れ線Ｃ３６６は、互いに平行な二重の罫線（二重の折れ線としてもよい）により形成されていて、辺部３６６ａは、折れ線Ｃ３６６における片部３６６側の罫線（折れ線としてもよい）と一致し、折込み片部３６０の片部３６６側の辺部は、折れ線Ｃ３６６における折込み片部３６０側の罫線（折れ線としてもよい）と一致する。なお、折れ線Ｃ３６１と辺部３６０ｃ間の角度α３２２は、角度α３２１と同一（略同一としてもよい）となっている。
【０２３１】
なお、角度α３２１と角度α３２２は同一であり、第１片部３６２は略直角三角形であるので、折れ線Ｃ３６０上に沿った直線と折れ線Ｃ２６１上に沿った直線間の角度α３２３と折れ線Ｃ３６６と折れ線Ｃ３６１間の角度α３２２の和は、９０度となる。つまり、角度α３２１が４５度（略４５度としてもよい）であるとすると、角度α３２２及び角度α３２３も４５度（略４５度としてもよい）となる。
【０２３２】
なお、包装箱５−３の組立て状態において、折れ線Ｃ３６０は包装箱５−３の内側の面から見て谷折りとなるが、折れ線Ｃ３６０を谷折りとした場合には、折れ線Ｃ３６１は、谷折りとなり、折れ線Ｃ３６６は、山折りとなる。つまり、折れ線Ｃ３６６は、包装箱５−３を構成するブランクにおける折れ線Ｃ３６０、Ｃ３６１を谷折りとした面においては、山折りとなる。また、第２片部３６４は、側面部３１８の外側の面の左側面側の端部領域に接着され（つまり、第２片部３６４（厳密には、第２片部３６４における第１片部３６２の外側の面（該第１片部３６２の外側の面は、側面部３１６の外側の面から連なっている）から連なる面）が側面部３１８の外側の面の左側面側の端部領域に対向した状態で接着されている）、片部３６６（厳密には、片部３６６における第２片部３６４の接着面から連なる面）は、上面部３３０の外側の面の左側面側で側面部３１８側の端部領域に接着されている。なお、第２片部３６４における全ての領域が側面部３１８に接着され、片部３６６における全ての領域が上面部３３０に接着されている。つまり、突状部３６６−１の領域も上面部３３０に接着されている。第２片部３６４の領域の一部が側面部３１８に接着された構成としてもよく、片部３６６の領域の一部が上面部３３０に接着された構成としてもよい。この場合、突状部３６６−１の領域の少なくとも一部が上面部３３０に接着されているのが好ましい。なお、第１片部３６２と第２片部３６４は、接着されていない。第２片部３６４が側面部３１８に接着し、片部３６６が上面部３３０に接着された状態では、折れ線Ｃ３６６は、折れ線Ｃ３１８と平行で折れ線Ｃ３１８に沿った状態であり、折れ線Ｃ３６６の２本の罫線が折れ線Ｃ３１８を介して両側に位置する。
【０２３３】
また、第２片部３６４と側面部３１８は折れ線を介して連設されておらず（つまり、第２片部３６４と側面部３１８の左側面側の端部とは連結されていない）、包装箱５−３の展開状態において、第２片部３６４と側面部３１８の左側面側の端部の間には、隙間ＳＰ３２が設けられている。
【０２３４】
なお、折れ線Ｃ３５０、Ｃ３５６、Ｃ３６０、Ｃ３６６は、二重の罫線により形成されているとしたが、１本の罫線（つまり、１本の折れ線）により形成してもよい。なお、１本の罫線とする場合に、段ボールにおいて通常用いる丸罫を用いるほか、角罫を用いることにより帯状の罫線としてもよい。
【０２３５】
また、折込み片部３７０は、側面部３１４の背面側の辺部から折れ線（第９折れ線）Ｃ３７０を介して連設されている。包装箱５−３の展開状態において、折込み片部３７０は、折込み片部３５０と左右方向の中心線を介して前後線対称に形成されている。
【０２３６】
折込み片部３７０の展開状態では、略方形状に形成され、具体的には、図２８に示すように、側面部３１４の背面側の辺部に沿った直線状の辺部３７０ａと、辺部３７０ａの端（底面部３１０側とは反対側の端部）部から連設され、辺部３７０ａに対して直角の直線状の辺部３７０ｂと、辺部３７０ｂの端部から連設され、辺部３７０ｂに対して直角の直線状の辺部３７０ｃと、辺部３７０ｃの端部から連設され、辺部３７０ｃに対して鈍角をなす直線状の辺部３７０ｄと、辺部３７０ｄの端部から連設され、辺部３７０ｄの方向に対して鈍角をなす直線状の辺部３７０ｅと、辺部３７０ｅの端部から連設され、辺部３７０ｅの方向に対して１８０度よりも大きい角度に形成され、辺部３７０ａの端部まで形成された直線状の辺部３７０ｆとにより囲まれた形状を呈している。折込み片部３７０は、折れ線（第１０折れ線）Ｃ３７１を介して二つ折りとなっていて、折れ線Ｃ３７１を介して側面部３１４側の第１片部（背面側右第１片部）３７２と片部３７６側の第２片部（背面側右第２片部）３７４とに区画されている。折れ線Ｃ３７１は、辺部３７０ｂと辺部３７０ｃ間の角部と（辺部３７０ｃの辺部３７０ｂ側の端部としてもよい）と辺部３７０ｅ（辺部３５０ｅの一方の端部から他方の端部までの途中位置）間に設けられ、包装箱５−３の展開状態において、辺部３７０ｂと辺部３７０ｃ間の角部と底面部３１０の辺部３１０ｂと辺部３１０ａ間の角部（辺部３１０ｂの辺部３１０ａ側の端部としてもよい）とを結ぶ直線上に沿って形成されている。なお、折れ線Ｃ３７１と辺部３７０ｂ間の角度α３３１は、４５度（略４５度としてもよい）になっており、これにより、第１片部３７２は、直角二等辺三角形の一部を切り欠いた形状となっており、辺部３７０ｃは、辺部３７０ａと平行になっている。
【０２３７】
この折れ線Ｃ３７１は、折れ線Ｃ３７０の方向に対して傾斜し折れ線Ｃ３７０との距離（つまり、折れ線Ｃ３７０までの垂線の長さ）（折れ線Ｃ３７０までの長さとしてもよい）が折れ線Ｃ３７０の底面部３１０側から反対側（つまり、折れ線Ｃ３７０の上端側）に行くほど長くなるように傾斜している。
【０２３８】
なお、折れ線Ｃ３７０は、互いに平行な二重の罫線（二重の折れ線としてもよい）により形成されていて、辺部３７０ａは、折れ線Ｃ３７０における折込み片部３７０側の罫線（折れ線としてもよい）と一致し、側面部３１４の背面側の辺部は、折れ線３２７０における側面部３１４側の罫線（折れ線としてもよい）と一致する。
【０２３９】
また、片部３７６は、折れ線（第１１折れ線）Ｃ３７６を介して連設され、略方形状を呈している。片部３７６は、包装箱５−３の展開状態において、左右方向の中心線を介して、片部３５６と前後線対称に形成されている。つまり、片部３７６は、折込み片部３７０の辺部３７０ｃに沿った直線状の辺部３７６ａと、辺部２７６ａの端部（包装箱５−３の組立て状態における内側の端部）から連設され、辺部３７６ａに対して鈍角をなす直線状の辺部３７６ｂと、辺部３７６ｂの端部から連設され、略円弧状の辺部３７６ｃと、辺部３７６ｃの端部から連設され、辺部３７６ａの方向に対して直角方向をなす直線状の辺部３７６ｄと、辺部３７６ｄの端部から連設され、略円弧状の辺部３７６ｅと、辺部３７６ｅの端部から連設され、辺部３７６ａと平行な直線状の辺部３７６ｆと、辺部３７６ｆの端部から連設され、略円弧状の辺部３７６ｇと、辺部３７６ｇの端部から連設され、辺部３７６ａの端部にまで形成された直線状の辺部３７６ｈとにより囲まれた形状を呈している。なお、辺部３７６ｈは、辺部３７０ｄの延長線上に形成されている。包装箱５−３の展開状態において、折れ線Ｃ３７６は、折れ線Ｃ３７０と平行に形成されている。
【０２４０】
片部３７６は、折れ線Ｃ３７６の方向（左右方向）において、第２片部３７４よりも長く形成されていて（つまり、片部３７６の折れ線Ｃ３７６の方向における最大長さは、第２片部３７４の折れ線Ｃ３７６の方向における最大長さよりも長く形成されている）、具体的には、片部３７６の辺部３７６ｄと辺部３７６ａの辺部３７６ｂとは反対側の端部との間の折れ線Ｃ３７６の方向における長さＬ３７６は、辺部３７０ｃの辺部３７０ｂ側の端部と辺部３７０ｄと辺部３７０ｅの接点との間の折れ線Ｃ３７６の方向における長さＬ３７４よりも長く形成されている。これにより、包装箱５−３の組立て状態において、片部３７６は、第２片部３７４の第２片部３８４側の端部位置よりも左右方向において片部３８６側に突出する突状部（第３突状部）３７６−１を有している。つまり、突状部３７６−１は、片部３７６において、辺部３７６ａの辺部３７６ｂ側の端部から辺部３７６ａと直角な仮想直線３７６Ｊよりも片部３８６側に突出した領域である。
【０２４１】
なお、折れ線Ｃ３７６は、互いに平行な二重の罫線（二重の折れ線としてもよい）により形成されていて、辺部３７６ａは、折れ線Ｃ３７６における片部３７６側の罫線（折れ線としてもよい）と一致し、折込み片部３７０の片部３７６側の辺部は、折れ線Ｃ３７６における折込み片部３７０側の罫線（折れ線としてもよい）と一致する。なお、折れ線Ｃ３７１と辺部３７０ｃ間の角度α３３２は、α３３１と同一（略同一としてもよい）となっている。
【０２４２】
なお、角度α３３１と角度α３３２は同一であり、第１片部３７２は略直角三角形であるので、折れ線Ｃ３７０上に沿った直線と折れ線Ｃ２７１上に沿った直線間の角度α３３３と折れ線Ｃ３７６と折れ線Ｃ３７１間の角度α３３２の和は、９０度となる。つまり、角度α３３１が４５度（略４５度としてもよい）であるとすると、角度α３３２及び角度α３３３も４５度（略４５度としてもよい）となる。
【０２４３】
なお、包装箱５−３の組立て状態において、折れ線Ｃ３７０は包装箱５−３の内側の面から見て谷折りとなるが、折れ線Ｃ３７０を谷折りとした場合には、折れ線Ｃ３７１は、谷折りとなり、折れ線Ｃ３７６は、山折りとなる。つまり、折れ線Ｃ３７６は、包装箱５−３を構成するブランクにおける折れ線Ｃ３７０、Ｃ３７１を谷折りとした面においては、山折りとなる。また、第２片部３７４は、側面部３１２の外側の面の右側面側の端部領域に接着され（つまり、第２片部３７４（厳密には、第２片部３７４における第１片部３７２の外側の面（該第１片部３７２の外側の面は、側面部３１４の外側の面から連なっている）から連なる面）が側面部３１２の外側の面の右側面側の端部領域に対向した状態で接着されている）、片部３７６（厳密には、片部３７６における第２片部３７４の接着面から連なる面）は、上面部３２０の外側の面の右側面側で側面部３１２側の端部領域に接着されている。なお、第２片部３７４における全ての領域が側面部３１２に接着され、片部３７６における全ての領域が上面部３２０に接着されている。つまり、突状部３７６−１の領域も上面部３２０に接着されている。第２片部３７４の領域の一部が側面部３１２に接着された構成としてもよく、片部３７６の領域の一部が上面部３２０に接着された構成としてもよい。この場合、突状部３７６−１の領域の少なくとも一部が上面部３２０に接着されているのが好ましい。なお、第１片部３７２と第２片部３７４は、接着されていない。第２片部３７４が側面部３１２に接着し、片部３７６が上面部３２０に接着された状態では、折れ線Ｃ３７６は、折れ線Ｃ３１２と平行で折れ線Ｃ３１２に沿った状態であり、折れ線Ｃ３７６の２本の罫線が折れ線Ｃ３１２を介して両側に位置する。
【０２４４】
また、第２片部３７４と側面部３１２は折れ線を介して連設されておらず（つまり、第２片部３７４と側面部３１２の右側面側の端部とは連結されていない）、包装箱５−３の展開状態において、第２片部３７４と側面部３１２の右側面側の端部の間には、隙間ＳＰ３３が設けられている。
【０２４５】
また、折込み片部３８０は、側面部３１６の背面側の辺部から折れ線（第１２折れ線）Ｃ３８０を介して連設されている。包装箱５−３の展開状態において、折込み片部３８０は、折込み片部３７０と前後方向の中心線を介して左右線対称に形成されている。
【０２４６】
つまり、折込み片部３８０の展開状態では、折込み片部３８０は、略方形状に形成され、具体的には、図２９に示すように、辺部３８０ａ〜辺部３８０ｆにより囲まれた形状を呈している。辺部３８０ａ〜３８０ｆは、辺部３７０ａ〜３７０ｆにおける各辺部と左右線対称に形成されている。
【０２４７】
また、折込み片部３８０は、折れ線（第１３折れ線）Ｃ３８１を介して二つ折りとなっていて、折れ線Ｃ３８１を介して側面部３１６側の第１片部（背面側左第１片部）３８２と片部３８６側の第２片部（背面側左第２片部）３８４とに区画されている。折れ線Ｃ３８１は、辺部３８０ｂと辺部３８０ｃ間の角部（辺部３８０ｃの辺部３８０ｂ側の端部としてもよい）と辺部３８０ｅ（辺部３８０ｅの一方の端部から他方の端部までの途中位置）間に設けられ、包装箱５−３の展開状態において、辺部３８０ｂと辺部３８０ｃ間の角部と底面部３１０の辺部３１０ｃと辺部３１０ａ間の角部（辺部３１０ｃの辺部３１０ａ側の端部としてもよい）とを結ぶ直線上に沿って形成されている。なお、折れ線Ｃ３８１と辺部３８０ｂ間の角度α３４１は、４５度（略４５度としてもよい）になっており、これにより、第１片部３８２は、直角二等辺三角形の一部を切り欠いた形状となっており、辺部３８０ｃは、辺部３８０ａと平行になっている。
【０２４８】
この折れ線Ｃ３８１は、折れ線Ｃ３８０の方向に対して傾斜し折れ線Ｃ３８０との距離（つまり、折れ線Ｃ３８０までの垂線の長さ）（折れ線Ｃ３８０までの長さとしてもよい）が折れ線Ｃ３８０の底面部３１０側から反対側（つまり、折れ線Ｃ３８０の上端側）に行くほど長くなるように傾斜している。
【０２４９】
なお、折れ線Ｃ３８０は、互いに平行な二重の罫線（二重の折れ線としてもよい）により形成されていて、辺部３８０ａは、折れ線Ｃ３８０における折込み片部３８０側の罫線（折れ線としてもよい）と一致し、側面部３１６の背面側の辺部は、折れ線Ｃ３８０における側面部３１６側の罫線（折れ線としてもよい）と一致する。
【０２５０】
また、片部３８６は、折れ線（第１４折れ線）Ｃ３８６を介して連設され、略方形状を呈している。つまり、片部３８６は、辺部３８６ａ〜辺部３８６ｈにより囲まれた形状を呈している。片部３８６は、包装箱５−３の展開状態において、前後方向の中心線を介して、片部３７６と左右線対称に形成され、辺部３８６ａ〜３８６ｈは、辺部３７６ａ〜３７６ｈにおける各辺部と左右線対称に形成されている。なお、辺部３８６ｆは、辺部３８０ｄの延長線上に形成されている。包装箱５−３の展開状態において、折れ線Ｃ３８６は、折れ線Ｃ３６０と平行に形成されている。
【０２５１】
片部３８６は、折れ線Ｃ３８６の方向（左右方向）において、第２片部３８４よりも長く形成されていて（つまり、片部３８６の折れ線Ｃ３８６の方向における最大長さは、第２片部３８４の折れ線Ｃ３８６の方向における最大長さよりも長く形成されている）、具体的には、片部３８６の辺部３８６ｄと辺部３８６ａの辺部３８６ｂとは反対側の端部との間の折れ線Ｃ３８６の方向における長さＬ３８６は、辺部３８０ｃの辺部３８０ｂ側の端部と辺部３８０ｄと辺部３８０ｅの接点との間の折れ線Ｃ３８６の方向における長さＬ３８４よりも長く形成されている。これにより、包装箱５−３の組立て状態において、片部３８６は、第２片部３８４の第２片部３７４側の端部位置よりも左右方向において片部３７６側に突出する突状部（第４突状部）３８６−１を有している。つまり、突状部３８６−１は、片部３８６において、辺部３８６ａの辺部３８６ｂ側の端部から辺部３８６ａと直角な仮想直線３８６Ｊよりも片部３７６側に突出した領域である。
【０２５２】
なお、折れ線Ｃ３８６は、互いに平行な二重の罫線（二重の折れ線としてもよい）により形成されていて、辺部３８６ａは、折れ線Ｃ３８６における片部３８６側の罫線（折れ線としてもよい）と一致し、折込み片部３８０の片部３８６側の辺部は、折れ線Ｃ３８６における折込み片部３８０側の罫線（折れ線としてもよい）と一致する。なお、折れ線Ｃ３８１と辺部３８０ｃ間の角度α３４２は、角度α３４１と同一（略同一としてもよい）となっている。
【０２５３】
なお、角度α３４１と角度α３４２は同一であり、第１片部３８２は略直角三角形であるので、折れ線Ｃ３８０上に沿った直線と折れ線Ｃ３８１上に沿った直線間の角度α３４３と折れ線Ｃ３８６と折れ線Ｃ３８１間の角度α３４２の和は、９０度となる。つまり、角度α３４１が４５度（略４５度としてもよい）であるとすると、角度α３４２及び角度α３４３も４５度（略４５度としてもよい）となる。
【０２５４】
なお、包装箱５−３の組立て状態において、折れ線Ｃ３８０は包装箱５−３の内側の面から見て谷折りとなるが、折れ線Ｃ３８０を谷折りとした場合には、折れ線Ｃ３８１は、谷折りとなり、折れ線Ｃ３８６は、山折りとなる。つまり、折れ線Ｃ３８６は、包装箱５−３を構成するブランクにおける折れ線Ｃ３８０、Ｃ３８１を谷折りとした面においては、山折りとなる。また、第２片部３８４は、側面部３１２の外側の面の左側面側の端部領域に接着され（つまり、第２片部３８４（厳密には、第２片部３８４における第１片部３８２の外側の面（該第１片部３８２の外側の面は、側面部３１６の外側の面から連なっている）から連なる面）が側面部３１２の外側の面の左側面側の端部領域に対向した状態で接着されている）、片部３８６（厳密には、片部３８６における第２片部３８４の接着面から連なる面）は、上面部３２０の外側の面の左側面側で側面部３１２側の端部領域に接着されている。なお、第２片部３８４における全ての領域が側面部３１２に接着され、片部３８６における全ての領域が上面部３２０に接着されている。つまり、突状部３８６−１の領域も上面部３２０に接着されている。第２片部３８４の領域の一部が側面部３１２に接着された構成としてもよく、片部３８６の領域の一部が上面部３２０に接着された構成としてもよい。この場合、突状部３８６−１の領域の少なくとも一部が上面部３２０に接着されているのが好ましい。なお、第１片部３８２と第２片部３８４は、接着されていない。第２片部３８４が側面部３１２に接着し、片部３６６が上面部３２０に接着された状態では、折れ線Ｃ３６６は、折れ線Ｃ３１２と平行で折れ線Ｃ３１２に沿った状態であり、折れ線Ｃ３８６の２本の罫線が折れ線Ｃ３１２を介して両側に位置する。
【０２５５】
また、第２片部３８４と側面部３１２は折れ線を介して連設されておらず（つまり、第２片部３８４と側面部３１２の左側面側の端部とは連結されていない）、包装箱５−３の展開状態において、第２片部３８４と側面部３１２の左側面側の端部の間には、隙間ＳＰ３４が設けられている。
【０２５６】
なお、折れ線Ｃ３７０、Ｃ３７６、Ｃ３８０、Ｃ３８６は、二重の罫線により形成されているとしたが、１本の罫線（つまり、１本の折れ線）により形成してもよい。なお、１本の罫線とする場合に、段ボールにおいて通常用いる丸罫を用いるほか、角罫を用いることにより帯状の罫線としてもよい。なお、上記で説明した罫線以外にも各折れ線に沿って罫線が設けられている。
【０２５７】
なお、包装箱５−３は、包装箱５−３の展開状態（図２３に示す展開状態）においては、左右方向の中心線を介して前後対称に形成されるとともに、前後方向の中心線を介して左右対称に形成されている。
【０２５８】
包装箱５−３の製造に際しては、展開状態の包装箱５−３に対して、折込み片部３５０を側面部３１４に対して折り返すとともに、折込み片部３７０を側面部３１４に対して折り返した状態で、第２片部３５４、３７４と片部３５６、３７６に接着剤を塗布して側面部３１４を底面部３１０側に折り返し、折込み片部３６０を側面部３１６に対して折り返すとともに、折込み片部３８０を側面部３１６に対して折り返した状態で、第２片部３６４、３８４と片部３６６、３８６に接着剤を塗布して側面部３１６を底面部３１０側に折り返すことにより、第２片部３５４、３６４が側面部３１８に接着し、片部３５６、３６６が上面部３３０に接着するとともに、第２片部３７４、３８４が側面部３１２に接着し、片部３７６、３８６が上面部３２０に接着する。
【０２５９】
包装箱５−３を扁平状に畳んだ状態は、図２２に示すようになり、側面部３１２、３１８を底面部３１０に対して折り畳んだ状態とすることにより、第１片部３５２、３６２の外側の面が、側面部３１８の外側の面に対向し、第１片部３７２、３８２の外側の面が、側面部３１２の外側の面に対向し、側面部３１４、３１６が底面部３１０に対して内側に傾斜して、包装箱が折り畳まれた状態となる。図２２の状態では、第１片部３５２、３６２、３７２、３８２と第２片部３５４、３６４、３７４、３８４間の角度が大きくなって折込み片部３５０、３６０、３７０、３８０が略平板状となるので、側面部３１４、３１６と上面フラップ３４０、３４２が上面部３２０、３３０に接した状態とでき、扁平状に折り畳むことができる。
【０２６０】
図２２に示すように包装箱５−３を折り畳んだ状態から組立て状態にするには、上記実施例２の場合と同様であるが、閉状態を固定する場合の方法が異なる。つまり、実施例２では、粘着テープにより閉状態を固定するが、本実施例では、差込み片部と被差込み部により閉状態を固定する。すなわち、側面部３１２、３１８と上面部３２０、３３０を、図３０に示すように、起立した状態にしていく。つまり、上面部３２０、３３０において上側に位置する上面部である上側配置上面部を手でつかんで起立させていくと、上側配置上面部の両側の辺部が上面フラップ３４０、３４２の内側の面に接した状態となる。つまり、上面部３３０を上側配置上面部とした場合に、上面部３３０を引き上げる途中の状態では、側面部３１８と上面部３３０が底面部３１０に対して傾斜しており、その状態では、第１片部３５２は側面部３１４に対して傾斜した状態であり、そうすると、第１片部３５２の傾斜に応じて側面部３１４も内側に傾斜しており、また、第１片部３６２は側面部３１６に対して傾斜した状態であり、そうすると、第１片部３６２の傾斜に応じて側面部３１６も内側に傾斜する。なお、上面部３２０は上面部３３０よりも下側に位置するので、第１片部３７２は側面部３１４に対して傾斜しており、その点でも側面部３１４が内側に傾斜し、また、第１片部３８２は側面部３１６に対して傾斜しており、その点でも側面部３１６が内側に傾斜している。以上のように、上面部３３０を引き上げる途中の状態では、側面部３１４、３１６が内側に傾斜しているので、上面フラップ３４０、３４２も内側に傾斜し、上側配置上面部の両側の辺部が上面フラップ３４０、３４２の内側の面に接する。
【０２６１】
なお、上面フラップ３４０、３４２を外側に開くことにより、折込み片部３５０、３６０、３７０、３８０が折れ曲がって側面部３１８と上面部３３０及び側面部３１２と上面部３２０が傾斜した状態となるので、側面部３１８と上面部３３０及び側面部３１２と上面部３２０が傾斜した状態で上面フラップ３４０、３４２を開いている手を離すことにより上面フラップ３４０、３４２が上面部３２０、３３０に接した状態とし、その後に、上面部３２０、３３０の先端をさらに上方に引き上げて図３０に示す状態としてもよい。
【０２６２】
そして、上面部３２０、３３０を手でつかんで、図３１に示すように、側面部３１２及び上面部３２０、側面部３１８及び上面部３３０が底面部３１０に対して直角となるように起立させると、上面部３２０、３３０の両側の辺部が上面フラップ３４０、３４２の内側の面と接した状態が解除され、上面フラップ３４０、３４２は、若干内側に傾斜した状態となる。つまり、包装箱５−３が折り畳まれた状態では、側面部３１４、３１６は底面部３１０側に折り曲げられているため、折れ線Ｃ３１４、Ｃ３１６は側面部３１４、３１６が内側に折曲するように折り癖がついており、さらに、側面部３１４は折込み片部３５０、３７０と連設され、側面部３１６は折込み片部３６０、３８０と連設されていて、側面部３１４、３１６の底面部３１０との角度が直角よりも大きくなることはないので、結果として、上面部３２０、３３０の両側の辺部が上面フラップ３４０、３４２の内側の面と接した状態が解除されると、側面部３１４が底面部３１０に対して内側に若干傾斜し、側面部３１４が傾斜することにより上面フラップ３４０も内側に傾斜し、また、側面部３１６が底面部３１０に対して内側に若干傾斜し、側面部３１６が傾斜することにより上面フラップ３４２も内側に傾斜する。なお、側面部３１２、３１８が底面部３１０に対して直角になると、側面部３１４は折込み片部３５０、３７０を介して側面部３１８、３１２と連結され、側面部３１６は折込み片部３６０、３８０を介して側面部３１８、３１２と連結されている関係で、側面部３１４、３１６は底面部３１０に対して略直角になるが、折り癖により内側に傾斜する。これにより、上面フラップ１４０は、底面部１１０に対する直角方向の仮想面に対して内側に傾斜して起立し、上面フラップ１４２は、底面部１１０に対する直角方向の仮想面に対して内側に傾斜して起立した状態となり、上面部３２０、３３０が内側に付勢された際に上面フラップ３４０、３４２に接しやすくすることができる。
【０２６３】
そして、上面部３２０、３３０を起立させていた手を離すと、上面部３２０は、折込み片部３７０の第２片部３７４が側面部３１２の外側の面に接着され、片部３７６が上面部３２０の外側の面に接着されているとともに、折込み片部３８０の第２片部３８４が側面部３１２の外側の面に接着され、片部３８６が上面部３２０の外側の面に接着されていて、二つ折りにされていた折込み片部３７０、３８０における第１片部３７２と第２片部３７４間の角度と第１片部３８２と第２片部３８４間の角度が自然に大きくなろうとする（つまり、折込み片部３７０、３８０が二つ折りに折り曲げられる前の状態に復元しようとする）ので、第２片部３７４が折れ線Ｃ３７１を介して正面側に回動し、第２片部３８４が折れ線Ｃ３８１を介して正面側に回動し、これにより、側面部３１２は、第２片部３７４、３８４により正面側に押されて（つまり、付勢されて）、側面部３１２が正面側に押されるので上面部３２０も正面側に押される（つまり、付勢される）。また、上面部３２０は、第２片部３７４、３８４が正面側に回動するので、第２片部３７４に連設された片部３７６と第２片部３８４に連設された片部３８６によっても正面側に押される（つまり、付勢される）。
【０２６４】
また、上面部３３０は、折込み片部３５０の第２片部３５４が側面部３１８の外側の面に接着され、片部３５６が上面部３３０の外側の面に接着されているとともに、折込み片部３６０の第２片部３６４が側面部３１８の外側の面に接着され、片部３６６が上面部３３０の外側の面に接着されていて、二つ折りにされていた折込み片部３５０、３６０における第１片部３５２と第２片部３５４間の角度と第１片部３６２と第２片部３６４間の角度が自然に大きくなろうとする（つまり、折込み片部３５０、３６０が二つ折りに折り曲げられる前の状態に復元しようとする）ので、第２片部３５４が折れ線Ｃ３５１を介して背面側に回動し、第２片部３６４が折れ線Ｃ３６１を介して背面側に回動し、これにより、側面部３１８は、第２片部３５４、３６４により背面側に押されて（つまり、付勢されて）、側面部３１８が背面側に押されるので上面部３３０も正面側に押される（つまり、付勢される）。また、上面部３３０は、第２片部３５４、３６４が背面側に回動するので、第２片部３５４に連設された片部３５６と第２片部３６４に連設された片部３６６によっても背面側に押される（つまり、付勢される）。
【０２６５】
すると、上面フラップ３４０、３４２が内側に傾斜して起立しているので、上面部３２０の内側の面が上面フラップ３４０、３４２の背面側の辺部に接して、上面部３２０が上面フラップ３４０、３４２を押すことになり、上面部３３０の内側の面が上面フラップ３４０、３４２の正面側の辺部に接して、上面部３３０が上面フラップ３４０、３４２を押すことになるので、上面部３２０、３３０が上面フラップ３４０、３４２を押した状態が維持され、上面フラップ３４０、３４２を上面部３２０、３３０により押される状態で起立させておくことにより、図３１に示すように、上面部３２０、３３０と上面フラップ３４０、３４２が起立した状態が維持され（この状態を起立維持状態とする）、底面部３１０の上方が開放された状態となる。
【０２６６】
なお、上面部３２０、３３０の両側の辺部が上面フラップ３４０、３４２の内側の面と接した状態が解除された際に、上面フラップ３４０、３４２が底面部３１０に対して略直角になった場合には、上面フラップ３４０、３４２をやや内側に傾斜させた状態で、上面部３２０、３３０が上面フラップ３４０、３４２に接するようにすれば、上面部３２０、３３０と上面フラップ３４０、３４２が起立した状態が維持される。
【０２６７】
起立維持状態では、包装箱５−３が底面部３１０の上方が開放された状態で維持されるので、この状態で、被収納物を収納する。なお、上記のように、包装箱５−３が底面部３１０の上方が開放された状態で維持されるので、上面部３２０、３３０や上面フラップ３４０、３４２を手で押さえておく必要はない。
【０２６８】
そして、被収納物を収納したら、上面フラップ３４０を側面部３１４に対して内側に回動させるとともに、上面フラップ３４２を側面部３１６に対して内側に回動させることにより、上面部３２０、３３０を側面部３１２、３１８に対して内側に回動させることができ、上面部３２０の先端と上面部３３０の先端とが対向して上面部３２０、３３０が閉じた状態となったら、図３２に示すように、粘着テープＴを右側面部３１４から上面部３２０、３３０の突き合わせ箇所を含む領域を経て左側面部３１６に貼り付けることにより、包装箱５−３の閉状態を固定する。なお、図３２に示す状態が包装箱５−３の組立て状態であるが、図３１に示す状態も組立て状態としてもよい。
【０２６９】
以上のように、本実施例の包装箱５−３によれば、折込み片部３５０、３６０、３７０、３８０と片部３５６、３６６、３７６、３８６が設けられているので、上面部３２０、３３０と上面フラップ３４０、３４２が起立した状態を維持して、底面部３１０の上方を開放した状態とでき、被収納物を収納する際に、上面部３２０、３３０や上面フラップ３４０、３４２を手で保持しておく必要がなく、両手を用いて被収納物を底面部３１０に載置して包装箱に収納することができる。
【０２７０】
つまり、隣接する側面部（側面部３１２と側面部３１４、側面部３１２と側面部３１６、側面部３１８と側面部３１４、側面部３１８と側面部３１６）が糊代部（第２片部３５４、３６４、３７４、３８４）で連結されている包装箱において、２つの隣接する側面部と連結された側面部３１２、３１８から連設された蓋（上面部３２０、３３０）を手で保持していなくても、側面部から連設された底面部３１０の上方を開放した状態で底面部３１０に被収納物を載置することができる。
【０２７１】
特に、第２片部３５４、３６４が側面部３１８に接着され、第２片部３７４、３８４が側面部３１２に接着されているのみならず、片部３５６が第２片部３５４から連設され、片部３６６が第２片部３６４から連設され、片部３７６が第２片部３７４から連設され、片部３８６が第２片部３８４から連設されて、片部３５６、３６６が上面部３３０に接着され、片部３７６、３８６が上面部３２０に接着されているので、片部３５６、３６６、３７６、３８６によっても上面部３３０、３２０を内側（つまり、上面フラップ３４０、３４２側）に押すことができる。つまり、第２片部３５４、３６４が側面部３１８を内側に押すことにより、側面部３１８から連設された上面部３３０が内側に押されるとともに、片部３５６、３６６が上面部３３０を押すことにより、上面部３３０が内側に押されるようにすることができ、第２片部３７４、３８４が側面部３１２を内側に押すことにより、側面部３１２から連設された上面部３２０が内側に押されるとともに、片部３７６、３８６が上面部３２０を押すことにより、上面部３２０が内側に押されるようにすることができる。
【０２７２】
また、片部３５６、３６６、３７６、３８６は、左右方向において、第２片部３５４、３６４、３７４、３８４よりも長く形成され、突状部３５６−１、３６６−１、３７６−１、３８６−１が設けられているので、片部３５６、３６６が上面部３３０を左右方向に広い範囲で押すことができて、片部３５６、３６６が上面部３３０を押しやすくすることができ、また、片部３７６、３８６が上面部３２０を左右方向に広い範囲で押すことができて、片部３７６、３８６が上面部３２０を押しやすくすることができる。
【０２７３】
特に、この実施例３では、側面部３１２〜３１８の高さ方向の幅は小さく形成されていることから、必然的に第２片部３５４、３６４、３７４、３８４の面積が小さく、第２片部３５４、３６４が側面部３１８を押す力や第２片部３７４、３８４が側面部３１２を押す力が小さいが、片部３５６、３６６、３７６、３８６は、左右方向において、第２片部３５４、３６４、３７４、３８４よりも長く形成され、突状部３５６−１、３６６−１、３７６−１、３８６−１が設けられているので、第２片部３５４、３６４、３７４、３８４が側面部３１２、３１８を押す力が弱い点を補うことができる。つまり、片部３５６、３６６、３７６、３８６の左右方向の長さを長くして、突状部３５６−１、３６６−１、３７６−１、３８６−１を設けることは、側面部３１２〜３１８の高さ方向の幅は小さく形成されている場合に有効といえる。
また、第２片部３５４、３６４、３７４、３８４は、側面部３１８、３１２と折れ線を介して連設された構成ではないので、第２片部と側面部の接着（第２片部３５４と側面部３１８の接着、第２片部３６４と側面部３１８の接着、第２片部３７４と側面部３１２の接着、第２片部３８４と側面部３１２の接着）が剥がれてしまうおそれがない。つまり、包装箱５−３が厚みの薄い被収納物を収納するためのものであり、側面部３１２、３１８の高さ方向の幅が小さいため、必然的に第２片部３５４、３６４、３７４、３８４の大きさも小さくなり、接着領域も小さくなることから、仮に、第２片部３５４、３６４が側面部３１８と折れ線を介して連設された構成で、第２片部３７４、３８４が側面部３１２と折れ線を介して連設された構成とすると、第２片部３５４、３６４、３７４、３８４と側面部３１８、３１２とが折れ線を介して折り返された状態となり、折れ線を介した第２片部３５４、３６４、３７４、３８４と側面部３１８、３１２とが折り返される前の状態に戻ろうとする力により、第２片部３５４、３６４、３７４、３８４と側面部３１８、３１２との接着が剥がれてしまうおそれがあるが、本実施例においては、第２片部３５４、３６４、３７４、３８４と側面部３１８、３１２とが分離された構成であるので、第２片部３５４、３６４、３７４、３８４と側面部３１８、３１２との接着が剥がれるおそれが小さくなる。
【０２７４】
なお、第２片部３５４が側面部３１８に接着され、第２片部３６４が側面部３１８に接着され、第２片部３７４が側面部３１２に接着され、第２片部３８４が側面部３１２に接着されているとしたが、第２片部３５４が側面部３１８に接着されておらず、第２片部３６４が側面部３１８が接着されておらず、第２片部３７４が側面部３１２に接着されておらず、第２片部３８４が側面部３１２が接着されていなくてもよい。その場合でも、片部３５６が上面部３３０に接着されているので第２片部３５４が側面部３１８の外側の面と対向し、片部３６６が上面部３３０に接着されているので第２片部３６４が側面部３１８の外側の面と対向し、片部３７６が上面部３２０に接着されているので第２片部３７４が側面部３１２の外側の面と対向し、片部３８６が上面部３２０に接着されているので第２片部３８４が側面部３１２の外側の面と対向し、折込み片部３５０、３６０が二つ折りに折り曲げる前の状態に戻ろうとして第２片部３５４、３６４が側面部３１８を押すことになり（つまり、側面部３１８が付勢される）、折込み片部３７０、３８０が二つ折りに折り曲げる前の状態に戻ろうとして第２片部３７４、３８４が側面部３１２を押すことになる（つまり、側面部３１２が付勢される）。このように第２片部３５４、３６４、３７４、３８４を接着しない方法は、側面部３１８、３１２の高さ方向の幅が小さく第２片部３５４、３６４、３７４、３８４の面積が小さいことにより、第２片部３５４、３６４、３７４、３８４に接着剤を塗布するのが困難な場合に有効といえる。また、接着剤を塗布する手間を少なくできる。
【０２７５】
また、折れ線Ｃ３１４、Ｃ３１６、Ｃ３５０、Ｃ３５６、Ｃ３６０、Ｃ３６６、Ｃ３７０、Ｃ３７６、Ｃ３８０、Ｃ３８６は、二重の罫線により形成されているので、折れ線を介した折曲げを確実にすることができる。
【０２７６】
なお、折れ線Ｃ３１４と折れ線Ｃ３５０は直角をなし、折れ線Ｃ３１６と折れ線Ｃ３６０は直角をなし、折れ線Ｃ３１４と折れ線Ｃ３７０は直角をなし、折れ線Ｃ３１６と折れ線Ｃ３８０は直角をなすとしたが、必ずしも直角でなくてもよい。ただし、図３１の状態で被収納物を収納しやすくするとともに、側面部３１２、３１８や上面部３２０、３３０が内側に押されやすくするには、直角とするのが好ましい。
【０２７７】
また、上記の説明において、角度α３１１、α３１２、α３２１、α３２２、α３３１、α３３２、α３４１、α３４２は、４５度であるとしたが、４５度には限られず、４５度よりも大きくてもよく、また、４５度よりも小さくてもよく、折れ線Ｃ３５１の折れ線Ｃ３５０との距離が折れ線Ｃ３５０の上端側に行くほど長くなるように傾斜していればよく、折れ線Ｃ３６１の折れ線Ｃ３６０との距離が折れ線Ｃ３６０の上端側に行くほど長くなるように傾斜していればよく、折れ線Ｃ３７１の折れ線Ｃ３７０との距離が折れ線Ｃ３７０の上端側に行くほど長くなるように傾斜していればよく、折れ線Ｃ３８１の折れ線Ｃ３８０との距離が折れ線Ｃ３８０の上端側に行くほど長くなるように傾斜していればよい。ただし、実施例１の場合と同様の理由により、角度α３１１、α３１２、α３２１、α３２２、α３３１、α３３２、α３４１、α３４２は４５度（略４５度としてもよい）とするのが好ましく、また、上記角度α３１１〜α３４２を４５度以外の角度とする場合でも、第２片部３５４と側面部３１８の右側面側の端部との間には、隙間が設けられるか、あるいは、第２片部３５４と側面部３１８の右側面側の端部とが当接し、第２片部３６４と側面部３１８の左側面側の端部との間には、隙間が設けられるか、あるいは、第２片部３６４と側面部３１８の左側面側の端部とが当接していればよく、また、第２片部３７４と側面部３１２の右側面側の端部との間には、隙間が設けられるか、あるいは、第２片部３７４と側面部３１２の右側面側の端部とが当接し、第２片部３８４と側面部２１２の左側面側の端部との間には、隙間が設けられるか、あるいは、第２片部３８４と側面部３１２の左側面側の端部とが当接していればよい。
【符号の説明】
【０２７８】
５、５−２、５−３  包装箱
１０、２１０、３１０  底面部
１２、１４、１６、１８、２１２、２１４、２１６、２１８、３１２、３１４、３１６、３１８  側面部
２０、３０、２２０、２３０、３２０、３３０  上面部
２６  差込み片部
３２  被差込み部
４０、４２、２４０、２４２、３４０、３４２  上面フラップ
５０、６０、２５０、２６０、２７０、２８０、３５０、３６０、３７０、３８０  折込み片部
５２、６２、２５２、２６２、２７２、２８２、３５２、３６２、３７２、３８２  第１片部
５４、６４、２５４、２６４、２７４、２８４、３５４、３６４、３７４、３８４  第２片部
５６、６６、２５６、２６６、２７６、２８６、３５６、３６６、３７６、３８６  片部
７０、８０  側面フラップ
Ｃ１２、Ｃ１４、Ｃ１６、Ｃ１８、Ｃ２６−１、Ｃ２６−２、Ｃ５０、Ｃ５１、Ｃ５６、Ｃ６０、Ｃ６１、Ｃ６６、Ｃ２１２、Ｃ２１４、Ｃ２１６、Ｃ２１８、Ｃ２５０、Ｃ２５１、Ｃ２５６、Ｃ２６０、Ｃ２６１、Ｃ２６６、Ｃ２７０、Ｃ２７１、Ｃ２７６、Ｃ２８０、Ｃ２８１、Ｃ２８６  折れ線
【図１】
2018087038.tif 000003
【図２】
2018087038.tif 000004
【図３】
2018087038.tif 000005
【図４】
2018087038.tif 000006
【図５】
2018087038.tif 000007
【図６】
2018087038.tif 000008
【図７】
2018087038.tif 000009
【図８】
2018087038.tif 000010
【図９】
2018087038.tif 000011
【図１０】
2018087038.tif 000012
【図１１】
2018087038.tif 000013
【図１２】
2018087038.tif 000014
【図１３】
2018087038.tif 000015
【図１４】
2018087038.tif 000016
【図１５】
2018087038.tif 000017
【図１６】
2018087038.tif 000018
【図１７】
2018087038.tif 000019
【図１８】
2018087038.tif 000020
【図１９】
2018087038.tif 000021
【図２０】
2018087038.tif 000022
【図２１】
2018087038.tif 000023
【図２２】
2018087038.tif 000024
【図２３】
2018087038.tif 000025
【図２４】
2018087038.tif 000026
【図２５】
2018087038.tif 000027
【図２６】
2018087038.tif 000028
【図２７】
2018087038.tif 000029
【図２８】
2018087038.tif 000030
【図２９】
2018087038.tif 000031
【図３０】
2018087038.tif 000032
【図３１】
2018087038.tif 000033
【図３２】
2018087038.tif 000034
【図３３】
2018087038.tif 000035
【図３４】
2018087038.tif 000036
【図３５】
2018087038.tif 000037
【図３６】
2018087038.tif 000038
【図３７】
2018087038.tif 000039